(57)【要約】  本願は、リソース指示方法、端末デバイス、及びネットワークデバイスを提供する。本方法は、ネットワークデバイスが第１の指示情報を端末デバイスに送信する段階であって、第１の指示情報は物理共有チャネルのマッピングタイプを示すのに用いられ、物理共有チャネルのマッピングタイプは第１のタイプ又は第２のタイプである、段階と、端末デバイスが第１の指示情報を受信し、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、ＤＭＲＳの時間領域位置を決定する段階であって、物理共有チャネルによりリソース単位において占有される最後のシンボルの位置インデックスは第１のタイプに対応し、物理共有チャネルによりリソース単位において占有されるシンボルの個数は第２のタイプに対応する、段階とを含む。本願の実施形態におけるリソース指示方法、端末デバイス、及びネットワークデバイスによれば、端末デバイスは、ＤＭＲＳの時間領域位置を正確に決定することができる。
2020527874.tif 000002
【特許請求の範囲】
【請求項１】
ネットワークデバイスにより送信される第１の指示情報を端末デバイスが受信する段階であって、前記第１の指示情報は、物理共有チャネルのマッピングタイプを示すのに用いられ、前記物理共有チャネルの前記マッピングタイプは第１のタイプ又は第２のタイプである、段階と、
前記物理共有チャネルの前記マッピングタイプに基づいて、また前記物理共有チャネルによりリソース単位において占有される最後のシンボルの位置インデックス又は前記物理共有チャネルにより前記リソース単位において占有されるシンボルの個数を基準にして、前記ＤＭＲＳにより前記リソース単位において占有される時間領域位置を前記端末デバイスが決定する段階と
を備えるリソース指示方法であって、
前記物理共有チャネルにより前記リソース単位において占有される前記最後のシンボルの前記位置インデックスは前記第１のタイプに対応し、前記物理共有チャネルにより前記リソース単位において占有される前記シンボルの個数は前記第２のタイプに対応する、方法。
【請求項２】
前記ＤＭＲＳは第１のＤＭＲＳ及び付加されたＤＭＲＳを含み、
前記ＤＭＲＳによりリソース単位において占有される時間領域位置を決定する前記段階は、
前記物理共有チャネルの前記マッピングタイプに基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される時間領域位置を前記端末デバイスが決定する段階を有する、請求項１に記載の方法。
【請求項３】
前記物理共有チャネルの前記マッピングタイプは前記第１のタイプであり、
前記付加されたＤＭＲＳにより前記リソース単位において占有される時間領域位置を決定する前記段階は、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を前記端末デバイスが決定する段階であって、前記第１のマッピング関係は、前記リソース単位における物理共有チャネルの最後のシンボルの異なる位置インデックスと、前記付加されたＤＭＲＳにより前記リソース単位において占有される異なる時間領域位置との対応関係を示すのに用いられる、段階を有する、請求項２に記載の方法。
【請求項４】
前記物理共有チャネルの前記マッピングタイプは前記第２のタイプであり、
前記付加されたＤＭＲＳにより前記リソース単位において占有される時間領域位置を決定する前記段階は、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を前記端末デバイスが決定する段階であって、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、段階を有する、請求項２に記載の方法。
【請求項５】
前記付加されたＤＭＲＳにより前記リソース単位において占有される時間領域位置を決定する前記段階の前に、前記方法はさらに、
前記ネットワークデバイスにより送信される第２の指示情報を前記端末デバイスが受信する段階であって、前記第２の指示情報は付加されたＤＭＲＳの個数を示すのに用いられる、段階と、
前記ネットワークデバイスにより送信される第３の指示情報を前記端末デバイスが受信する段階であって、前記第３の指示情報は、前記第１のＤＭＲＳにより前記リソース単位において占有されるシンボルの実際の個数を示すのに用いられる、段階と
を備え、
前記付加されたＤＭＲＳにより前記リソース単位において占有される時間領域位置を決定する前記段階は、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を前記端末デバイスが決定する段階を有する、請求項２から４のいずれか一項に記載の方法。
【請求項６】
ネットワークデバイスが第１の指示情報を決定する段階であって、前記第１の指示情報は、復調参照信号の物理共有チャネルのマッピングタイプを示すのに用いられ、前記物理共有チャネルの前記マッピングタイプは第１のタイプ又は第２のタイプである、段階と、
前記ネットワークデバイスが前記第１の指示情報を端末デバイスに送信する段階と
を備えるリソース指示方法であって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、方法。
【請求項７】
前記ＤＭＲＳが第１のＤＭＲＳ及び付加されたＤＭＲＳを含み、前記方法はさらに、
前記ネットワークデバイスが第２の指示情報を前記端末デバイスに送信する段階であって、前記第２の指示情報は付加されたＤＭＲＳの個数を示すのに用いられる、段階と、
前記ネットワークデバイスが第３の指示情報を前記端末デバイスに送信する段階であって、前記第３の指示情報は、前記第１のＤＭＲＳにより前記リソース単位において占有されるシンボルの実際の個数を示すのに用いられる、段階と
を備える、請求項６に記載の方法。
【請求項８】
ネットワークデバイスにより送信される第１の指示情報を受信するように構成された送受信機であって、前記第１の指示情報は物理共有チャネルのマッピングタイプを示すのに用いられ、前記物理共有チャネルの前記マッピングタイプは第１のタイプ又は第２のタイプである、送受信機と、
前記物理共有チャネルの前記マッピングタイプに基づいて、また前記物理共有チャネルによりリソース単位において占有される最後のシンボルの位置インデックス又は前記物理共有チャネルにより前記リソース単位において占有されるシンボルの個数を基準にして、前記ＤＭＲＳにより前記リソース単位において占有される時間領域位置を決定するように構成されたプロセッサと
を備える端末デバイスであって、
前記物理共有チャネルにより前記リソース単位において占有される前記最後のシンボルの前記位置インデックスは前記第１のタイプに対応し、前記物理共有チャネルにより前記リソース単位において占有される前記シンボルの個数は前記第２のタイプに対応する、端末デバイス。
【請求項９】
前記ＤＭＲＳは第１のＤＭＲＳと付加されたＤＭＲＳを含み、
前記プロセッサは具体的には、
前記物理共有チャネルの前記マッピングタイプに基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される時間領域位置を決定するように構成される、請求項８に記載の端末デバイス。
【請求項１０】
前記物理共有チャネルの前記マッピングタイプは前記第１のタイプであり、
前記プロセッサは具体的には、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を決定するように構成され、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項９に記載の端末デバイス。
【請求項１１】
前記物理共有チャネルの前記マッピングタイプは前記第２のタイプであり、
前記プロセッサは具体的には、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を決定するように構成され、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、請求項９に記載の端末デバイス。
【請求項１２】
前記送受信機はさらに、
前記付加されたＤＭＲＳにより前記リソース単位において占有される前記時間領域位置が決定される前に、前記ネットワークデバイスにより送信される第２の指示情報を受信することであって、前記第２の指示情報は、付加されたＤＭＲＳの個数を示すのに用いられる、受信することと、
前記ネットワークデバイスにより送信される第３の指示情報を受信することであって、前記第３の指示情報は、前記第１のＤＭＲＳにより前記リソース単位において占有されるシンボルの実際の個数を示すのに用いられる、受信することと
を行うように構成され、
前記プロセッサは具体的には、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を決定するように構成される、請求項９から１１のいずれか一項に記載の端末デバイス。
【請求項１３】
第１の指示情報を決定するように構成されたプロセッサであって、前記第１の指示情報は、復調参照信号の物理共有チャネルのマッピングタイプを示すのに用いられ、前記物理共有チャネルの前記マッピングタイプは第１のタイプ又は第２のタイプである、プロセッサと、
前記第１の指示情報を端末デバイスに送信するように構成された送受信機と
を備えるネットワークデバイスであって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、ネットワークデバイス。
【請求項１４】
前記ＤＭＲＳは第１のＤＭＲＳ及び付加されたＤＭＲＳを含み、前記送受信機はさらに、
第２の指示情報を前記端末デバイスに送信することであって、前記第２の指示情報は付加されたＤＭＲＳの個数を示すのに用いられる、送信することと、
第３の指示情報を前記端末デバイスに送信することであって、前記第３の指示情報は、前記第１のＤＭＲＳにより前記リソース単位において占有されるシンボルの実際の個数を示すのに用いられる、送信することと
を行うように構成される、請求項１３に記載のネットワークデバイス。
【請求項１５】
ネットワークデバイスにより送信される第１の指示情報を受信するように構成された送受信機ユニットであって、前記第１の指示情報は物理共有チャネルのマッピングタイプを示すのに用いられ、前記物理共有チャネルの前記マッピングタイプは第１のタイプ又は第２のタイプである、送受信機ユニットと、
前記物理共有チャネルの前記マッピングタイプに基づいて、また前記物理共有チャネルによりリソース単位において占有される最後のシンボルの位置インデックス又は前記物理共有チャネルにより前記リソース単位において占有されるシンボルの個数を基準にして、前記ＤＭＲＳにより前記リソース単位において占有される時間領域位置を決定するように構成された処理ユニットと
を備える端末デバイスであって、
前記物理共有チャネルにより前記リソース単位において占有される前記最後のシンボルの前記位置インデックスは前記第１のタイプに対応し、前記物理共有チャネルにより前記リソース単位において占有される前記シンボルの個数は前記第２のタイプに対応する、端末デバイス。
【請求項１６】
前記ＤＭＲＳは第１のＤＭＲＳと付加されたＤＭＲＳを含み、
前記処理ユニットは具体的には、
前記物理共有チャネルの前記マッピングタイプに基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される時間領域位置を決定するように構成される、請求項１５に記載の端末デバイス。
【請求項１７】
前記物理共有チャネルの前記マッピングタイプは前記第１のタイプであり、
前記処理ユニットは具体的には、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を決定するように構成され、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項１６に記載の端末デバイス。
【請求項１８】
前記物理共有チャネルの前記マッピングタイプは前記第２のタイプであり、
前記処理ユニットは具体的には、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を決定するように構成され、前記第２のマッピング関係は、前記物理共有チャネルにより前記リソース単位において占有されるシンボルの異なる個数と、付加されたＤＭＲＳにより前記リソース単位において占有される異なる時間領域位置との対応関係を示すのに用いられる、請求項１７に記載の端末デバイス。
【請求項１９】
前記送受信機ユニットはさらに、
前記付加されたＤＭＲＳにより前記リソース単位において占有される前記時間領域位置が決定される前に、前記ネットワークデバイスにより送信される第２の指示情報を受信することであって、前記第２の指示情報は、付加されたＤＭＲＳの個数を示すのに用いられる、受信することと、
前記ネットワークデバイスにより送信される第３の指示情報を受信することであって、前記第３の指示情報は、前記第１のＤＭＲＳにより前記リソース単位において占有されるシンボルの実際の個数を示すのに用いられる、受信することと
を行うように構成され、
前記処理ユニットは具体的には、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を決定するように構成される、請求項１６から１８のいずれか一項に記載の端末デバイス。
【請求項２０】
第１の指示情報を決定するように構成された処理ユニットであって、前記第１の指示情報は、復調参照信号の物理共有チャネルのマッピングタイプを示すのに用いられ、前記物理共有チャネルの前記マッピングタイプは第１のタイプ又は第２のタイプである、プロセッサと、
前記第１の指示情報を端末デバイスに送信するように構成された送受信機ユニットと
を備えるネットワークデバイスであって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、ネットワークデバイス。
【請求項２１】
前記ＤＭＲＳは第１のＤＭＲＳ及び付加されたＤＭＲＳを含み、前記送受信機ユニットはさらに、
第２の指示情報を前記端末デバイスに送信することであって、前記第２の指示情報は付加されたＤＭＲＳの個数を示すのに用いられる、送信することと、
第３の指示情報を前記端末デバイスに送信することであって、前記第３の指示情報は、前記第１のＤＭＲＳにより前記リソース単位において占有されるシンボルの実際の個数を示すのに用いられる、送信することと
を行うように構成される、請求項２０に記載のネットワークデバイス。
【請求項２２】
リソース構成方法であって、
復調参照信号ＤＭＲＳ構成情報を受信する段階であって、前記ＤＭＲＳ構成情報は、ＤＭＲＳの異なるマッピングタイプにおける前記ＤＭＲＳの時間領域位置を含み、前記物理共有チャネルのマッピングタイプが第１のタイプ又は第２のタイプであり、前記第１のタイプに対応するＤＭＲＳ構成情報が、前記物理共有チャネルによりリソース単位において占有される最後のシンボルの位置インデックスを含み、前記第２のタイプに対応するＤＭＲＳ構成情報が、前記物理共有チャネルにより前記リソース単位において占有されるシンボルの個数を含む、段階と、
前記ＤＭＲＳ構成情報を格納する段階と
を備える、方法。
【請求項２３】
復調参照信号ＤＭＲＳ構成情報を受信するように構成された送受信機であって、前記ＤＭＲＳ構成情報は、ＤＭＲＳの異なるマッピングタイプにおける前記ＤＭＲＳの時間領域位置を含み、前記物理共有チャネルのマッピングタイプが第１のタイプ又は第２のタイプであり、前記第１のタイプに対応するＤＭＲＳ構成情報が、前記物理共有チャネルによりリソース単位において占有される最後のシンボルの位置インデックスを含み、前記第２のタイプに対応するＤＭＲＳ構成情報が、前記物理共有チャネルにより前記リソース単位において占有されるシンボルの個数を含む、送受信機と、
前記ＤＭＲＳ構成情報を格納するように構成されたメモリと
を備える、端末デバイス。
【請求項２４】
復調参照信号ＤＭＲＳ構成情報を受信するように構成された送受信機であって、前記ＤＭＲＳ構成情報は、ＤＭＲＳの異なるマッピングタイプにおける前記ＤＭＲＳの時間領域位置を含み、前記物理共有チャネルのマッピングタイプが第１のタイプ又は第２のタイプであり、前記第１のタイプに対応するＤＭＲＳ構成情報が、前記物理共有チャネルによりリソース単位において占有される最後のシンボルの位置インデックスを含み、前記第２のタイプに対応するＤＭＲＳ構成情報が、前記物理共有チャネルにより前記リソース単位において占有されるシンボルの個数を含む、送受信機と、
前記ＤＭＲＳ構成情報を格納するように構成されたメモリと
を備える、ネットワークデバイス。
【請求項２５】
復調参照信号ＤＭＲＳ構成情報を受信するように構成された送受信機ユニットであって、前記ＤＭＲＳ構成情報は、ＤＭＲＳの異なるマッピングタイプにおける前記ＤＭＲＳの時間領域位置を含み、前記物理共有チャネルのマッピングタイプが第１のタイプ又は第２のタイプであり、前記第１のタイプに対応するＤＭＲＳ構成情報が、前記物理共有チャネルによりリソース単位において占有される最後のシンボルの位置インデックスを含み、前記第２のタイプに対応するＤＭＲＳ構成情報が、前記物理共有チャネルにより前記リソース単位において占有されるシンボルの個数を含む、送受信機ユニットと、
前記ＤＭＲＳ構成情報を格納するように構成された記憶ユニットと
を備える、端末デバイス。
【請求項２６】
復調参照信号ＤＭＲＳ構成情報を受信するように構成された送受信機ユニットであって、前記ＤＭＲＳ構成情報は、ＤＭＲＳの異なるマッピングタイプにおける前記ＤＭＲＳの時間領域位置を含み、前記物理共有チャネルのマッピングタイプが第１のタイプ又は第２のタイプであり、前記第１のタイプに対応するＤＭＲＳ構成情報が、前記物理共有チャネルによりリソース単位において占有される最後のシンボルの位置インデックスを含み、前記第２のタイプに対応するＤＭＲＳ構成情報が、前記物理共有チャネルにより前記リソース単位において占有されるシンボルの個数を含む、送受信機ユニットと、
前記ＤＭＲＳ構成情報を格納するように構成された記憶ユニットと
を備える、ネットワークデバイス。
【請求項２７】
リソース指示方法であって、
ネットワークデバイスにより送信される第４の指示情報を端末デバイスが受信する段階であって、前記第４の指示情報は、復調参照信号の物理共有チャネルのマッピングタイプと、前記物理共有チャネルによりリソース単位において占有されるシンボルの個数とを示すのに用いられ、前記物理共有チャネルの前記マッピングタイプは第１のタイプ又は第２のタイプである、段階と、
前記物理共有チャネルの前記マッピングタイプ、前記物理共有チャネルにより前記リソース単位において占有される前記シンボルの個数、及び前記ＤＭＲＳのうちの第１のＤＭＲＳにより前記リソース単位において占有される時間領域位置に基づいて、前記ＤＭＲＳのうちの付加されたＤＭＲＳにより前記リソース単位において占有される時間領域位置を前記端末デバイスが決定する段階と
を備える、方法。
【請求項２８】
前記ＤＭＲＳのうちの付加されたＤＭＲＳにより前記リソース単位において占有される時間領域位置を決定する前記段階の前に、前記方法はさらに、
前記ネットワークデバイスにより送信される第５の指示情報を前記端末デバイスが受信する段階であって、前記第５の指示情報は、前記第１のＤＭＲＳにより前記リソース単位において占有される前記時間領域位置を示すのに用いられる、段階を備える、請求項２７に記載の方法。
【請求項２９】
前記物理共有チャネルの前記マッピングタイプは前記第１のタイプであり、
前記ＤＭＲＳのうちの付加されたＤＭＲＳにより前記リソース単位において占有される時間領域位置を決定する前記段階は、
前記物理共有チャネルにより前記リソース単位において占有される前記シンボルの個数、前記第１のＤＭＲＳにより前記リソース単位において占有される前記時間領域位置、及び第３のマッピング関係に基づいて、前記付加されたＤＭＲＳにより前記リソース単位において占有される前記時間領域位置を前記端末デバイスが決定する段階であって、前記第３のマッピング関係は、物理共有チャネルにより前記リソース単位において占有されるシンボルの異なる個数と、前記第１のＤＭＲＳにより前記リソース単位において占有される異なる時間領域位置と、付加されたＤＭＲＳにより前記リソース単位において占有される異なる時間領域位置との対応関係を示すのに用いられる、段階を有する、請求項２７又は２８に記載の方法。
【請求項３０】
前記物理共有チャネルの前記マッピングタイプは前記第２のタイプであり、
前記ＤＭＲＳのうちの付加されたＤＭＲＳにより前記リソース単位において占有される時間領域位置を決定する前記段階は、
前記物理共有チャネルにより前記リソース単位において占有される前記シンボルの個数、前記第１のＤＭＲＳにより前記リソース単位において占有される前記時間領域位置、及び第４のマッピング関係に基づいて、前記付加されたＤＭＲＳにより前記リソース単位において占有される前記時間領域位置を前記端末デバイスが決定する段階であって、前記第４のマッピング関係は、物理共有チャネルにより前記リソース単位において占有されるシンボルの異なる個数と、前記第１のＤＭＲＳにより前記リソース単位において占有される異なる時間領域位置と、付加されたＤＭＲＳにより前記物理共有チャネルにおいて占有される異なる時間領域位置との対応関係を示すのに用いられる、段階を有する、請求項２７又は２８に記載の方法。
【請求項３１】
前記ＤＭＲＳのうちの付加されたＤＭＲＳにより前記リソース単位において占有される時間領域位置を決定する前記段階の前に、前記方法はさらに、
前記ネットワークデバイスにより送信される第６の指示情報を前記端末デバイスが受信する段階であって、前記第６の指示情報は付加されたＤＭＲＳの個数を示すのに用いられる、段階と、
前記ネットワークデバイスにより送信される第７の指示情報を前記端末デバイスが受信する段階であって、前記第７の指示情報は、前記第１のＤＭＲＳにより前記リソース単位において占有されるシンボルの実際の個数を示すのに用いられる、段階と
を備え、
前記ＤＭＲＳのうちの付加されたＤＭＲＳにより前記リソース単位において占有される時間領域位置を決定する前記段階は、
前記物理共有チャネルの前記マッピングタイプ、前記物理共有チャネルにより前記リソース単位において占有される前記シンボルの個数、前記第１のＤＭＲＳにより前記リソース単位において占有される前記時間領域位置、前記付加されたＤＭＲＳの個数、及び前記第１のＤＭＲＳにより前記リソース単位において占有される前記シンボルの実際の個数に基づいて、前記付加されたＤＭＲＳにより前記リソース単位において占有される前記時間領域位置を前記端末デバイスが決定する段階を有する、請求項２７から３０のいずれか一項に記載の方法。
【請求項３２】
ネットワークデバイスにより送信される第４の指示情報を受信するように構成された送受信機であって、前記第４の指示情報は、復調参照信号の物理共有チャネルのマッピングタイプと、前記物理共有チャネルによりリソース単位において占有されるシンボルの個数とを示すのに用いられ、前記物理共有チャネルの前記マッピングタイプは第１のタイプ又は第２のタイプである、送受信機と、
前記物理共有チャネルの前記マッピングタイプ、前記物理共有チャネルにより前記リソース単位において占有される前記シンボルの個数、及び前記ＤＭＲＳのうちの第１のＤＭＲＳにより前記リソース単位において占有される時間領域位置に基づいて、前記ＤＭＲＳのうちの付加されたＤＭＲＳにより前記リソース単位において占有される時間領域位置を決定するように構成されたプロセッサと
を備える、端末デバイス。
【請求項３３】
前記送受信機はさらに、
前記ＤＭＲＳのうちの前記付加されたＤＭＲＳにより前記リソース単位において占有される前記時間領域位置が決定される前に、前記ネットワークデバイスにより送信される第５の指示情報を受信するように構成され、前記第５の指示情報は、前記第１のＤＭＲＳにより前記リソース単位において占有される前記時間領域位置を示すのに用いられる、請求項３２に記載の端末デバイス。
【請求項３４】
前記物理共有チャネルの前記マッピングタイプは前記第１のタイプであり、
前記プロセッサは具体的には、
前記物理共有チャネルにより前記リソース単位において占有される前記シンボルの個数、前記第１のＤＭＲＳにより前記リソース単位において占有される前記時間領域位置、及び第３のマッピング関係に基づいて、前記付加されたＤＭＲＳにより前記リソース単位において占有される前記時間領域位置を決定するように構成され、前記第３のマッピング関係は、物理共有チャネルにより前記リソース単位において占有されるシンボルの異なる個数と、前記第１のＤＭＲＳにより前記リソース単位において占有される異なる時間領域位置と、付加されたＤＭＲＳにより前記リソース単位において占有される異なる時間領域位置との対応関係を示すのに用いられる、請求項３２又は３３に記載の端末デバイス。
【請求項３５】
前記物理共有チャネルの前記マッピングタイプは前記第２のタイプであり、
前記プロセッサは具体的には、
前記物理共有チャネルにより前記リソース単位において占有される前記シンボルの個数、前記第１のＤＭＲＳにより前記リソース単位において占有される前記時間領域位置、及び第４のマッピング関係に基づいて、前記付加されたＤＭＲＳにより前記リソース単位において占有される前記時間領域位置を決定するように構成され、前記第４のマッピング関係は、物理共有チャネルにより前記リソース単位において占有されるシンボルの異なる個数と、前記第１のＤＭＲＳにより前記リソース単位において占有される異なる時間領域位置と、付加されたＤＭＲＳにより前記リソース単位において占有される異なる時間領域位置との対応関係を示すのに用いられる、請求項３２又は３３に記載の端末デバイス。
【請求項３６】
前記送受信機はさらに、
前記ＤＭＲＳのうちの前記付加されたＤＭＲＳにより前記リソース単位において占有される前記時間領域位置が決定される前に、前記ネットワークデバイスにより送信される第６の指示情報を受信することであって、前記第６の指示情報は、付加されたＤＭＲＳの個数を示すのに用いられる、受信することと、
前記ネットワークデバイスにより送信される第７の指示情報を受信することであって、前記第７の指示情報は、前記第１のＤＭＲＳにより前記リソース単位において占有されるシンボルの実際の個数を示すのに用いられる、受信することと
を行うように構成され、
前記プロセッサは具体的には、
前記物理共有チャネルの前記マッピングタイプ、前記物理共有チャネルにより前記リソース単位において占有される前記シンボルの個数、前記第１のＤＭＲＳにより前記リソース単位において占有される前記時間領域位置、前記付加されたＤＭＲＳの個数、及び前記第１のＤＭＲＳにより前記リソース単位において占有される前記シンボルの実際の個数に基づいて、前記付加されたＤＭＲＳにより前記リソース単位において占有される前記時間領域位置を決定するように構成される、請求項３２から３５のいずれか一項に記載の端末デバイス。
【請求項３７】
ネットワークデバイスにより送信される第４の指示情報を受信するように構成された送受信機ユニットであって、前記第４の指示情報は、復調参照信号の物理共有チャネルのマッピングタイプと、前記物理共有チャネルによりリソース単位において占有されるシンボルの個数とを示すのに用いられ、前記物理共有チャネルの前記マッピングタイプは第１のタイプ又は第２のタイプである、送受信機ユニットと、
前記物理共有チャネルの前記マッピングタイプ、前記物理共有チャネルにより前記リソース単位において占有される前記シンボルの個数、及び前記ＤＭＲＳのうちの第１のＤＭＲＳにより前記リソース単位において占有される時間領域位置に基づいて、前記ＤＭＲＳのうちの付加されたＤＭＲＳにより前記リソース単位において占有される時間領域位置を決定するように構成された処理ユニットと
を備える、端末デバイス。
【請求項３８】
前記送受信機ユニットはさらに、
前記ＤＭＲＳのうちの前記付加されたＤＭＲＳにより前記リソース単位において占有される前記時間領域位置が決定される前に、前記ネットワークデバイスにより送信される第５の指示情報を受信するように構成され、前記第５の指示情報は、前記第１のＤＭＲＳにより前記リソース単位において占有される前記時間領域位置を示すのに用いられる、請求項３７に記載の端末デバイス。
【請求項３９】
前記物理共有チャネルの前記マッピングタイプは前記第１のタイプであり、
前記処理ユニットは具体的には、
前記物理共有チャネルにより前記リソース単位において占有される前記シンボルの個数、前記第１のＤＭＲＳにより前記リソース単位において占有される前記時間領域位置、及び第３のマッピング関係に基づいて、前記付加されたＤＭＲＳにより前記リソース単位において占有される前記時間領域位置を決定するように構成され、前記第３のマッピング関係は、物理共有チャネルにより前記リソース単位において占有されるシンボルの異なる個数と、前記第１のＤＭＲＳにより前記リソース単位において占有される異なる時間領域位置と、付加されたＤＭＲＳにより前記リソース単位において占有される異なる時間領域位置との対応関係を示すのに用いられる、請求項３７又は３８に記載の端末デバイス。
【請求項４０】
前記物理共有チャネルの前記マッピングタイプは前記第２のタイプであり、
前記処理ユニットは具体的には、
前記物理共有チャネルにより前記リソース単位において占有される前記シンボルの個数、前記第１のＤＭＲＳにより前記リソース単位において占有される前記時間領域位置、及び第４のマッピング関係に基づいて、前記付加されたＤＭＲＳにより前記リソース単位において占有される前記時間領域位置を決定するように構成され、前記第４のマッピング関係は、物理共有チャネルにより前記リソース単位において占有されるシンボルの異なる個数と、前記第１のＤＭＲＳにより前記リソース単位において占有される異なる時間領域位置と、付加されたＤＭＲＳにより前記リソース単位において占有される異なる時間領域位置との対応関係を示すのに用いられる、請求項３７又は３８に記載の端末デバイス。
【請求項４１】
前記送受信機ユニットはさらに、
前記ＤＭＲＳのうちの前記付加されたＤＭＲＳにより前記リソース単位において占有される前記時間領域位置が決定される前に、前記ネットワークデバイスにより送信される第６の指示情報を受信することであって、前記第６の指示情報は、付加されたＤＭＲＳの個数を示すのに用いられる、受信することと、
前記ネットワークデバイスにより送信される第７の指示情報を受信することであって、前記第７の指示情報は、前記第１のＤＭＲＳにより前記リソース単位において占有されるシンボルの実際の個数を示すのに用いられる、受信することと
を行うように構成され、
前記処理ユニットは具体的には、
前記物理共有チャネルの前記マッピングタイプ、前記物理共有チャネルにより前記リソース単位において占有される前記シンボルの個数、前記ＤＭＲＳのうちの前記第１のＤＭＲＳにより前記リソース単位において占有される前記時間領域位置、前記付加されたＤＭＲＳの個数、及び前記第１のＤＭＲＳにより前記リソース単位において占有される前記シンボルの実際の個数に基づいて、前記付加されたＤＭＲＳにより前記リソース単位において占有される前記時間領域位置を決定するように構成される、請求項３７から４０のいずれか一項に記載の端末デバイス。
【請求項４２】
リソース構成方法であって、
復調参照信号ＤＭＲＳ構成情報を受信する段階であって、ＤＭＲＳは第１のＤＭＲＳ及び付加されたＤＭＲＳを含み、前記ＤＭＲＳ構成情報は、物理共有チャネルの異なるマッピングタイプにおける前記第１のＤＭＲＳの異なる時間領域位置に対応する、付加されたＤＭＲＳの時間領域位置を含み、前記物理共有チャネルの前記マッピングタイプは第１のタイプ及び第２のタイプを含む、段階と、
前記ＤＭＲＳ構成情報を格納する段階と
を備える、方法。
【請求項４３】
復調参照信号ＤＭＲＳ構成情報を受信するように構成された送受信機であって、ＤＭＲＳは第１のＤＭＲＳ及び付加されたＤＭＲＳを含み、前記ＤＭＲＳ構成情報は、物理共有チャネルの異なるマッピングタイプにおける前記第１のＤＭＲＳの異なる時間領域位置に対応する、付加されたＤＭＲＳの時間領域位置を含み、前記物理共有チャネルの前記マッピングタイプは第１のタイプ及び第２のタイプを含む、送受信機ユニットと、
前記ＤＭＲＳ構成情報を格納するように構成されたメモリと
を備える、端末デバイス。
【請求項４４】
復調参照信号ＤＭＲＳ構成情報を受信するように構成された送受信機であって、ＤＭＲＳは第１のＤＭＲＳ及び付加されたＤＭＲＳを含み、前記ＤＭＲＳ構成情報は、物理共有チャネルの異なるマッピングタイプにおける前記第１のＤＭＲＳの異なる時間領域位置に対応する、付加されたＤＭＲＳの時間領域位置を含み、前記物理共有チャネルの前記マッピングタイプは第１のタイプ及び第２のタイプを含む、送受信機ユニットと、
前記ＤＭＲＳ構成情報を格納するように構成されたメモリと
を備える、ネットワークデバイス。
【請求項４５】
復調参照信号ＤＭＲＳ構成情報を受信するように構成された送受信機ユニットであって、ＤＭＲＳは第１のＤＭＲＳ及び付加されたＤＭＲＳを含み、前記ＤＭＲＳ構成情報は、物理共有チャネルの異なるマッピングタイプにおける前記第１のＤＭＲＳの異なる時間領域位置に対応する、付加されたＤＭＲＳの時間領域位置を含み、前記物理共有チャネルの前記マッピングタイプは第１のタイプ及び第２のタイプを含む、送受信機ユニットと、
前記ＤＭＲＳ構成情報を格納するように構成された記憶ユニットと
を備える、端末デバイス。
【請求項４６】
復調参照信号ＤＭＲＳ構成情報を受信するように構成された送受信機ユニットであって、ＤＭＲＳは第１のＤＭＲＳ及び付加されたＤＭＲＳを含み、前記ＤＭＲＳ構成情報は、物理共有チャネルの異なるマッピングタイプにおける前記第１のＤＭＲＳの異なる時間領域位置に対応する、付加されたＤＭＲＳの時間領域位置を含み、前記物理共有チャネルの前記マッピングタイプは第１のタイプ及び第２のタイプを含む、送受信機ユニットと、
前記ＤＭＲＳ構成情報を格納するように構成された記憶ユニットと
を備える、ネットワークデバイス。
【請求項４７】
コンピュータプログラムを格納するように構成されたコンピュータ可読媒体であって、前記コンピュータプログラムは、請求項１から７、２２、２７から３１、及び４２のいずれか一項に記載の方法を実施するのに用いられる命令を含む、コンピュータ可読媒体。
【請求項４８】
コンピュータプログラムコードを含むコンピュータプログラム製品であって、前記コンピュータプログラムコードがコンピュータで起動すると、前記コンピュータは、請求項１から７、２２、２７から３１、及び４２のいずれか一項に記載の方法を実施することが可能である、コンピュータプログラム製品。
【請求項４９】
プロセッサを備え、メモリに格納された命令を読み出すように構成されたチップであって、前記プロセッサが前記命令を実行すると、前記チップは請求項１から７、２２、２７から３１、及び４２のいずれか一項に記載の方法の命令を実施することが可能である、チップ。
【発明の詳細な説明】
【技術分野】
【０００１】
本願は、２０１８年１月１２日に中国特許庁に出願された「リソース指示方法、端末デバイス、及びネットワークデバイス（ＲＥＳＯＵＲＣＥ  ＩＮＤＩＣＡＴＩＯＮ  ＭＥＴＨＯＤ，  ＴＥＲＭＩＮＡＬ  ＤＥＶＩＣＥ，  ＡＮＤ  ＮＥＴＷＯＲＫ  ＤＥＶＩＣＥ）」と題する中国特許出願第２０１８１００３２６５４．０号に基づく優先権を主張し、当該特許出願は、その全体が参照により本明細書に組み込まれる。
【０００２】
本願は通信分野に関し、具体的には、通信分野でのリソース指示方法、端末デバイス、及びネットワークデバイスに関する。
【背景技術】
【０００３】
通信技術の発展に伴い、新たな無線（ｎｅｗ  ｒａｄｉｏ、ＮＲ）では、復調参照信号（ｄｅｍｏｄｕｌａｔｉｏｎ  ｒｅｆｅｒｅｎｃｅ  ｓｉｇｎａｌ、ＤＭＲＳ）が、第１のＤＭＲＳ（ｆｉｒｓｔ  ＤＭＲＳともｆｒｏｎｔ−ｌｏａｄｅｄ  ＤＭＲＳとも呼ばれる）と、付加されたＤＭＲＳ（ａｄｄｉｔｉｏｎａｌ  ＤＭＲＳとも呼ばれる）とを含むことができる。付加されたＤＭＲＳの時間領域位置は、第１のＤＭＲＳの時間領域位置の後になる。ＮＲは付加されたＤＭＲＳをサポートすることができ、付加されたＤＭＲＳの密度は設定可能である。例えば、付加されたＤＭＲＳの個数が０個、１個、２個、又は３個に設定される。さらに、時間領域密度ごとに、ＮＲは付加されたＤＭＲＳの複数の位置をサポートし、特定の位置がシステムパラメータに基づいて決定される必要がある。それに加えて、ＮＲはさらに、２つのタイプ、すなわち、第１のタイプ及び第２のタイプの物理共有チャネルマッピング方式（ＰＤＳＣＨ  ｍａｐｐｉｎｇ  ｔｙｐｅ  Ａ及びＰＤＳＣＨ  ｍａｐｐｉｎｇ  ｔｙｐｅ  Ｂ、又はＰＵＳＣＨ  ｍａｐｐｉｎｇ  ｔｙｐｅ  Ａ及びＰＵＳＣＨ  ｍａｐｐｉｎｇ  ｔｙｐｅ  Ｂとも呼ばれる）をサポートしてよい。
【０００４】
既存の方法では、ｍａｐｐｉｎｇ  ｔｙｐｅ  Ａ及びｍａｐｐｉｎｇ  ｔｙｐｅ  Ｂの両方について、付加されたＤＭＲＳは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）又は物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）により占有される、リソース単位におけるシンボル（ｄｕｒａｔｉｏｎとも呼ばれる）の総数を用いて決定される。具体的には、アップリンクＤＭＲＳのうちの付加されたＤＭＲＳの場合、付加されたＤＭＲＳの異なる時間領域位置がＰＵＳＣＨのｄｕｒａｔｉｏｎに基づいて選択される。ダウンリンクＤＭＲＳのうちの付加されたＤＭＲＳの場合、付加されたＤＭＲＳの異なる時間領域位置がＰＤＳＣＨのｄｕｒａｔｉｏｎに基づいて選択される。
【０００５】
ｍａｐｐｉｎｇ  ｔｙｐｅ  Ａの現在の設計では誤りが生じ得るので、ｍａｐｐｉｎｇ  ｔｙｐｅ  Ａにおいてサポートされる同じ個数のａｄｄｉｔｉｏｎａｌ  ＤＭＲＳを、ネットワークデバイスが正しく示すことができない。具体的には、同じＰＤＳＣＨ  ｄｕｒａｔｉｏｎ又は同じＰＵＳＣＨ  ｄｕｒａｔｉｏｎの場合、ａｄｄｉｔｉｏｎａｌ  ＤＭＲＳがリソース単位の異なる時間領域位置を占有する。例えば、ＰＵＳＣＨ  ｄｕｒａｔｉｏｎが７つのシンボルである場合、ａｄｄｉｔｉｏｎａｌ  ＤＭＲＳがリソース単位における８番目のシンボル又は１０番目のシンボルに設定されるシナリオが区別できない。したがって、ＤＭＲＳによりリソース単位において占有される時間領域位置を端末デバイスが決定することができず、ネットワークデバイスと端末デバイスとの間の通信に影響を与える。
【発明の概要】
【０００６】
本願は、リソース指示方法、端末デバイス、及びネットワークデバイスを提供して、端末デバイスがＤＭＲＳの時間領域位置を正確に決定するのに役立てる。
【０００７】
第１の態様によれば、リソース指示方法が提供される。本リソース指示方法は、ネットワークデバイスにより送信される第１の指示情報を端末デバイスが受信する段階であって、第１の指示情報は物理共有チャネルのマッピングタイプを示すのに用いられ、物理共有チャネルのマッピングタイプは第１のタイプ又は第２のタイプである、段階と、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、ＤＭＲＳによりリソース単位において占有される時間領域位置を端末デバイスが決定する段階であって、物理共有チャネルによりリソース単位において占有される最後のシンボルの位置インデックスは第１のタイプに対応し、物理共有チャネルによりリソース単位において占有されるシンボルの個数は第２のタイプに対応する、段階とを含む。
【０００８】
本願の本実施形態のリソース指示方法によれば、物理共有チャネルの異なるマッピングタイプが異なるパラメータに対応するように設定され、ネットワークデバイスは、物理共有チャネルのマッピングタイプを示すのに用いられる指示情報を端末デバイスに送信するので、端末デバイスは、物理共有チャネルのマッピングタイプに基づいて、対応するパラメータを選択し、ＤＭＲＳによりリソース単位において占有される時間領域位置を端末デバイスが正確に決定するのに役立てることができ、これにより、ネットワークデバイスと端末デバイスとの間のデータ伝送のパフォーマンスを向上させることができる。
【０００９】
第１のタイプは、物理共有チャネルによりリソース単位において占有される最後のシンボルの位置インデックスに対応し、第２のタイプは、物理共有チャネルによりリソース単位において占有されるシンボルの個数に対応することを理解されたい。この対応関係は、プロトコルに予め規定されてもよく、ネットワークデバイスによりシグナリングを用いて端末デバイスに設定されてもよい。このことは、本願の本実施形態において限定されるものではない。
【００１０】
可能性のある一実装例において、ネットワークデバイス及び端末デバイスは両方とも、ＤＭＲＳ構成情報を格納し、ＤＭＲＳ構成情報は、物理共有チャネルの異なるマッピングタイプにおけるＤＭＲＳの時間領域位置を含む。ネットワークデバイスは、ＤＭＲＳ構成情報に基づいて、ＤＭＲＳの時間領域位置を端末デバイスに設定し、第１の指示情報を用いて端末デバイスに通知する。端末デバイスは、第１の指示情報を受信し、物理共有チャネルの、第１の指示情報により示されるマッピングタイプに基づいて、物理共有チャネルのマッピングタイプに対応する情報をＤＭＲＳ構成情報から選択し、物理共有チャネルのマッピングタイプに対応するパラメータを基準にして、リソース単位におけるＤＭＲＳの時間領域位置を決定する。
【００１１】
第１の態様に関連して、第１の態様のいくつかの実装例では、ＤＭＲＳは第１のＤＭＲＳ及び付加されたＤＭＲＳを含み、ＤＭＲＳによりリソース単位において占有される時間領域位置を決定する段階は、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、付加されたＤＭＲＳによりリソース単位において占有される時間領域位置を端末デバイスが決定する段階を含む。
【００１２】
具体的には、ＤＭＲＳは、第１のＤＭＲＳ（すなわち、ｆｒｏｎｔ−ｌｏａｄｅｄ  ＤＭＲＳ）と付加されたＤＭＲＳ（すなわち、ａｄｄｉｔｉｏｎａｌ  ＤＭＲＳ）とを含んでよい。第１のＤＭＲＳの時間領域位置が、付加されたＤＭＲＳの時間領域位置から分離され、第１のＤＭＲＳの時間領域位置と付加されたＤＭＲＳの時間領域位置との間には対応関係がない。第１のＤＭＲＳの時間領域位置は、プロトコルに予め規定されてもよく、ネットワークデバイスによりシグナリングを用いて端末デバイスに設定されてもよい。このことは、本願の本実施形態において限定されるものではない。したがって、本願の本実施形態では、端末デバイスは、物理共有チャネルのマッピングタイプに基づいて、また物理共有チャネルのマッピングタイプに対応するパラメータ（物理共有チャネルによりリソース単位において占有される最後のシンボルの位置インデックス、又は物理共有チャネルによりリソース単位において占有されるシンボルの個数）を基準にして、付加されたＤＭＲＳの時間領域位置を決定するだけでよい。付加されたＤＭＲＳの時間領域位置が決定された後に、端末デバイスは、第１のＤＭＲＳの時間領域位置と付加されたＤＭＲＳの時間領域位置とを基準にして、ＤＭＲＳの時間領域位置を決定してよい。
【００１３】
第１の態様に関連して、第１の態様のいくつかの実装例では、物理共有チャネルのマッピングタイプは第１のタイプであり、付加されたＤＭＲＳによりリソース単位において占有される時間領域位置を決定する段階は、物理共有チャネルによりリソース単位において占有される最後のシンボルの位置インデックスと第１のマッピング関係とに少なくとも基づいて、付加されたＤＭＲＳによりリソース単位において占有される時間領域位置を端末デバイスが決定する段階であって、第１のマッピング関係は、リソース単位における物理共有チャネルの最後のシンボルの異なる位置インデックスと付加されたＤＭＲＳによりリソース単位において占有される異なる時間領域位置との間の対応関係を示すのに用いられる、段階を含む。
【００１４】
異なる付加されたＤＭＲＳは、付加されたＤＭＲＳの異なる個数を示すのに用いられてもよく（例えば、付加されたＤＭＲＳの個数は０個、１個、２個、又は３個である）、シンボルの異なる実際の個数を有するＤＭＲＳを示すのに用いられてもよく（例えば、ＤＭＲＳのシンボルの実際の個数は１個のシンボル又は２個のシンボルである）、異なる位置の付加されたＤＭＲＳを示すのに用いられてもよいことを理解されたい。このことは、本願の本実施形態において限定されるものではない。
【００１５】
第１のマッピング関係は、式、表、又は別の方式を用いて実装されてよく、具体的には、異なる位置インデックスと異なる時間領域位置との間の対応関係を示すのに用いられてよいことをさらに理解されたい。可能性のある一実装例において、第１のマッピング関係はＤＭＲＳ構成情報に含まれる。端末デバイスは、物理共有チャネルのマッピングタイプ、すなわち第１のタイプに基づいて、第１のマッピング関係をＤＭＲＳ構成情報から選択し、物理共有チャネルによりリソース単位において占有される最後のシンボルの位置インデックスを基準にして、付加されたＤＭＲＳによりリソース単位において占有される時間領域位置を第１のマッピング関係から選択してよい。しかしながら、このことは、本願の本実施形態において限定されるものではない。
【００１６】
第１の態様に関連して、第１の態様のいくつかの実装例では、物理共有チャネルのマッピングタイプは第２のタイプであり、付加されたＤＭＲＳによりリソース単位において占有される時間領域位置を決定する段階は、物理共有チャネルによりリソース単位において占有されるシンボルの個数と第２のマッピング関係とに少なくとも基づいて、付加されたＤＭＲＳによりリソース単位において占有される時間領域位置を端末デバイスが決定する段階であって、第２のマッピング関係は、物理共有チャネルによりリソース単位において占有されるシンボルの異なる個数と、付加されたＤＭＲＳによりリソース単位において占有される異なる時間領域位置との間の対応関係を示すのに用いられる、段階を含む。
【００１７】
第２のマッピング関係は、式、表、又は別の方式を用いて実装されてよく、具体的には、シンボルの異なる個数と異なる時間領域位置との間の対応関係を示すのに用いられてよいことを理解されたい。可能性のある一実装例において、第２のマッピング関係はＤＭＲＳ構成情報に含まれる。端末デバイスは、物理共有チャネルのマッピングタイプ、すなわち第２のタイプに基づいて、第２のマッピング関係をＤＭＲＳ構成情報から選択し、物理共有チャネルによりリソース単位において占有されるシンボルの個数を基準にして、付加されたＤＭＲＳによりリソース単位において占有される時間領域位置を第２のマッピング関係から選択してよい。しかしながら、このことは、本願の本実施形態において限定されるものではない。
【００１８】
第１の態様に関連して、第１の態様のいくつかの実装例では、付加されたＤＭＲＳによりリソース単位において占有される時間領域位置を決定する前に、本方法はさらに、ネットワークデバイスにより送信される第２の指示情報を端末デバイスが受信する段階であって、第２の指示情報は付加されたＤＭＲＳの個数を示すのに用いられる、段階と、ネットワークデバイスにより送信される第３の指示情報を端末デバイスが受信する段階であって、第３の指示情報は、第１のＤＭＲＳによりリソース単位において占有されるシンボルの実際の個数を示すのに用いられる、段階とを含み、付加されたＤＭＲＳによりリソース単位において占有される時間領域位置を決定する段階は、物理共有チャネルのマッピングタイプ、付加されたＤＭＲＳの個数、及び第１のＤＭＲＳによりリソース単位において占有されるシンボルの実際の個数に基づいて、また物理共有チャネルによりリソース単位において占有される最後のシンボルの位置インデックス又は物理共有チャネルによりリソース単位において占有されるシンボルの個数を基準にして、付加されたＤＭＲＳによりリソース単位において占有される時間領域位置を端末デバイスが決定する段階を含む。
【００１９】
付加されたＤＭＲＳの個数は０個、１個、２個、又は３個であってよく、第１のＤＭＲＳによりリソース単位において占有されるシンボルの実際の個数は１個でも２個でもよいことを理解されたい。異なる事例では、ネットワークデバイスは、異なるリソースマッピング方式を端末デバイスに設定してよい。したがって、付加されたＤＭＲＳによりリソース単位において占有される時間領域位置と、付加されたＤＭＲＳの個数及び第１のＤＭＲＳによりリソース単位において占有されるシンボルの実際の個数などのパラメータとの間の対応関係も存在する。可能性のある一実装例において、ＤＭＲＳ構成情報は、物理共有チャネルの異なるマッピングタイプと、付加されたＤＭＲＳの異なる個数と、第１のＤＭＲＳによりリソース単位において占有されるシンボルの異なる実際の個数と、異なる時間領域位置との間の対応関係を含んでよい。しかしながら、このことは、本願の本実施形態において限定されるものではない。
【００２０】
第２の指示情報は、無線リソース制御（ｒａｄｉｏ  ｒｅｓｏｕｒｃｅ  ｃｏｎｔｒｏｌ、ＲＲＣ）シグナリングで搬送されてよいことをさらに理解されたい。第３の指示情報は、１つのシグナリングを用いて示されてもよく、複数のシグナリングを用いて一緒に示されてもよい。このことは、本願の本実施形態において限定されるものではない。例えば、ネットワークデバイスは最初に、ＲＲＣシグナリングを用いて、第１のＤＭＲＳによりリソース単位において占有されるシンボルの最大数を端末デバイスに示してよい。シンボルの最大数が１個である場合、第１のＤＭＲＳによりリソース単位において占有されるシンボルの実際の個数は必然的に１個であり、このシンボルの実際の個数をさらに示す必要はない。シンボルの最大数が２個である場合、第１のＤＭＲＳによりリソース単位において占有されるシンボルの実際の個数は１個でも２個でもよく、ネットワークデバイスは、ダウンリンク制御情報（ｄｏｗｎｌｉｎｋ  ｃｏｎｔｒｏｌ  ｉｎｆｏｒｍａｔｉｏｎ、ＤＣＩ）を用いて端末デバイスに、第１のＤＭＲＳによりリソース単位において占有されるシンボルの実際の個数をさらに示す必要がある。
【００２１】
第１の態様の別の実装例では、リソース構成方法が提供される。本リソース構成方法は、復調参照信号ＤＭＲＳ構成情報を受信する段階であって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、段階と、ＤＭＲＳ構成情報を格納する段階とを含む。
【００２２】
ＤＭＲＳ構成情報は、式、表、又は別の方式を用いて実装されてよいことを理解されたい。ネットワークデバイス及び端末デバイスは両方とも、ＤＭＲＳ構成情報を格納し、その後に、ＤＭＲＳ構成情報に基づいてＤＭＲＳの時間領域位置を設定してよい。
【００２３】
第２の態様によれば、別のリソース指示方法が提供される。本リソース指示方法は、ネットワークデバイスが第１の指示情報を決定する段階であって、第１の指示情報は、復調参照信号の物理共有チャネルのマッピングタイプを示すのに用いられ、物理共有チャネルのマッピングタイプは第１のタイプ又は第２のタイプである、段階と、ネットワークデバイスが第１の指示情報を端末デバイスに送信する段階であって、物理共有チャネルによりリソース単位において占有される最後のシンボルの位置インデックスが第１のタイプに対応し、物理共有チャネルによりリソース単位において占有されるシンボルの個数が第２のタイプに対応する、段階とを含む。
【００２４】
第２の態様に関連して、第２の態様のいくつかの実装例では、ＤＭＲＳは第１のＤＭＲＳと付加されたＤＭＲＳとを含み、本方法はさらに、ネットワークデバイスが第２の指示情報を端末デバイスに送信する段階であって、第２の指示情報は付加されたＤＭＲＳの個数を示すのに用いられる、段階と、ネットワークデバイスが第３の指示情報を端末デバイスに送信する段階であって、第３の指示情報は、第１のＤＭＲＳによりリソース単位において占有されるシンボルの実際の個数を示すのに用いられる、段階とを含む。
【００２５】
第２の態様の別の実装例では、リソース構成方法が提供される。本リソース構成方法は、復調参照信号ＤＭＲＳ構成情報を受信する段階であって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、段階と、ＤＭＲＳ構成情報を格納する段階とを含む。
【００２６】
第３の態様によれば、別のリソース指示方法が提供される。本リソース指示方法は、ネットワークデバイスにより送信される第４の指示情報を端末デバイスが受信する段階であって、第４の指示情報は、復調参照信号の物理共有チャネルのマッピングタイプと、物理共有チャネルによりリソース単位において占有されるシンボルの個数とを示すのに用いられ、物理共有チャネルのマッピングタイプは第１のタイプ又は第２のタイプである、段階と、物理共有チャネルのマッピングタイプ、物理共有チャネルによりリソース単位において占有されるシンボルの個数、及びＤＭＲＳのうちの第１のＤＭＲＳによりリソース単位において占有される時間領域位置に基づいて、ＤＭＲＳのうちの付加されたＤＭＲＳによりリソース単位において占有される時間領域位置を端末デバイスが決定する段階とを含む。
【００２７】
本願の本実施形態におけるリソース指示方法によれば、端末デバイスは、ネットワークデバイスにより送信され、物理共有チャネルのマッピングタイプと物理共有チャネルによりリソース単位において占有されるシンボルの個数とを示すのに用いられる指示情報に基づいて、また第１のＤＭＲＳの時間領域位置を基準にして、付加されたＤＭＲＳの時間領域位置を決定し、ＤＭＲＳによりリソース単位において占有される時間領域位置を正確に決定するのに役立てるので、ネットワークデバイスと端末デバイスとの間のデータ伝送のパフォーマンスが向上する。
【００２８】
可能性のある一実装例において、ネットワークデバイス及び端末デバイスは両方とも、ＤＭＲＳ構成情報を格納し、ＤＭＲＳ構成情報は、物理共有チャネルの異なるマッピングタイプにおけるＤＭＲＳの時間領域位置を含む。ネットワークデバイスは、ＤＭＲＳ構成情報に基づいて、ＤＭＲＳの時間領域位置を端末デバイスに設定し、第４の指示情報を用いて端末デバイスに通知する。端末デバイスは、第４の指示情報を受信し、第４の指示情報により示される、物理共有チャネルのマッピングタイプと物理共有チャネルのｄｕｒａｔｉｏｎとに基づいて、また第１のＤＭＲＳの時間領域位置を基準にして、リソース単位におけるＤＭＲＳの時間領域位置を決定する。
【００２９】
第３の態様に関連して、第３の態様のいくつかの実装例では、ＤＭＲＳのうちの付加されたＤＭＲＳによりリソース単位において占有される時間領域位置を決定する前に、本方法はさらに、ネットワークデバイスにより送信される第５の指示情報を端末デバイスが受信する段階であって、第５の指示情報は、第１のＤＭＲＳによりリソース単位において占有される時間領域位置を示すのに用いられる、段階を含む。
【００３０】
第３の態様に関連して、第３の態様のいくつかの実装例では、物理共有チャネルのマッピングタイプは第１のタイプであり、ＤＭＲＳのうちの付加されたＤＭＲＳによりリソース単位において占有される時間領域位置を決定する段階は、物理共有チャネルによりリソース単位において占有されるシンボルの個数、第１のＤＭＲＳによりリソース単位において占有される時間領域位置、及び第３のマッピング関係に基づいて、付加されたＤＭＲＳによりリソース単位において占有される時間領域位置を端末デバイスが決定する段階であって、第３のマッピング関係は、物理共有チャネルによりリソース単位において占有されるシンボルの異なる個数と、第１のＤＭＲＳによりリソース単位において占有される異なる時間領域位置と、付加されたＤＭＲＳによりリソース単位において占有される異なる時間領域位置との間の対応関係を示すのに用いられる、段階を含む。
【００３１】
第３の態様に関連して、第３の態様のいくつかの実装例では、物理共有チャネルのマッピングタイプは第２のタイプであり、ＤＭＲＳのうちの付加されたＤＭＲＳによりリソース単位において占有される時間領域位置を決定する段階は、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を端末デバイスが決定する段階であって、第４のマッピング関係は、物理共有チャネルによりリソース単位において占有されるシンボルの異なる個数と、第１のＤＭＲＳによりリソース単位において占有される異なる時間領域位置と、付加されたＤＭＲＳにより物理共有チャネルにおいて占有される異なる時間領域位置との間の対応関係を示すのに用いられる、段階を含む。
【００３２】
第３の態様に関連して、第３の態様のいくつかの実装例では、ＤＭＲＳのうちの付加されたＤＭＲＳによりリソース単位において占有される時間領域位置を決定する段階の前に、本方法はさらに、ネットワークデバイスにより送信される第６の指示情報を端末デバイスが受信する段階であって、第６の指示情報は付加されたＤＭＲＳの個数を示すのに用いられる、段階と、ネットワークデバイスにより送信される第７の指示情報を端末デバイスが受信する段階であって、第７の指示情報は第１のＤＭＲＳによりリソース単位において占有されるシンボルの実際の個数を示すのに用いられる、段階とを含み、ＤＭＲＳのうちの付加されたＤＭＲＳによりリソース単位において占有される時間領域位置を決定する段階は、物理共有チャネルのマッピングタイプ、物理共有チャネルによりリソース単位において占有されるシンボルの個数、第１のＤＭＲＳによりリソース単位において占有される時間領域位置、付加されたＤＭＲＳの個数、及び第１のＤＭＲＳによりリソース単位において占有されるシンボルの実際の個数に基づいて、付加されたＤＭＲＳによりリソース単位において占有される時間領域位置を端末デバイスが決定する段階を含む。
【００３３】
第３の態様の別の実装例では、リソース構成方法が提供される。本リソース構成方法は、復調参照信号ＤＭＲＳ構成情報を受信する段階であって、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプが第１のタイプ及び第２のタイプを含む、段階と、ＤＭＲＳ構成情報を格納する段階とを含む。
【００３４】
第４の態様によれば、端末デバイスが提供される。端末デバイスは、第１の態様又は第１の態様の可能性のある実装例のうちのいずれか１つによる方法を実行するように構成される。具体的には、端末デバイスは、第１の態様又は第１の態様の可能性のある実装例のうちのいずれか１つによる方法を実行するように構成されたユニットを含む。
【００３５】
第５の態様によれば、ネットワークデバイスが提供される。ネットワークデバイスは、第２の態様又は第２の態様の可能性のある実装例のうちのいずれか１つによる方法を実行するように構成される。具体的には、ネットワークデバイスは、第２の態様又は第２の態様の可能性のある実装例のうちのいずれか１つによる方法を実行するように構成されたユニットを含む。
【００３６】
第６の態様によれば、端末デバイスが提供される。端末デバイスは、第３の態様又は第３の態様の可能性のある実装例のうちのいずれか１つによる方法を実行するように構成される。具体的には、端末デバイスは、第３の態様又は第３の態様の可能性のある実装例のうちのいずれか１つによる方法を実行するように構成されたユニットを含む。
【００３７】
第７の態様によれば、別の端末デバイスが提供される。この端末デバイスは、送受信機と、メモリと、プロセッサとを含む。送受信機、メモリ、及びプロセッサは、内部接続パスを通じて互いに通信する。メモリは、命令を格納するように構成される。プロセッサは、メモリに格納された命令を実行して、信号を受信及び送信するよう送受信機を制御するように構成される。信号を受信するよう受信機を制御し、また信号を送信するよう送信機を制御するように構成される。さらに、メモリに格納された命令をプロセッサが実行する場合、プロセッサは、第１の態様又は第１の態様の可能性のある実装例のうちのいずれか１つによる方法を実行することが可能になる。
【００３８】
第８の態様によれば、別のネットワークデバイスが提供される。このネットワークデバイスは、送受信機と、メモリと、プロセッサとを含む。送受信機、メモリ、及びプロセッサは、内部接続パスを通じて互いに通信する。メモリは、命令を格納するように構成される。プロセッサは、メモリに格納された命令を実行して、信号を受信するよう受信機を制御し、また信号を送信するよう送信機を制御するように構成される。さらに、メモリに格納された命令をプロセッサが実行する場合、プロセッサは、第２の態様又は第２の態様の可能性のある実装例のうちのいずれか１つによる方法を実行することが可能になる。
【００３９】
第９の態様によれば、別の端末デバイスが提供される。この端末デバイスは、送受信機と、メモリと、プロセッサとを含む。送受信機、メモリ、及びプロセッサは、内部接続パスを通じて互いに通信する。メモリは、命令を格納するように構成される。プロセッサは、メモリに格納された命令を実行して、信号を受信するよう受信機を制御し、また信号を送信するよう送信機を制御するように構成される。さらに、メモリに格納された命令をプロセッサが実行する場合、プロセッサは、第３の態様又は第３の態様の可能性のある実装例のうちのいずれか１つによる方法を実行することが可能になる。
【００４０】
第１０の態様によれば、コンピュータプログラム製品が提供される。コンピュータプログラム製品はコンピュータプログラムコードを含み、コンピュータプログラムコードがコンピュータにより起動されると、コンピュータは、第１の態様又は第１の態様の可能性のある実装例のうちのいずれか１つによる方法を実行することが可能になる。
【００４１】
第１１の態様によれば、コンピュータプログラム製品が提供される。コンピュータプログラム製品はコンピュータプログラムコードを含み、コンピュータプログラムコードがコンピュータにより起動されると、コンピュータは、第２の態様又は第２の態様の可能性のある実装例のうちのいずれか１つによる方法を実行することが可能になる。
【００４２】
第１２の態様によれば、コンピュータプログラム製品が提供される。コンピュータプログラム製品はコンピュータプログラムコードを含み、コンピュータプログラムコードがコンピュータにより起動されると、コンピュータは、第３の態様又は第３の態様の可能性のある実装例のうちのいずれか１つによる方法を実行することが可能になる。
【００４３】
第１３の態様によれば、コンピュータ可読媒体が提供される。コンピュータ可読媒体は、コンピュータプログラムを格納するように構成される。コンピュータプログラムは、第１の態様又は第１の態様の可能性のある実装例のうちのいずれか１つによる方法を実行するのに用いられる命令を含む。
【００４４】
第１４の態様によれば、コンピュータ可読媒体が提供される。コンピュータ可読媒体は、コンピュータプログラムを格納するように構成される。コンピュータプログラムは、第２の態様又は第２の態様の可能性のある実装例のうちのいずれか１つによる方法を実行するのに用いられる命令を含む。
【００４５】
第１５の態様によれば、コンピュータ可読媒体が提供される。コンピュータ可読媒体は、コンピュータプログラムを格納するように構成される。コンピュータプログラムは、第３の態様又は第３の態様の可能性のある実装例のうちのいずれか１つによる方法を実行するのに用いられる命令を含む。
【００４６】
第１６の態様によれば、チップが提供される。このチップは、プロセッサを含み、メモリに格納された命令を読み出して、前述の方法のうちのいずれか１つを実行するように構成される。送信及び受信に関連した各段階が、プロセッサにより送受信機を用いて実行されるものと理解されたい。
【図面の簡単な説明】
【００４７】
【図１】本願の一実施形態による通信システムの概略図である。
【００４８】
【図２】本願の一実施形態によるリソース単位の概略図である。
【００４９】
【図３】本願の一実施形態によるリソース指示方法の概略フローチャートである。
【００５０】
【図４】本願の一実施形態による別のリソース指示方法の概略フローチャートである。
【００５１】
【図５】本願の一実施形態によるＤＭＲＳパターンの概略図である。
【００５２】
【図６】本願の一実施形態による別のＤＭＲＳパターンの概略図である。
【００５３】
【図７】本願の一実施形態による別のＤＭＲＳパターンの概略図である。
【００５４】
【図８】本願の一実施形態による別のＤＭＲＳパターンの概略図である。
【００５５】
【図９】本願の一実施形態による端末デバイスの概略ブロック図である。
【００５６】
【図１０】本願の一実施形態によるネットワークデバイスの概略ブロック図である。
【００５７】
【図１１】本願の一実施形態による別の端末デバイスの概略ブロック図である。
【００５８】
【図１２】本願の一実施形態による別の端末デバイスの概略ブロック図である。
【００５９】
【図１３】本願の一実施形態による別のネットワークデバイスの概略ブロック図である。
【００６０】
【図１４】本願の一実施形態による別の端末デバイスの概略ブロック図である。
【発明を実施するための形態】
【００６１】
以下では、添付図面を参照して本願の技術的解決手段を説明する。
【００６２】
本願の実施形態における技術的解決手段は、様々な通信システム、例えば、移動通信用グローバルシステム（ｇｌｏｂａｌ  ｓｙｓｔｅｍ  ｏｆ  ｍｏｂｉｌｅ  ｃｏｍｍｕｎｉｃａｔｉｏｎ、ＧＳＭ（登録商標））システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割多重（ｔｉｍｅ  ｄｉｖｉｓｉｏｎ  ｄｕｐｌｅｘ、ＴＤＤ）、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）システム、ワールドワイドインターオペラビリティフォーマイクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、将来の第５世代（５ｔｈ  ｇｅｎｅｒａｔｉｏｎ、５Ｇ）システム、又は新たな無線（ｎｅｗ  ｒａｄｉｏ、ＮＲ）などに適用されてよいことを理解されたい。
【００６３】
本願の実施形態の技術的解決手段はさらに、非直交多元接続技術、例えば、スパースコード多元接続（ｓｐａｒｓｅ  ｃｏｄｅ  ｍｕｌｔｉｐｌｅ  ａｃｃｅｓｓ、ＳＣＭＡ）システムに基づく、様々な通信システムに適用されてよいことをさらに理解されたい。もちろん、ＳＣＭＡは、通信分野では別の名前でも呼ばれることがある。さらに、本願の実施形態における技術的解決手段は、非直交多元接続技術を用いるマルチキャリア伝送システム、例えば、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）、フィルタバンクマルチキャリア（ｆｉｌｔｅｒ  ｂａｎｋ  ｍｕｌｔｉ−ｃａｒｒｉｅｒ、ＦＢＭＣ）、一般化された周波数分割多重化（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ、ＧＦＤＭ）、及びフィルタリング直交周波数分割多重化（ｆｉｌｔｅｒｅｄ−ＯＦＤＭ、Ｆ−ＯＦＤＭ）の非直交多元接続技術を用いるシステムに適用されてよい。
【００６４】
本願の実施形態における端末デバイスが、無線アクセスネットワーク（ｒａｄｉｏ  ａｃｃｅｓｓ  ｎｅｔｗｏｒｋ、ＲＡＮ）を用いて１つ又は複数のコアネットワークと通信してよく、端末デバイスは、アクセス端末、ユーザ機器（ｕｓｅｒ  ｅｑｕｉｐｍｅｎｔ、ＵＥ）、加入者ユニット、加入者局、移動局、モバイルコンソール、遠隔局、遠隔端末、モバイルデバイス、ユーザ端末、端末、無線通信デバイス、ユーザエージェント、又はユーザ装置と呼ばれることがあることも理解されたい。アクセス端末は、携帯電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、携帯情報端末（ｐｅｒｓｏｎａｌ  ｄｉｇｉｔａｌ  ａｓｓｉｓｔａｎｔ、ＰＤＡ）、無線通信機能を有するハンドヘルドデバイス、コンピューティングデバイス、無線モデムに接続された別の処理デバイス、車載デバイス、ウェアラブルデバイス、将来の５Ｇネットワークにおける端末デバイス、又は将来の進化型公衆陸上移動体ネットワーク（ｐｕｂｌｉｃ  ｌａｎｄ  ｍｏｂｉｌｅ  ｎｅｔｗｏｒｋ、ＰＬＭＮ）における端末デバイスなどであってもよい。
【００６５】
本願の実施形態では、ネットワークデバイスが端末デバイスと通信するように構成されてよいことをさらに理解されたい。ネットワークデバイスは、ＧＳＭ（登録商標）システム又はＣＤＭＡシステムのベーストランシーバ基地局（ｂａｓｅ  ｔｒａｎｓｃｅｉｖｅｒ  ｓｔａｔｉｏｎ、ＢＴＳ）であってもよく、ＷＣＤＭＡ（登録商標）システムのＮｏｄｅＢ（ｎｏｄｅ  Ｂ、ＮＢ）であってもよく、ＬＴＥシステムの進化型ＮｏｄｅＢ（ｅｖｏｌｕｔｉｏｎａｌ  ｎｏｄｅ  Ｂ、ｅＮＢ、又はｅＮｏｄｅ  Ｂ）であってもよい。あるいは、ネットワークデバイスは、中継局、アクセスポイント、車載デバイス、ウェアラブルデバイス、将来の５Ｇネットワークのネットワーク側デバイス、又は将来の進化型ＰＬＭＮネットワークのネットワークデバイスであってもよい。
【００６６】
本願の実施形態は、ＬＴＥシステム、及び５Ｇなどの次の進化型システム、又は様々な無線アクセス技術を用いる他の無線通信システム、例えば、符号分割多元接続、周波数分割多元接続、時分割多元接続、直交周波数分割多元接続、シングルキャリア周波数分割多元接続などのアクセス技術を用いるシステムに適用されてよく、またチャネル情報フィードバックが必要とされる且つ／又は第２レベルのプリコーディング技術が適用されるシナリオ、例えば、ｍａｓｓｉｖｅ  ＭＩＭＯ技術を適用する無線ネットワーク及び分散アンテナ技術を適用する無線ネットワークに特に適用可能である。
【００６７】
多入力多出力（ｍｕｌｔｉｐｌｅ−ｉｎｐｕｔ  ｍｕｌｔｉｐｌｅ−ｏｕｔｐｕｔ、ＭＩＭＯ）技術とは、複数の送信アンテナ及び複数の受信アンテナがそれぞれ、送信側デバイス及び受信側デバイスに用いられることを意味するので、信号が送信側デバイスの複数のアンテナ及び受信側デバイスの複数のアンテナを用いて送受信され、それにより、通信品質が向上することを理解されたい。多入力多出力技術によれば、空間リソースが十分に用いられ得、多入力多出力が複数のアンテナを用いて実装される結果、スペクトルリソース及びアンテナ伝送電力を増やすことなく、システムのチャネル容量が倍増し得る。
【００６８】
ＭＩＭＯは、シングルユーザ多入力多出力（ｓｉｎｇｌｅ−ｕｓｅｒ  ＭＩＭＯ、ＳＵ−ＭＩＭＯ）とマルチユーザ多入力多出力（ｍｕｌｔｉ−ｕｓｅｒ  ＭＩＭＯ、ＭＵ−ＭＩＭＯ）とに分類されてよい。ｍａｓｓｉｖｅ  ＭＩＭＯの場合、数百のアンテナが、マルチユーザビームフォーミング原理に従って送信側デバイスに配置され、それぞれのビームが対象となる数十の受信機に向けて変調され、同時に数十の信号が同じ周波数リソースで空間信号分離によって伝送される。したがって、ｍａｓｓｉｖｅ  ＭＩＭＯ技術によれば、スケーリングされたアンテナ構成によりもたらされる空間自由度が十分に用いられ得るので、スペクトル効率が向上する。
【００６９】
図１は、本願の一実施形態において用いられる通信システムの概略図である。図１に示すように、通信システム１００はネットワークデバイス１０２を含み、ネットワークデバイス１０２は複数のアンテナ群を含んでよい。各アンテナ群は、１つ又は複数のアンテナを含んでよい。例えば、１つのアンテナ群がアンテナ１０４及び１０６を含んでよく、別のアンテナ群がアンテナ１０８及び１１０を含んでよく、更なるアンテナ群がアンテナ１１２及び１１４を含んでよい。図１には、アンテナ群ごとに２つのアンテナが示されている。しかしながら、より多くの又はより少ないアンテナが、アンテナ群ごとに用いられてよい。ネットワークデバイス１０２はさらに、送信機チェーン及び受信機チェーンを含んでよい。当業者であれば、送信機チェーン及び受信機チェーンは両方とも、信号送信及び信号受信に関連した複数の構成要素、例えば、プロセッサ、変調器、マルチプレクサ、復調器、デマルチプレクサ、又はアンテナを含んでよいことを理解するであろう。
【００７０】
ネットワークデバイス１０２は、複数の端末デバイスと通信してよい。例えば、ネットワークデバイス１０２は、端末デバイス１１６及び端末デバイス１２２と通信してよい。しかしながら、ネットワークデバイス１０２は、端末デバイス１１６又は１２２と類似した任意の数の端末デバイスと通信してよいことが理解されるであろう。端末デバイス１１６及び１２２は、例えば携帯電話、スマートフォン、ポータブルコンピュータ、ハンドヘルド通信デバイス、ハンドヘルドコンピューティングデバイス、衛星無線装置、全地球測位システム、ＰＤＡ、及び／又は無線通信システム１００において通信に用いられる他の任意の好適なデバイスであってよい。
【００７１】
図１に示すように、端末デバイス１１６はアンテナ１１２及び１１４と通信する。アンテナ１１２及び１１４は、順方向リンク１１８を用いて情報を端末デバイス１１６に送信し、逆方向リンク１２０を用いて端末デバイス１１６から情報を受信する。さらに、端末デバイス１２２はアンテナ１０４及び１０６と通信する。アンテナ１０４及び１０６は、順方向リンク１２４を用いて情報を端末デバイス１２２に送信し、逆方向リンク１２６を用いて端末デバイス１２２から情報を受信する。
【００７２】
例えば、周波数分割複信ＦＤＤシステムでは、順方向リンク１１８は、逆方向リンク１２０で用いられる周波数帯域とは異なる周波数帯域を用いてよく、順方向リンク１２４は、逆方向リンク１２６で用いられる周波数帯域とは異なる周波数帯域を用いてよい。
【００７３】
別の例の場合、時分割多重ＴＤＤシステム及び全二重（ｆｕｌｌ  ｄｕｐｌｅｘ）システムでは、順方向リンク１１８及び逆方向リンク１２０は同じ周波数帯を用いてよく、順方向リンク１２４及び逆方向リンク１２６は同じ周波数帯を用いてよい。
【００７４】
これらのアンテナの各群及び／又は通信用に設計された領域が、ネットワークデバイス１０２のセクタと呼ばれる。例えば、アンテナ群が、ネットワークデバイス１０２のカバレッジ内のセクタにある端末デバイスと通信するように設計されてよい。ネットワークデバイス１０２が端末デバイス１１６及び１２２と順方向リンク１１８及び１２４をそれぞれ用いて通信する過程において、ネットワークデバイス１０２の送信アンテナが、ビームフォーミングによって順方向リンク１１８及び１２４の信号対雑音比を向上させ得る。さらに、ネットワークデバイスによりサービスを提供される全ての端末デバイスにネットワークデバイスが単一のアンテナを用いて信号を送信する方式と比較すると、関連したカバレッジ内にランダムに分散している端末デバイス１１６及び１２２にネットワークデバイス１０２がビームフォーミングによって信号を送信する場合、隣接したセル内のモバイルデバイスに干渉が生じにくい。
【００７５】
所与の時間において、ネットワークデバイス１０２及び端末デバイス１１６又は端末デバイス１２２は、無線通信用の送信装置及び／又は無線通信用の受信装置であってよい。無線通信用の送信装置は、データを送信するときに、伝送用のデータを符号化し得る。具体的には、無線通信用の送信装置は、チャネルを介して無線通信用の受信装置に送信される特定数のデータビットを取得してよい。例えば、無線通信用の送信装置は、チャネルを介して無線通信用の受信装置に送信される特定数のデータビットを生成しても、別の通信装置から受信しても、メモリに格納してもよい。そのようなデータビットは、データのトランスポートブロック又は複数のトランスポートブロックに含まれてよく、トランスポートブロックは、複数のコードブロックを生成するためにセグメント化されてよい。
【００７６】
さらに、通信システム１００は、公衆陸上移動体ネットワークＰＬＭＮネットワーク、デバイス間（ｄｅｖｉｃｅ  ｔｏ  ｄｅｖｉｃｅ、Ｄ２Ｄ）ネットワーク、マシン間（ｍａｃｈｉｎｅ  ｔｏ  ｍａｃｈｉｎｅ、Ｍ２Ｍ）ネットワーク、又は別のネットワークであってもよい。図１は、理解しやすくするために一例として用いられる、単に簡略化した概略図にすぎない。ネットワークはさらに、図１に示されていない別のネットワークデバイスを含んでよい。
【００７７】
理解しやすくするために、最初に本明細書内の関連用語が簡潔に説明される。
【００７８】
リソース単位（ｒｅｓｏｕｒｃｅ  ｕｎｉｔ）：ＬＴＥ規格ではＲＢ及びＲＢペア（ＲＢ  ｐａｉｒ）と同様である。リソース単位は、基本単位としてスケジューリング端末によりリソース割り当てに用いられてもよく、複数の参照信号の配置方式を説明するのに用いられてもよい。
【００７９】
リソース単位は、周波数領域に連続した複数のサブキャリアと、時間領域に１つの時間間隔（ｔｉｍｅ  ｉｎｔｅｒｖａｌ、ＴＩ）とを含んでよい。異なるスケジューリングプロセスでは、リソース単位は同じサイズであっても、異なるサイズであってもよい。本明細書でのＴＩは、ＬＴＥシステムの伝送時間間隔（ｔｒａｎｓｍｉｓｓｉｏｎ  ｔｉｍｅ  ｉｎｔｅｒｖａｌ、ＴＴＩ）、シンボルレベルの短ＴＴＩ、高周波数システムにおける大きいサブキャリア間隔の短ＴＴＩ、又は５Ｇシステムのｓｌｏｔ若しくはミニスロット（ｍｉｎｉ−ｓｌｏｔ）などであってもよい。このことは、本願において限定されるものではない。
【００８０】
任意選択で、１つのリソース単位が１つ若しくは複数のＲＢ又は１つ若しくは複数のＲＢペアなどを含んでもよく、ＲＢの半分などであってもよい。さらに、リソース単位は、代替的に別の時間周波数リソースであってもよい。このことは、本願において限定されるものではない。１つのＲＢペアは、１２個の連続したサブキャリアを周波数領域に、また１つのサブフレームを時間領域に含む。図２に示すように、周波数領域に１個のサブキャリアを、また時間領域に１個のシンボルを含む時間周波数リソースが、１個のリソースエレメント（ｒｅｓｏｕｒｃｅ  ｅｌｅｍｅｎｔ、ＲＥ）である。図２のＲＢペアは、周波数領域に１２個の連続したサブキャリア（０〜１１まで番号を付けられている）と、時間領域に１４個のシンボル（０〜１３まで番号を付けられている）とを含む。図２では、水平座標が時間領域を示し、鉛直座標が周波数領域を示す。本願における「含む（ｉｎｃｌｕｄｅ）」は、時間領域リソースについての添付図面が、図２に示すＲＢペアの一例に基づいて全て説明されることを示すことに留意されたい。当業者であれば、特定の実装例において、本願が特定の実装例に限定されるものではないことを理解するであろう。
【００８１】
本願における「シンボル」は、限定されるものではないが、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル、汎用のフィルタリングマルチキャリア（ｕｎｉｖｅｒｓａｌ  ｆｉｌｔｅｒｅｄ  ｍｕｌｔｉ−ｃａｒｒｉｅｒ、ＵＦＭＣ）信号、フィルタバンクマルチキャリア（ｆｉｌｔｅｒ−ｂａｎｄ  ｍｕｌｔｉ−ｃａｒｒｉｅｒ、ＦＢＭＣ）シンボル、及び一般化された周波数分割多重化（ｇｅｎｅｒａｌｉｚｅｄ  ｆｒｅｑｕｅｎｃｙ−ｄｉｖｉｓｉｏｎ  ｍｕｌｔｉｐｌｅｘｉｎｇ、ＧＦＤＭ）シンボルなどのうちのいずれか１つを含んでよいことを理解されたい。
【００８２】
ＤＭＲＳコンポーネントパターン：時間領域の１つのリソース単位において特定数の連続するシンボルに対して最大数のポートをサポートできるＤＭＲＳパターン。ＤＭＲＳコンポーネントパターンの特定のシンボル位置が、本明細書において限定されるものではないことに留意されたい。例えば、ＤＭＲＳコンポーネントパターンは、前方に配置されてもよく、後方に配置されてもよい。ＤＭＲＳコンポーネントパターンの特定数のシンボルも、限定されることはない。例えば、ＤＭＲＳコンポーネントパターンは、時間領域において１個のシンボルを占有してもよく、時間領域において２個のシンボルを占有してもよい。さらに、ＤＭＲＳコンポーネントパターンにおけるポート多重化方式は、限定されることはない。
【００８３】
ＤＭＲＳパターン：１つのリソース単位におけるＤＭＲＳの時間周波数マッピングリソースを含む。ＤＭＲＳパターンは、少なくとも１つのＤＭＲＳコンポーネントパターンを含む。例えば、１つのＤＭＲＳパターンが、１つのＤＭＲＳコンポーネントパターンのみを含んでもよく、複数の同じＤＭＲＳコンポーネントパターンを含んでもよく、複数の異なるＤＭＲＳコンポーネントパターンを含んでもよい。このことは、本願の実施形態において限定されるものではない。
【００８４】
ＤＭＲＳコンポーネントパターンは、リソース単位におけるＤＭＲＳコンポーネントパターンの時間領域位置に基づいて、以下の２つの異なるタイプに分類されてよい。
【００８５】
１．前置ＤＲＭＳ（ｆｒｏｎｔ−ｌｏａｄｅｄ  ＤＭＲＳ）とも呼ばれる第１のＤＭＲＳ（ｆｉｒｓｔ  ＤＭＲＳ）：リソース単位において少なくとも１つの連続するシンボルを占有する。少なくとも１つのシンボル内の第１のシンボルの位置インデックスが、ＤＭＲＳパターンによりリソース単位において占有されるシンボルインデックスの最小値である。
【００８６】
２．付加されたＤＭＲＳ（ａｄｄｉｔｉｏｎａｌ  ＤＭＲＳ）：第１のＤＭＲＳによりリソース単位において占有されるシンボルの後の、少なくとも１つのシンボルを占有する。第１のＤＭＲＳにより占有される少なくとも１つのシンボルのうちの最後のシンボルは、付加されたＤＭＲＳにより占有される少なくとも１つのシンボルのうちの第１のシンボルに連続していない。言い換えれば、データ伝送に用いられるシンボルが、付加されたＤＭＲＳと第１のＤＭＲＳとの間に存在する。
【００８７】
理解しやすくするために、最初にいくつかのポイントが以下に説明される。
【００８８】
第１に、本願では、説明しやすくするために、時間領域の１つのリソース単位に含まれるシンボルが、０から開始して連続的に番号を付けられ、周波数領域の１つのリソース単位に含まれるサブキャリアが、０から開始して連続的に番号を付けられる。例えば、１つのリソース単位が１つのＲＢペアである一例を用いると、ＲＢペアは、時間領域にシンボル０〜１３を含んでよく、また周波数領域にサブキャリア０〜１１を含んでよい。もちろん、特定の実装例において、本願は特定の実装例に限定されることはない。例えば、１つのリソース単位は、時間領域にシンボル１〜１４を含んでよく、また周波数領域にサブキャリア１〜１２を含んでよい。前述の説明は、本願の範囲を限定する代わりに、本願の実施形態において提供される技術的解決手段を説明しやすくするために設けられていることに留意されたい。
【００８９】
第２に、ＤＭＲＳはリソース単位における少なくとも１つのシンボルにマッピングされてよい。任意選択で、少なくとも１つのシンボルは、リソース単位における前方シンボルでも後方シンボルでもよい。前方シンボルは、リソース単位の前方位置にあるシンボルであり、例えば、図２において７の番号を付けられたシンボル（すなわち、７番目のシンボル）の前のシンボル又は７番目のシンボルに対応してよい。前方シンボルが具体的にどのシンボルとして規定されるかについては、これが本願において限定されることはない。あるいは、少なくとも１つのシンボルが後方シンボルかもしれない。後方シンボルは、図２において７の番号を付けられたシンボルの後のシンボルである。後方シンボルが具体的にどのシンボルとして規定されるかについては、これが本願において限定されることはない。実際の実装において、ＤＭＲＳが複数のシンボルにマッピングされる場合、複数のシンボルは同じタイプのシンボルでもよく、異なるタイプのシンボルでもよいことが理解されるであろう。このタイプは、前方シンボル及び後方シンボルを含む。例えば、複数のシンボルが全て前方シンボルである、又は複数のシンボルの一部が前方シンボルであり、その他のシンボルが後方シンボルである。
【００９０】
さらに、本願の本実施形態において、ＤＭＲＳが複数のシンボルにマッピングされる場合、複数のシンボルは連続的であってもよく、離散的であってもよい。言い換えれば、複数のシンボルは隣接したシンボルであってもよく、隣接していないシンボルであってもよい。本願では、一部又は全てのＤＭＲＳが前方シンボルにマッピングされてよいことが理解されるであろう。このように、受信デバイスがＤＭＲＳの受信をより迅速に完了してデータ復調を開始し、ＮＲにおける迅速なデータ復調の要件を満たすことができる。
【００９１】
第３に、ＤＭＲＳと時間領域リソースとの間のマッピングルールがいくつか、本願において概略的に説明されており、具体的にはＤＭＲＳパターン（ｐａｔｔｅｒｎ）を用いて示され得る。特定の実装プロセスにおいて、前述のマッピングルールは、式、表、又は別の方式を用いて実装されてもよい。特定の実装プロセスにおいて、端末デバイスは、ネットワークデバイスと合意したルール又はＤＭＲＳに対応する時間周波数リソースを示すのに用いられる情報に従って、ＤＭＲＳに対応する時間周波数リソースを認識してよい。例えば、ネットワークデバイスは、無線リソース制御（ｒａｄｉｏ  ｒｅｓｏｕｒｃｅ  ｃｏｎｔｒｏｌ、ＲＲＣ）シグナリングを用いて端末デバイスに、前方シンボルに位置するＤＭＲＳのパターンを設定してよく、さらに、ダウンリンク制御情報（ｄｏｗｎｌｉｎｋ  ｃｏｎｔｒｏｌ  ｉｎｆｏｒｍａｔｉｏｎ、ＤＣＩ）を用いて、後方シンボルに位置するＤＭＲＳの位置を設定してよい。ネットワークデバイスはさらに、指示情報を用いてＤＭＲＳの個数を示してよく、端末デバイスは、ＤＭＲＳの個数に対応するＤＭＲＳパターンを選択する。さらに、ネットワークデバイスは代替的に、ＲＲＣシグナリングを用いてＤＭＲＳパターンを直接的に設定してもよい。このことは、本願において限定されるものではない。端末デバイスがＤＭＲＳを時間周波数リソースから取得する方法は、先行技術の方法を用いて実装されてよい。
【００９２】
可能性のある一実装例において、物理共有チャネルのマッピングタイプが第１のタイプ及び第２のタイプを含んでよく、それぞれＰＤＳＣＨ（又はＰＵＳＣＨ）ｍａｐｐｉｎｇ  ｔｙｐｅ  Ａ及びＰＤＳＣＨ（又はＰＵＳＣＨ）ｍａｐｐｉｎｇ  ｔｙｐｅ  Ｂと呼ばれる。ｍａｐｐｉｎｇ  ｔｙｐｅ  Ａ及びｍａｐｐｉｎｇ  ｔｙｐｅ  Ｂは、異なるリソースマッピング方式に対応する。
【００９３】
ｍａｐｐｉｎｇ  ｔｙｐｅ  Ａでは、ＤＭＲＳの時間領域位置がスロットの開始位置に対して規定され、また第１のＤＭＲＳシンボルの位置ｌ０（すなわち、ｆｒｏｎｔ−ｌｏａｄｅｄ  ＤＭＲＳの第１のシンボル位置）がスロット内の３番目のシンボル又は４番目のシンボルとして、言い換えればｌ０＝２又は３として設定されてよい。
【００９４】
ｍａｐｐｉｎｇ  ｔｙｐｅ  Ｂでは、ＤＭＲＳの時間領域位置が、スケジューリングされたＰＵＳＣＨ又はＰＤＳＣＨのリソースの開始位置に対して決定され、また第１のＤＭＲＳシンボルの位置ｌ０（すなわち、ｆｒｏｎｔ−ｌｏａｄｅｄ  ＤＭＲＳの第１のシンボル位置）が、スケジューリングされたＰＵＳＣＨ又はＰＤＳＣＨの第１のシンボル、言い換えればｌ０＝０である。
【００９５】
本願において提供される技術的解決手段は、シングルキャリア伝送シナリオ若しくはマルチキャリア伝送シナリオに適用されてよく、又はアップリンク伝送シナリオ若しくはダウンリンク伝送シナリオに適用されてよいことを理解されたい。さらに、本願において提供される技術的解決手段は、ブロードキャスト／マルチキャスト物理ダウンリンク共有チャネル（ｂｒｏａｄｃａｓｔ／ｍｕｌｔｉｃａｓｔ  ｐｈｙｓｉｃａｌ  ｄｏｗｎｌｉｎｋ  ｓｈａｒｅｄ  ｃｈａｎｎｅｌ、ｂｒｏａｄｃａｓｔ／ｍｕｌｔｉｃａｓｔ  ＰＤＳＣＨ）、又は物理ブロードキャストチャネル（ｐｈｙｓｉｃａｌ  ｂｒｏａｄｃａｓｔ  ｃｈａｎｎｅｌ、ＰＢＣＨ）などに適用されてよい。このことは、本願の実施形態において限定されるものではない。
【００９６】
図３は、本願の一実施形態によるリソース指示方法３００の概略フローチャートである。方法３００は、図１に示す通信システム１００に適用されてよいが、本願の本実施形態が通信システム１００に限定されることはない。
【００９７】
Ｓ３１０：ネットワークデバイスが第１の指示情報を決定する。第１の指示情報は、復調参照信号の物理共有チャネルのマッピングタイプを示すのに用いられ、物理共有チャネルのマッピングタイプは第１のタイプ又は第２のタイプである。
【００９８】
Ｓ３２０：ネットワークデバイスは第１の指示情報を端末デバイスに送信し、それに対応して、端末デバイスは、ネットワークデバイスにより送信される第１の指示情報を受信する。
【００９９】
Ｓ３３０：端末デバイスは、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、ＤＭＲＳによりリソース単位において占有される時間領域位置を決定する。
【０１００】
物理共有チャネルによりリソース単位において占有される最後のシンボルの位置インデックスは、第１のタイプに対応し、物理共有チャネルによりリソース単位において占有されるシンボルの個数は、第２のタイプに対応する。
【０１０１】
具体的には、ネットワークデバイスは最初に、物理共有チャネルのマッピングタイプを示すのに用いられる第１の指示情報を端末デバイスに送信してよい。端末デバイスは第１の指示情報を受信し、第１の指示情報に基づいて、物理共有チャネルの、ネットワークデバイスにより端末デバイスに設定されるマッピングタイプが、第１のタイプであるのか又は第２のタイプであるのかを判定してよい。物理共有チャネルのマッピングタイプが第１のタイプである場合、端末デバイスは、物理共有チャネルによりリソース単位において占有される最後のシンボルの位置インデックスを基準にして、ＤＭＲＳによりリソース単位において占有される時間領域位置を決定してよい。物理共有チャネルのマッピングタイプが第２のタイプである場合、端末デバイスは、物理共有チャネルによりリソース単位において占有されるシンボルの個数を基準にして、ＤＭＲＳによりリソース単位において占有される時間領域位置を決定してよい。任意選択で、第１の指示情報は、ダウンリンク制御情報（ｄｏｗｎｌｉｎｋ  ｃｏｎｔｒｏｌ  ｉｎｆｏｒｍａｔｉｏｎ、ＤＣＩ）で搬送されてよい。
【０１０２】
第１のタイプは、物理共有チャネルによりリソース単位において占有される最後のシンボルの位置インデックスに対応し、第２のタイプは、物理共有チャネルによりリソース単位において占有されるシンボルの個数に対応することを理解されたい。この対応関係は、プロトコルに予め規定されてもよく、ネットワークデバイスによりシグナリングを用いて端末デバイスに設定されてもよい。このことは、本願の本実施形態において限定されるものではない。
【０１０３】
可能性のある一実装例において、ネットワークデバイス及び端末デバイスは両方とも、ＤＭＲＳ構成情報を格納し、ＤＭＲＳ構成情報は、物理共有チャネルの異なるマッピングタイプにおけるＤＭＲＳの異なる時間領域位置を含む。ネットワークデバイスは、ＤＭＲＳ構成情報に基づいて、ＤＭＲＳの時間領域位置を端末デバイスに設定し、第１の指示情報を用いて端末デバイスに通知する。端末デバイスは、第１の指示情報を受信し、物理共有チャネルの、第１の指示情報により示されるマッピングタイプに基づいて、物理共有チャネルのマッピングタイプに対応する情報をＤＭＲＳ構成情報から選択し、物理共有チャネルのマッピングタイプに対応するパラメータを基準にして、リソース単位におけるＤＭＲＳの時間領域位置を決定する。
【０１０４】
ＤＭＲＳは、アップリンクＤＭＲＳとダウンリンクＤＭＲＳとに分類されてよく、物理共有チャネルは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）と物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）とを含んでよい。それに対応して、物理共有チャネルによりリソース単位において占有される最後のシンボルの位置インデックスは、ｔｈｅ  ｌａｓｔ  ｓｙｍｂｏｌ  ｏｆ  ＰＵＳＣＨ、ｔｈｅ  ｌａｓｔ  ｓｙｍｂｏｌ  ｏｆ  ＰＤＳＣＨ、ｔｈｅ  ｌａｓｔ  ｓｙｍｂｏｌ  ｕｓｅｄ  ｆｏｒ  ＰＤＳＣＨ、又はｔｈｅ  ｌａｓｔ  ｓｙｍｂｏｌ  ｕｓｅｄ  ｆｏｒ  ＰＵＳＣＨ  ｉｎ  ｔｈｅ  ｓｌｏｔとも呼ばれることがある。物理共有チャネルによりリソース単位において占有されるシンボルの個数は、ＰＵＳＣＨ  ｄｕｒａｔｉｏｎ  ｉｎ  ｓｙｍｂｏｌｓ、ＰＤＳＣＨ  ｄｕｒａｔｉｏｎ  ｉｎ  ｓｙｍｂｏｌｓ、ｔｈｅ  ｄｕｒａｔｉｏｎ  ｏｆ  ｔｈｅ  ＰＵＳＣＨ  ｔｒａｎｓｍｉｓｓｉｏｎ  ｉｎ  ｓｙｍｂｏｌｓ、又はｔｈｅ  ｄｕｒａｔｉｏｎ  ｏｆ  ｔｈｅ  ＰＤＳＣＨ  ｔｒａｎｓｍｉｓｓｉｏｎ  ｉｎ  ｓｙｍｂｏｌｓとも呼ばれることがある。ＤＭＲＳがアップリンクＤＭＲＳであるならば、物理共有チャネルのマッピングタイプが第１のタイプである場合、端末デバイスはｔｈｅ  ｌａｓｔ  ｓｙｍｂｏｌ  ｏｆ  ＰＵＳＣＨを用いてよく、又は物理共有チャネルのマッピングタイプが第２のタイプである場合、端末デバイスはＰＵＳＣＨ  ｄｕｒａｔｉｏｎ  ｉｎ  ｓｙｍｂｏｌｓを用いてよい。ＤＭＲＳがダウンリンクＤＭＲＳであるならば、物理共有チャネルのマッピングタイプが第１のタイプである場合、端末デバイスはｔｈｅ  ｌａｓｔ  ｓｙｍｂｏｌ  ｏｆ  ＰＤＳＣＨを用いてよく、又は物理共有チャネルのマッピングタイプが第２のタイプである場合、端末デバイスはＰＤＳＣＨ  ｄｕｒａｔｉｏｎ  ｉｎ  ｓｙｍｂｏｌｓを用いてよい。
【０１０５】
本願の本実施形態のリソース指示方法によれば、物理共有チャネルの異なるマッピングタイプが異なるパラメータに対応するように設定され、ネットワークデバイスは、物理共有チャネルのマッピングタイプを示すのに用いられる指示情報を端末デバイスに送信するので、端末デバイスは、物理共有チャネルのマッピングタイプに基づいて、対応するパラメータを選択し、ＤＭＲＳによりリソース単位において占有される時間領域位置を端末デバイスが正確に決定するのに役立てることができ、これにより、ネットワークデバイスと端末デバイスとの間のデータ伝送のパフォーマンスを向上させることができる。
【０１０６】
任意の一実施形態において、ＤＭＲＳは第１のＤＭＲＳ及び付加されたＤＭＲＳを含み、ＤＭＲＳによりリソース単位において占有される時間領域位置を決定する段階は、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、付加されたＤＭＲＳによりリソース単位において占有される時間領域位置を端末デバイスが決定する段階を含む。
【０１０７】
具体的には、ＤＭＲＳは、第１のＤＭＲＳ（すなわち、ｆｒｏｎｔ−ｌｏａｄｅｄ  ＤＭＲＳ）と付加されたＤＭＲＳ（すなわち、ａｄｄｉｔｉｏｎａｌ  ＤＭＲＳ）とを含んでよい。第１のＤＭＲＳの時間領域位置が、付加されたＤＭＲＳの時間領域位置から分離され、第１のＤＭＲＳの時間領域位置と付加されたＤＭＲＳの時間領域位置との間には対応関係がない。第１のＤＭＲＳの時間領域位置は、プロトコルに予め規定されてもよく、ネットワークデバイスによりシグナリングを用いて端末デバイスに設定されてもよい。このことは、本願の本実施形態において限定されるものではない。したがって、本願の本実施形態では、端末デバイスは、物理共有チャネルのマッピングタイプに基づいて、また物理共有チャネルのマッピングタイプに対応するパラメータ（物理共有チャネルによりリソース単位において占有される最後のシンボルの位置インデックス、又は物理共有チャネルによりリソース単位において占有されるシンボルの個数）を基準にして、付加されたＤＭＲＳの時間領域位置を決定するだけでよい。付加されたＤＭＲＳの時間領域位置が決定された後に、端末デバイスは、第１のＤＭＲＳの時間領域位置と付加されたＤＭＲＳの時間領域位置とを基準にして、ＤＭＲＳの時間領域位置を決定してよい。
【０１０８】
任意の一実施形態において、物理共有チャネルのマッピングタイプは第１のタイプであり、付加されたＤＭＲＳによりリソース単位において占有される時間領域位置を決定する段階は、物理共有チャネルによりリソース単位において占有される最後のシンボルの位置インデックスと第１のマッピング関係とに少なくとも基づいて、付加されたＤＭＲＳによりリソース単位において占有される時間領域位置を端末デバイスが決定する段階であって、第１のマッピング関係は、リソース単位における物理共有チャネルの最後のシンボルの異なる位置インデックスと付加されたＤＭＲＳによりリソース単位において占有される異なる時間領域位置との間の対応関係を示すのに用いられる、段階を含む。
【０１０９】
具体的には、物理共有チャネルのマッピングタイプが第１のタイプである場合、第１のタイプに対応するパラメータが、物理共有チャネルによりリソース単位において占有される最後のシンボルの位置インデックスであるため、端末デバイスは、物理共有チャネルによりリソース単位において占有される最後のシンボルの位置インデックスと第１のマッピング関係とに基づいて、付加されたＤＭＲＳによりリソース単位において占有される時間領域位置を決定してよい。
【０１１０】
本明細書では、異なる付加されたＤＭＲＳは、付加されたＤＭＲＳの異なる個数を示すのに用いられてもよく（例えば、付加されたＤＭＲＳの個数は０個、１個、２個、又は３個である）、シンボルの異なる実際の個数を有するＤＭＲＳを示すのに用いられてもよく（例えば、ＤＭＲＳのシンボルの実際の個数は１個のシンボル又は２個のシンボルである）、異なる位置の付加されたＤＭＲＳを示すのに用いられてもよいことを理解されたい。このことは、本願の本実施形態において限定されるものではない。
【０１１１】
第１のマッピング関係は、式、表、又は別の方式を用いて実装されてよく、具体的には、異なる位置インデックスと異なる時間領域位置との間の対応関係を示すのに用いられてよいことをさらに理解されたい。可能性のある一実装例において、第１のマッピング関係はＤＭＲＳ構成情報に含まれる。端末デバイスは、物理共有チャネルのマッピングタイプ、すなわち第１のタイプに基づいて、第１のマッピング関係をＤＭＲＳ構成情報から選択し、物理共有チャネルによりリソース単位において占有される最後のシンボルの位置インデックスを基準にして、付加されたＤＭＲＳによりリソース単位において占有される時間領域位置を第１のマッピング関係から選択してよい。しかしながら、このことは、本願の本実施形態において限定されるものではない。
【０１１２】
任意の一実施形態において、物理共有チャネルのマッピングタイプは第２のタイプであり、付加されたＤＭＲＳによりリソース単位において占有される時間領域位置を決定する段階は、物理共有チャネルによりリソース単位において占有されるシンボルの個数と第２のマッピング関係とに少なくとも基づいて、付加されたＤＭＲＳによりリソース単位において占有される時間領域位置を端末デバイスが決定する段階であって、第２のマッピング関係は、物理共有チャネルによりリソース単位において占有されるシンボルの異なる個数と、付加されたＤＭＲＳによりリソース単位において占有される異なる時間領域位置との間の対応関係を示すのに用いられる、段階を含む。
【０１１３】
具体的には、物理共有チャネルのマッピングタイプが第２のタイプである場合、第２のタイプに対応するパラメータが、物理共有チャネルによりリソース単位において占有されるシンボルの個数であるため、端末デバイスは、物理共有チャネルによりリソース単位において占有されるシンボルの個数と第２のマッピング関係とに基づいて、付加されたＤＭＲＳによりリソース単位において占有される時間領域位置を決定してよい。
【０１１４】
第２のマッピング関係は、式、表、又は別の方式を用いて実装されてよく、具体的には、シンボルの異なる個数と異なる時間領域位置との間の対応関係を示すのに用いられてよいことをさらに理解されたい。可能性のある一実装例において、第２のマッピング関係はＤＭＲＳ構成情報に含まれる。端末デバイスは、物理共有チャネルのマッピングタイプ、すなわち第２のタイプに基づいて、第２のマッピング関係をＤＭＲＳ構成情報から選択し、物理共有チャネルによりリソース単位において占有されるシンボルの個数を基準にして、付加されたＤＭＲＳによりリソース単位において占有される時間領域位置を第２のマッピング関係から選択してよい。しかしながら、このことは、本願の本実施形態において限定されるものではない。
【０１１５】
任意の一実施形態において、付加されたＤＭＲＳによりリソース単位において占有される時間領域位置を決定する段階の前に、本方法はさらに、ネットワークデバイスが第２の指示情報を端末デバイスに送信する段階であって、第２の指示情報は付加されたＤＭＲＳの個数を示すのに用いられる、段階と、ネットワークデバイスが第３の指示情報を端末デバイスに送信する段階であって、第３の指示情報は、第１のＤＭＲＳによりリソース単位において占有されるシンボルの実際の個数を示すのに用いられる、段階と、それに対応して、ネットワークデバイスにより送信される第２の指示情報を端末デバイスが受信する段階と、ネットワークデバイスにより送信される第３の指示情報を端末デバイスが受信する段階とを含み、付加されたＤＭＲＳによりリソース単位において占有される時間領域位置を決定する段階は、物理共有チャネルのマッピングタイプ、付加されたＤＭＲＳの個数、及び第１のＤＭＲＳによりリソース単位において占有されるシンボルの実際の個数に基づいて、また物理共有チャネルによりリソース単位において占有される最後のシンボルの位置インデックス又は物理共有チャネルによりリソース単位において占有されるシンボルの個数を基準にして、付加されたＤＭＲＳによりリソース単位において占有される時間領域位置を端末デバイスが決定する段階を含む。
【０１１６】
具体的には、ネットワークデバイスはさらに、付加されたＤＭＲＳの個数を示すのに用いられる第２の指示情報と、第１のＤＭＲＳによりリソース単位において占有されるシンボルの実際の個数を示すのに用いられる第３の指示情報とを端末デバイスに送信してよい。端末デバイスは、物理共有チャネルのマッピングタイプ、物理共有チャネルのマッピングタイプに対応するパラメータ、付加されたＤＭＲＳの個数、及び第１のＤＭＲＳによりリソース単位において占有されるシンボルの実際の個数などの情報に基づいて、付加されたＤＭＲＳによりリソース単位において占有される時間領域位置を決定してよい。
【０１１７】
付加されたＤＭＲＳの個数は０個、１個、２個、又は３個であってよく、第１のＤＭＲＳによりリソース単位において占有されるシンボルの実際の個数は１個でも２個でもよいことを理解されたい。異なる事例では、ネットワークデバイスは、異なるリソースマッピング方式を端末デバイスに設定してよい。したがって、付加されたＤＭＲＳによりリソース単位において占有される時間領域位置と、付加されたＤＭＲＳの個数及び第１のＤＭＲＳによりリソース単位において占有されるシンボルの実際の個数などのパラメータとの間の対応関係も存在する。可能性のある一実装例において、ＤＭＲＳ構成情報は、物理共有チャネルの異なるマッピングタイプと、付加されたＤＭＲＳの異なる個数と、第１のＤＭＲＳによりリソース単位において占有されるシンボルの異なる実際の個数と、異なる時間領域位置との間の対応関係を含んでよい。しかしながら、このことは、本願の本実施形態において限定されるものではない。
【０１１８】
第２の指示情報は、無線リソース制御（ｒａｄｉｏ  ｒｅｓｏｕｒｃｅ  ｃｏｎｔｒｏｌ、ＲＲＣ）シグナリングで搬送されてよいことをさらに理解されたい。第３の指示情報は、１つのシグナリングを用いて示されてもよく、複数のシグナリングを用いて一緒に示されてもよい。このことは、本願の本実施形態において限定されるものではない。例えば、ネットワークデバイスは最初に、ＲＲＣシグナリングを用いて、第１のＤＭＲＳによりリソース単位において占有されるシンボルの最大数を端末デバイスに示してよい。シンボルの最大数が１個である場合、第１のＤＭＲＳによりリソース単位において占有されるシンボルの実際の個数は必然的に１個であり、このシンボルの実際の個数をさらに示す必要はない。シンボルの最大数が２個である場合、第１のＤＭＲＳによりリソース単位において占有されるシンボルの実際の個数は１個でも２個でもよく、ネットワークデバイスは、ダウンリンク制御情報（ｄｏｗｎｌｉｎｋ  ｃｏｎｔｒｏｌ  ｉｎｆｏｒｍａｔｉｏｎ、ＤＣＩ）を用いて端末デバイスに、第１のＤＭＲＳによりリソース単位において占有されるシンボルの実際の個数をさらに示す必要がある。
【０１１９】
本願の可能性のある別の実装例では、リソース構成方法が提供される。本リソース構成方法は具体的に、復調参照信号ＤＭＲＳ構成情報を受信する段階であって、ＤＭＲＳ構成情報は、物理共有チャネルの異なるマッピングタイプにおけるＤＭＲＳの時間領域位置を含み、物理共有チャネルのマッピングタイプは第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、段階と、ＤＭＲＳ構成情報を格納する段階とを含む。
【０１２０】
ＤＭＲＳ構成情報は、式、表、又は別の方式を用いて実装されてよいことを理解されたい。ネットワークデバイス及び端末デバイスは両方とも、ＤＭＲＳ構成情報を格納し、その後に、ＤＭＲＳ構成情報に基づいてＤＭＲＳの時間領域位置を設定してよい。
【０１２１】
本願は、特定の実施形態を参照して、以下に詳細に説明される。
【０１２２】
ケース１：アップリンク伝送
【０１２３】
ネットワークデバイスは、ＤＣＩを用いて第１の指示情報を端末デバイスに送信する。端末デバイスはＤＣＩを受信し、第１の指示情報に基づいて、現在のＰＵＳＣＨのマッピングタイプがＰＵＳＣＨ  ｍａｐｐｉｎｇ  ｔｙｐｅ  Ａであるのか、又はＰＵＳＣＨ  ｍａｐｐｉｎｇ  ｔｙｐｅ  Ｂであるのかを判定し、さらに、表１又は表２を選択する。
【０１２４】
ＰＵＳＣＨ  ｍａｐｐｉｎｇ  ｔｙｐｅ  Ａの場合、ＤＭＲＳの時間領域位置が、ｓｌｏｔ内の開始シンボル位置に対して規定される。この場合、第１のＤＭＲＳシンボルの時間領域内の位置ｌ０が、上位層シグナリングＤＬ−ＤＭＲＳ−ｔｙｐｅＡ−ｐｏｓを用いて、２（ｓｌｏｔの３番目のシンボル）又は３（ｓｌｏｔの４番目のシンボル）に設定されてよい。ＰＵＳＣＨ  ｍａｐｐｉｎｇ  ｔｙｐｅ  Ｂの場合、ＤＭＲＳの時間領域位置が、スケジューリングされたＰＵＳＣＨのリソースの開始シンボル位置に対して規定される。この場合、第１のＤＭＲＳシンボルの時間領域内の位置ｌ０が、ＰＵＳＣＨの第１のシンボルであり、ＰＵＳＣＨの時間領域位置に対して０のインデックスを有する。
【０１２５】
ネットワークデバイスは、第３の指示情報を用いて、ｆｒｏｎｔ−ｌｏａｄｅｄ  ＤＭＲＳのシンボルの実際の個数を端末デバイスに示してよい。端末デバイスは、ｆｒｏｎｔ−ｌｏａｄｅｄ  ＤＭＲＳのシンボルの実際の個数に基づいて、ｓｉｎｇｌｅ−ｓｙｍｂｏｌ  ＤＭＲＳ又はｄｏｕｂｌｅ−ｓｙｍｂｏｌ  ＤＭＲＳに対応するＤＭＲＳ位置を選択することを決定してよい。具体的には、ネットワークデバイスは、ＲＲＣシグナリングを用いて、ｆｒｏｎｔ−ｌｏａｄｅｄ  ＤＭＲＳのシンボルの最大数（ＵＬ−ＤＭＲＳ−ｍａｘ−ｌｅｎ）を設定してよい。ＵＬ−ＤＭＲＳ−ｍａｘ−ｌｅｎ＝１の場合、ｆｒｏｎｔ−ｌｏａｄｅｄ  ＤＭＲＳはｓｉｎｇｌｅ−ｓｙｍｂｏｌ  ＤＭＲＳである、又はＵＬ−ＤＭＲＳ−ｍａｘ−ｌｅｎ＝２の場合、ネットワークデバイスはさらに、ＤＣＩシグナリングを用いて、ｆｒｏｎｔ−ｌｏａｄｅｄ  ＤＭＲＳのシンボルの実際の個数を設定してよい。端末デバイスは、ＲＲＣシグナリングに基づいて、又はＲＲＣシグナリング及びＤＣＩシグナリングを基準にして、ｓｉｎｇｌｅ−ｓｙｍｂｏｌ  ＤＭＲＳ又はｄｏｕｂｌｅ−ｓｙｍｂｏｌ  ＤＭＲＳである現在のｆｒｏｎｔ−ｌｏａｄｅｄ  ＤＭＲＳを取得する。
【０１２６】
ネットワークデバイスは、第２の指示情報を用いて、ａｄｄｉｔｉｏｎａｌ  ＤＭＲＳの個数を端末デバイスに示してよい。具体的には、ネットワークデバイスは、ＲＲＣシグナリングを用いてＵＬ−ＤＭＲＳ−ａｄｄ−ｐｏｓを送信する。端末デバイスは、ＲＲＣシグナリングを受信してａｄｄｉｔｉｏｎａｌ  ＤＭＲＳの個数を取得し、対応するＤＭＲＳ位置セットを表から選択する。
【０１２７】
ネットワークデバイスは、ＰＵＳＣＨの連続するシンボルの個数（ＰＵＳＣＨ  ｄｕｒａｔｉｏｎ  ｉｎ  ｓｙｍｂｏｌｓ）と、ＰＵＳＣＨの開始シンボル位置とを、ＤＣＩシグナリングを用いて端末デバイスに示してよい。端末デバイスは、ＤＣＩシグナリングを受信し、ＰＵＳＣＨ  ｄｕｒａｔｉｏｎ  ｉｎ  ｓｙｍｂｏｌｓ又はＰＵＳＣＨの最後のシンボルの位置（ｐｏｓｉｔｉｏｎ  ｏｆ  ｌａｓｔ  ＰＵＳＣＨ  ｓｙｍｂｏｌｓ）を取得してよく、ＰＵＳＣＨのマッピングタイプに基づいて、ＤＭＲＳの最後の時間領域位置を決定する。具体的には、ＰＵＳＣＨのマッピングタイプがＰＵＳＣＨ  ｍａｐｐｉｎｇ  ｔｙｐｅ  Ａである場合、端末デバイスは、ｐｏｓｉｔｉｏｎ  ｏｆ  ｌａｓｔ  ＰＵＳＣＨ  ｓｙｍｂｏｌｓを用いて、表１においてＤＭＲＳの時間領域位置を決定する。ＰＵＳＣＨのマッピングタイプがＰＵＳＣＨ  ｍａｐｐｉｎｇ  ｔｙｐｅ  Ｂである場合、端末デバイスは、ＰＵＳＣＨ  ｄｕｒａｔｉｏｎ  ｉｎ  ｓｙｍｂｏｌｓを用いて、表２においてＤＭＲＳの時間領域位置を決定する。さらに、端末デバイスは当該位置においてＤＭＲＳをマッピングし、送信してよい。
【０１２８】
前述のプロセスは、説明を理解しやすくするための、単なる例であることを理解されたい。特定の実装例において、プロセス間に特定の時系列順がなくてよい。端末デバイスは、ＤＭＲＳの時間領域位置が決定され得る場合、前述のシグナリングに関連して異なる順序を用いてよい。
【表１】
2020527874.tif 000003
【表２】
2020527874.tif 000004
【０１２９】
具体的には、ＤＭＲＳシンボルの位置がｉで表されてよく、スロット内のＰＵＳＣＨの最後のシンボルは表１に用いられ、ＰＵＳＣＨの連続するシンボルの個数は表２に用いられる。さらに、ＤＬ−ＤＭＲＳ−ｔｙｐｅＡ−ｐｏｓが２と等しい場合、ＵＬ−ＤＭＲＳ−ａｄｄ−ｐｏｓはｍａｐｐｉｎｇ  ｔｙｐｅ  Ａ  においてのみ３と等しくてよい（Ｔｈｅ  ｐｏｓｉｔｉｏｎ（ｓ）  ｏｆ  ｔｈｅ  ＤＭ−ＲＳ  ｓｙｍｂｏｌｓ  ｉｓ  ｇｉｖｅｎ  ｂｙ  ｉ  ａｎｄ  ｔｈｅ  ｌａｓｔ  ＯＦＤＭ  ｓｙｍｂｏｌ  ｕｓｅｄ  ｆｏｒ  ＰＵＳＣＨ  ｉｎ  ｔｈｅ  ｓｌｏｔ  ａｃｃｏｒｄｉｎｇ  ｔｏ  Ｔａｂｌｅ  １  ａｎｄ  ｔｈｅ  ｄｕｒａｔｉｏｎ  ｏｆ  ｔｈｅ  ＰＵＳＣＨ  ｔｒａｎｓｍｉｓｓｉｏｎ  ｉｎ  ｓｙｍｂｏｌｓ  ａｃｃｏｒｄｉｎｇ  ｔｏ  ａｎｄ  Ｔａｂｌｅ  ２  ｒｅｓｐｅｃｔｉｖｅｌｙ．  Ｔｈｅ  ｃａｓｅ  ＵＬ−ＤＭＲＳ−ａｄｄ−ｐｏｓ  ｅｑｕａｌ  ｔｏ  ３  ｏｆ  ＰＵＳＣＨ  ｍａｐｐｉｎｇ  ｔｙｐｅ  Ａ  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【０１３０】
ＰＵＳＣＨのマッピングタイプがＰＵＳＣＨ  ｍａｐｐｉｎｇ  ｔｙｐｅ  Ａであると仮定すると、端末デバイスは表１を選択し、ｐｏｓｉｔｉｏｎ  ｏｆ  ｌａｓｔ  ＰＵＳＣＨ  ｓｙｍｂｏｌが８であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が１個であることを決定する。この場合、端末デバイスは、ａｄｄｉｔｉｏｎａｌ  ＤＭＲＳの７の時間領域位置を表１から選択してよい。図５には、特定のＤＭＲＳパターンが示されている。図５は、ｆｒｏｎｔ−ｌｏａｄｅｄ  ＤＭＲＳが２（ｓｌｏｔの３番目のシンボル）に位置している一例を示している。ＰＵＳＣＨのマッピングタイプがＰＵＳＣＨ  ｍａｐｐｉｎｇ  ｔｙｐｅ  Ａであると仮定すると、端末デバイスは表１を選択し、ｐｏｓｉｔｉｏｎ  ｏｆ  ｌａｓｔ  ＰＵＳＣＨ  ｓｙｍｂｏｌが９であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が１個であることを決定する。この場合、端末デバイスは、ａｄｄｉｔｉｏｎａｌ  ＤＭＲＳの９の時間領域位置を表１から選択してよい。図６には、特定のＤＭＲＳパターンが示されている。図６は、ｆｒｏｎｔ−ｌｏａｄｅｄ  ＤＭＲＳが３（ｓｌｏｔの４番目のシンボル）に位置している一例を示している。ＰＵＳＣＨのマッピングタイプがＰＵＳＣＨ  ｍａｐｐｉｎｇ  ｔｙｐｅ  Ｂであると仮定すると、端末デバイスは表２を選択し、ＰＵＳＣＨ  ｄｕｒａｔｉｏｎ  ｉｎ  ｓｙｍｂｏｌｓが９であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が２個であることを決定する。この場合、端末デバイスは、ａｄｄｉｔｉｏｎａｌ  ＤＭＲＳの３及び６の時間領域位置を表２から選択してよい。
【０１３１】
表１及び表２の中の「−」は、構成がサポートされていないことを示すことを理解されたい。特定の実装例において、柔軟なスケジューリングの要件を満たすために、当該構成は別のＤＭＲＳ位置構成に置き換えられてよい。例えば、ｌ０のみが含まれてよく、又はＵＬ−ＤＭＲＳ−ａｄｄ−ｐｏｓの個数が１個だけ減少する構成が用いられる、又はＰＵＳＣＨ範囲を超えるＤＭＲＳがパンクチャリング（ｐｕｎｃｔｕｒｅ）されてよい。例えば、表１では、ｓｉｎｇｌｅ−ｓｙｍｂｏｌ  ＤＭＲＳがＵＬ−ＤＭＲＳ−ａｄｄ−ｐｏｓ＝２として構成される場合、ｐｏｓｉｔｉｏｎ  ｏｆ  ｌａｓｔ  ＰＵＳＣＨ  ｓｙｍｂｏｌ＝８であるならば、対応する「−」が、前述の方法を用いて「ｌ０」、「ｌ０，７」、又は「ｌ０，６」に別々に置き換えられてよい。しかしながら、このことは、本願の本実施形態において限定されるものではない。
【０１３２】
表１及び表２は２つの独立した表であってもよく、１つの表に結合されてもよく、又は別の表に組み込まれてもよいことをさらに理解されたい。これらの表の特定の表現形式が、本願の本実施形態において限定されることはない。
【０１３３】
ケース２：ダウンリンク伝送
【０１３４】
ネットワークデバイスは、ＤＣＩを用いて第１の指示情報を端末デバイスに送信する。端末デバイスはＤＣＩを受信し、第１の指示情報に基づいて、現在のＰＤＳＣＨのマッピングタイプがＰＤＳＣＨ  ｍａｐｐｉｎｇ  ｔｙｐｅ  Ａであるのか、又はＰＤＳＣＨ  ｍａｐｐｉｎｇ  ｔｙｐｅ  Ｂであるのかを判定し、さらに表３又は表４を選択する。
【０１３５】
ＰＤＳＣＨ  ｍａｐｐｉｎｇ  ｔｙｐｅ  Ａの場合、ＤＭＲＳの時間領域位置がｓｌｏｔ内の開始シンボル位置に対して規定される。この場合、時間領域内の第１のＤＭＲＳシンボルの位置ｌ０が、上位層シグナリングＤＬ−ＤＭＲＳ−ｔｙｐｅＡ−ｐｏｓを用いて、２（ｓｌｏｔの３番目のシンボル）又は３（ｓｌｏｔの４番目のシンボル）に設定されてよい。ＰＤＳＣＨ  ｍａｐｐｉｎｇ  ｔｙｐｅ  Ｂの場合、ＤＭＲＳの時間領域位置がスケジューリングされたＰＤＳＣＨのリソースの開始シンボル位置に対して規定される。この場合、時間領域内の第１のＤＭＲＳシンボルの位置ｌ０が、ＰＤＳＣＨの第１のシンボルであり、ＰＤＳＣＨの時間領域位置に対して０のインデックスを有する。
【０１３６】
ネットワークデバイスは、第２の指示情報を用いて、ａｄｄｉｔｉｏｎａｌ  ＤＭＲＳの個数を端末デバイスに示してよい。具体的には、ネットワークデバイスは、ＲＲＣシグナリングを用いてＤＬ−ＤＭＲＳ−ａｄｄ−ｐｏｓを送信する。端末デバイスは、ＲＲＣシグナリングを受信してａｄｄｉｔｉｏｎａｌ  ＤＭＲＳの個数を取得し、対応するＤＭＲＳ位置セットを表から選択する。
【０１３７】
ネットワークデバイスは、第３の指示情報を用いて、ｆｒｏｎｔ−ｌｏａｄｅｄ  ＤＭＲＳのシンボルの実際の個数を端末デバイスに示してよい。端末デバイスは、ｆｒｏｎｔ−ｌｏａｄｅｄ  ＤＭＲＳのシンボルの実際の個数に基づいて、ｓｉｎｇｌｅ−ｓｙｍｂｏｌ  ＤＭＲＳ又はｄｏｕｂｌｅ−ｓｙｍｂｏｌ  ＤＭＲＳに対応するＤＭＲＳ位置を選択することを決定してよい。具体的には、ネットワークデバイスは、ＲＲＣシグナリングを用いて、ｆｒｏｎｔ−ｌｏａｄｅｄ  ＤＭＲＳのシンボルの最大数（ＤＬ−ＤＭＲＳ−ｍａｘ−ｌｅｎ）を設定してよい。ＤＬ−ＤＭＲＳ−ｍａｘ−ｌｅｎ＝１の場合、ｆｒｏｎｔ−ｌｏａｄｅｄ  ＤＭＲＳはｓｉｎｇｌｅ−ｓｙｍｂｏｌ  ＤＭＲＳである、又はＤＬ−ＤＭＲＳ−ｍａｘ−ｌｅｎ＝２の場合、ネットワークデバイスはさらに、ＤＣＩシグナリングを用いて、ｆｒｏｎｔ−ｌｏａｄｅｄ  ＤＭＲＳのシンボルの実際の個数を設定してよい。端末デバイスは、ＲＲＣシグナリングに基づいて、又はＲＲＣシグナリング及びＤＣＩシグナリングを基準にして、ｓｉｎｇｌｅ−ｓｙｍｂｏｌ  ＤＭＲＳ又はｄｏｕｂｌｅ−ｓｙｍｂｏｌ  ＤＭＲＳである現在のｆｒｏｎｔ−ｌｏａｄｅｄ  ＤＭＲＳを取得する。
【０１３８】
ネットワークデバイスは、ＰＤＳＣＨの連続するシンボルの個数（ＰＤＳＣＨ  ｄｕｒａｔｉｏｎ  ｉｎ  ｓｙｍｂｏｌｓ）と、ＰＤＳＣＨの開始シンボル位置とを、ＤＣＩシグナリングを用いて端末デバイスに示してよい。端末デバイスはＤＣＩシグナリングを受信して、ＰＤＳＣＨ  ｄｕｒａｔｉｏｎ  ｉｎ  ｓｙｍｂｏｌｓ又はＰＤＳＣＨの最後のシンボルの位置（ｐｏｓｉｔｉｏｎ  ｏｆ  ｌａｓｔ  ＰＤＳＣＨ  ｓｙｍｂｏｌｓ）を取得し、ＰＤＳＣＨのマッピングタイプに基づいてＤＭＲＳの最後の時間領域位置を決定する。具体的には、ＰＤＳＣＨのマッピングタイプがＰＤＳＣＨ  ｍａｐｐｉｎｇ  ｔｙｐｅ  Ａである場合、端末デバイスは、ｐｏｓｉｔｉｏｎ  ｏｆ  ｌａｓｔ  ＰＤＳＣＨ  ｓｙｍｂｏｌｓを用いることで、表１においてＤＭＲＳの時間領域位置を決定する。ＰＤＳＣＨのマッピングタイプがＰＤＳＣＨ  ｍａｐｐｉｎｇ  ｔｙｐｅ  Ｂである場合、端末デバイスは、ＰＤＳＣＨ  ｄｕｒａｔｉｏｎ  ｉｎ  ｓｙｍｂｏｌｓを用いることで、表２においてＤＭＲＳの時間領域位置を決定する。さらに、端末デバイスは、ネットワークデバイスにより送信されるＤＭＲＳを当該位置においてマッピングして受信してよい。
【表３】
2020527874.tif 000005
【表４】
2020527874.tif 000006
【０１３９】
具体的には、ＤＭＲＳシンボルの位置がｉで表されてよく、スロット内のＰＤＳＣＨの最後のシンボルは表３に用いられ、ＰＤＳＣＨの連続するシンボルの個数は表４に用いられる。さらに、ＤＬ−ＤＭＲＳ−ｔｙｐｅＡ−ｐｏｓが２と等しい場合、ＤＬ−ＤＭＲＳ−ａｄｄ−ｐｏｓはＰＤＳＣＨ  ｍａｐｐｉｎｇ  ｔｙｐｅ  Ａ  においてのみ３と等しくてよい（Ｔｈｅ  ｐｏｓｉｔｉｏｎ（ｓ）  ｏｆ  ｔｈｅ  ＤＭ−ＲＳ  ｓｙｍｂｏｌｓ  ｉｓ  ｇｉｖｅｎ  ｂｙ  ｉ  ａｎｄ  ｔｈｅ  ｌａｓｔ  ＯＦＤＭ  ｓｙｍｂｏｌ  ｕｓｅｄ  ｆｏｒ  ＰＤＳＣＨ  ｉｎ  ｔｈｅ  ｓｌｏｔ  ａｃｃｏｒｄｉｎｇ  ｔｏ  Ｔａｂｌｅ  ３  ａｎｄ  ｔｈｅ  ｄｕｒａｔｉｏｎ  ｏｆ  ｔｈｅ  ＰＤＳＣＨ  ｔｒａｎｓｍｉｓｓｉｏｎ  ｉｎ  ｓｙｍｂｏｌｓ  ａｃｃｏｒｄｉｎｇ  ｔｏ  Ｔａｂｌｅ  ４  ｒｅｓｐｅｃｔｉｖｅｌｙ．  Ｔｈｅ  ｃａｓｅ  ＤＬ−ＤＭＲＳ−ａｄｄ−ｐｏｓ  ｅｑｕａｌ  ｔｏ  ３  ｏｆ  ＰＤＳＣＨ  ｍａｐｐｉｎｇ  ｔｙｐｅ  Ａ  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【０１４０】
ＰＤＳＣＨのマッピングタイプがＰＤＳＣＨ  ｍａｐｐｉｎｇ  ｔｙｐｅ  Ａであると仮定すると、端末デバイスは表３を選択し、ｐｏｓｉｔｉｏｎ  ｏｆ  ｌａｓｔ  ＰＤＳＣＨ  ｓｙｍｂｏｌが１０であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が２個であることを決定する。この場合、端末デバイスは、ａｄｄｉｔｉｏｎａｌ  ＤＭＲＳの６及び９の時間領域位置を表３から選択してよい。図７には、特定のＤＭＲＳパターンが示されている。図７は、ｆｒｏｎｔ−ｌｏａｄｅｄ  ＤＭＲＳが３（ｓｌｏｔの４番目のシンボル）に位置している一例を示している。ＰＤＳＣＨのマッピングタイプがＰＤＳＣＨ  ｍａｐｐｉｎｇ  ｔｙｐｅ  Ａであると仮定すると、端末デバイスは表３を選択し、ｐｏｓｉｔｉｏｎ  ｏｆ  ｌａｓｔ  ＰＤＳＣＨ  ｓｙｍｂｏｌが１１であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が２個であることを決定する。この場合、端末デバイスは、ａｄｄｉｔｉｏｎａｌ  ＤＭＲＳの６及び９の時間領域位置を表１から選択してよい。図８には、特定のＤＭＲＳパターンが示されている。図７は、ｆｒｏｎｔ−ｌｏａｄｅｄ  ＤＭＲＳが３（ｓｌｏｔの４番目のシンボル）に位置している一例を示している。ＰＤＳＣＨのマッピングタイプがＰＤＳＣＨ  ｍａｐｐｉｎｇ  ｔｙｐｅ  Ｂであると仮定すると、端末デバイスは表４を選択し、ＰＤＳＣＨ  ｄｕｒａｔｉｏｎ  ｉｎ  ｓｙｍｂｏｌｓが７であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が１個であることを決定する。この場合、端末デバイスは、ａｄｄｉｔｉｏｎａｌ  ＤＭＲＳの４の時間領域位置を表２から選択してよい。
【０１４１】
表１及び表２の中の「−」は、構成がサポートされていないことを示しており、特定の実装例では、表１及び表２の方式と類似した方式で処理されてよいことを理解されたい。表３及び表４は、２つの独立した表であってもよく、１つの表に結合されてもよく、又は別の表に組み込まれてもよいことをさらに理解されたい。表１〜表４は、代替的に１つの表に結合されてよい。これらの表の特定の表現形式が、本願の本実施形態において限定されることはない。
【０１４２】
図４は、本願の一実施形態による別のリソース指示方法４００の概略フローチャートである。方法４００は、図１に示す通信システム１００に適用されてよいが、本願の本実施形態は通信システム１００に限定されることはない。
【０１４３】
Ｓ４１０：ネットワークデバイスは第４の指示情報を端末デバイスに送信し、それに対応して、端末デバイスは、ネットワークデバイスにより送信される第４の指示情報を受信する。第４の指示情報は、復調参照信号の物理共有チャネルのマッピングタイプと、物理共有チャネルによりリソース単位において占有されるシンボルの個数とを示すのに用いられ、物理共有チャネルのマッピングタイプは第１のタイプ又は第２のタイプである。
【０１４４】
Ｓ４２０：端末デバイスは、物理共有チャネルのマッピングタイプ、物理共有チャネルによりリソース単位において占有されるシンボルの個数、及びＤＭＲＳのうちの第１のＤＭＲＳによりリソース単位において占有される時間領域位置に基づいて、ＤＭＲＳのうちの付加されたＤＭＲＳによりリソース単位において占有される時間領域位置を決定する。
【０１４５】
具体的には、ネットワークデバイスは、物理共有チャネルのマッピングタイプを示すのに用いられる第４の指示情報と、物理共有チャネルによりリソース単位において占有されるシンボルの個数とを端末デバイスに送信してよい。端末デバイスは第４の指示情報を受信し、物理共有チャネルのマッピングタイプと、物理共有チャネルによりリソース単位において占有されるシンボルの個数とに基づいて、また第１のＤＭＲＳによりリソース単位において占有される時間領域位置（すなわち、ｌ０）を基準にして、付加されたＤＭＲＳによりリソース単位において占有される時間領域位置を決定してよい。任意選択で、第４の指示情報はダウンリンク制御情報（ｄｏｗｎｌｉｎｋ  ｃｏｎｔｒｏｌ  ｉｎｆｏｒｍａｔｉｏｎ、ＤＣＩ）で搬送されてよい。
【０１４６】
物理共有チャネルのマッピングタイプは第１のタイプでも第２のタイプでもよく、第１のタイプ及び第２のタイプに対応するパラメータが両方とも、物理共有チャネルによりリソース単位において占有されるシンボルの個数（ｄｕｒａｔｉｏｎ）であることを理解されたい。付加されたＤＭＲＳの時間領域位置を端末デバイスが決定する特定の時系列順が、本願本実施形態において限定されることはない。例えば、端末デバイスは最初に、物理共有チャネルのマッピングタイプに基づいて選択を行い、次いで、物理共有チャネルのｄｕｒａｔｉｏｎに基づいて選択を行い、最後に、ｌ０に基づいて付加されたＤＭＲＳの最後の時間領域位置を選択してよい。あるいは、端末デバイスは最初に、ｌ０に基づいて、次いで物理共有チャネルのマッピングタイプに基づいて選択を行い、最後に、物理共有チャネルのｄｕｒａｔｉｏｎに基づいて付加されたＤＭＲＳの最後の時間領域位置を選択してよい。複数の可能性のある実装例が存在するが、このことは、本願の本実施形態において限定されるものではない。
【０１４７】
可能性のある一実装例において、ネットワークデバイス及び端末デバイスは両方とも、ＤＭＲＳ構成情報を格納し、ＤＭＲＳ構成情報は、物理共有チャネルの異なるマッピングタイプにおけるＤＭＲＳの時間領域位置を含む。ネットワークデバイスは、ＤＭＲＳ構成情報に基づいて、ＤＭＲＳの時間領域位置を端末デバイスに設定し、第４の指示情報を用いて端末デバイスに通知する。端末デバイスは、第４の指示情報を受信し、第４の指示情報により示される、物理共有チャネルのマッピングタイプと物理共有チャネルのｄｕｒａｔｉｏｎとに基づいて、また第１のＤＭＲＳの時間領域位置を基準にして、リソース単位におけるＤＭＲＳの時間領域位置を決定する。
【０１４８】
ＤＭＲＳは、アップリンクＤＭＲＳとダウンリンクＤＭＲＳとに分類されてよく、物理共有チャネルは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）と物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）とを含んでよい。それに対応して、物理共有チャネルによりリソース単位において占有されるシンボルの個数は、ＰＵＳＣＨ  ｄｕｒａｔｉｏｎ  ｉｎ  ｓｙｍｂｏｌｓ又はＰＤＳＣＨ  ｄｕｒａｔｉｏｎ  ｉｎ  ｓｙｍｂｏｌｓとも呼ばれることがある。ＤＭＲＳがアップリンクＤＭＲＳである場合、端末デバイスはＰＵＳＣＨ  ｄｕｒａｔｉｏｎ  ｉｎ  ｓｙｍｂｏｌｓを用いてよい。ＤＭＲＳがダウンリンクＤＭＲＳである場合、端末デバイスはＰＤＳＣＨ  ｄｕｒａｔｉｏｎ  ｉｎ  ｔｈｅ  ｓｙｍｂｏｌｓを用いてよい。
【０１４９】
本願の本実施形態におけるリソース指示方法によれば、端末デバイスは、ネットワークデバイスにより送信され、物理共有チャネルのマッピングタイプと物理共有チャネルによりリソース単位において占有されるシンボルの個数とを示すのに用いられる指示情報に基づいて、また第１のＤＭＲＳの時間領域位置を基準にして、付加されたＤＭＲＳの時間領域位置を決定し、ＤＭＲＳによりリソース単位において占有される時間領域位置を正確に決定するのに役立てるので、ネットワークデバイスと端末デバイスとの間のデータ伝送のパフォーマンスが向上する。
【０１５０】
任意の一実施形態では、ＤＭＲＳのうちの付加されたＤＭＲＳによりリソース単位において占有される時間領域位置を決定する段階の前に、本方法はさらに、ネットワークデバイスが第５の指示情報を端末デバイスに送信する段階であって、第５の指示情報は、第１のＤＭＲＳによりリソース単位において占有される時間領域位置を示すのに用いられる、段階と、それに対応して、ネットワークデバイスにより送信される第５の指示情報を端末デバイスが受信する段階とを含む。
【０１５１】
第１のＤＭＲＳによりリソース単位において占有される時間領域位置ｌ０は、プロトコルに予め規定されてもよく、ネットワークデバイスによりシグナリングを用いて端末デバイスに設定されてもよいことを理解されたい。このことは、本願の本実施形態において限定されるものではない。具体的には、ネットワークデバイスは第５の指示情報を端末デバイスに送信してｌ０を示してよい。
【０１５２】
任意の一実施形態において、物理共有チャネルのマッピングタイプは第１のタイプであり、ＤＭＲＳのうちの付加されたＤＭＲＳによりリソース単位において占有される時間領域位置を決定する段階は、物理共有チャネルによりリソース単位において占有されるシンボルの個数、第１のＤＭＲＳによりリソース単位において占有される時間領域位置、及び第３のマッピング関係に基づいて、付加されたＤＭＲＳによりリソース単位において占有される時間領域位置を端末デバイスが決定する段階であって、第３のマッピング関係は、物理共有チャネルによりリソース単位において占有されるシンボルの異なる個数と、第１のＤＭＲＳによりリソース単位において占有される異なる時間領域位置と、付加されたＤＭＲＳによりリソース単位において占有される異なる時間領域位置との間の対応関係を示すのに用いられる、段階を含む。
【０１５３】
具体的には、物理共有チャネルのマッピングタイプが第１のタイプである場合、端末デバイスは、物理共有チャネルによりリソース単位において占有されるシンボルの個数、第１のＤＭＲＳによりリソース単位において占有される時間領域位置、及び第３のマッピング関係に基づいて、付加されたＤＭＲＳによりリソース単位において占有される時間領域位置を決定してよい。
【０１５４】
第３のマッピング関係は、式、表、又は別の方式を用いて実装されてよく、具体的には、シンボルの異なる個数と異なる時間領域位置との間の対応関係を示すのに用いられてよいことを理解されたい。可能性のある一実装例において、第３のマッピング関係はＤＭＲＳ構成情報に含まれる。端末デバイスは、物理共有チャネルのマッピングタイプ、すなわち第１のタイプに基づいて、第３のマッピング関係をＤＭＲＳ構成情報から選択し、物理共有チャネルによりリソース単位において占有されるシンボルの個数と、第１のＤＭＲＳによりリソース単位において占有される時間領域位置とを基準にして、付加されたＤＭＲＳによりリソース単位において占有される時間領域位置を第３のマッピング関係から選択してよい。しかしながら、このことは、本願の本実施形態において限定されるものではない。
【０１５５】
任意の一実施形態において、物理共有チャネルのマッピングタイプは第２のタイプであり、ＤＭＲＳのうちの付加されたＤＭＲＳによりリソース単位において占有される時間領域位置を決定する段階は、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を端末デバイスが決定する段階であって、第４のマッピング関係は、物理共有チャネルによりリソース単位において占有されるシンボルの異なる個数と、第１のＤＭＲＳによりリソース単位において占有される異なる時間領域位置と、付加されたＤＭＲＳにより物理共有チャネルにおいて占有される異なる時間領域位置との間の対応関係を示すのに用いられる、段階を含む。
【０１５６】
具体的には、物理共有チャネルのマッピングタイプが第２のタイプである場合、端末デバイスは、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を決定してよい。
【０１５７】
第４のマッピング関係は、式、表、又は別の方式を用いて実装されてよく、具体的には、シンボルの異なる個数と異なる時間領域位置との間の対応関係を示すのに用いられてよいことをさらに理解されたい。可能性のある一実装例において、第４のマッピング関係はＤＭＲＳ構成情報に含まれる。端末デバイスは、物理共有チャネルのマッピングタイプ、すなわち第２のタイプに基づいて、第４のマッピング関係をＤＭＲＳ構成情報から選択し、物理共有チャネルによりリソース単位において占有されるシンボルの個数と、第１のＤＭＲＳによりリソース単位において占有される時間領域位置とを基準にして、付加されたＤＭＲＳによりリソース単位において占有される時間領域位置を第４のマッピング関係から選択してよい。しかしながら、このことは、本願の本実施形態において限定されるものではない。
【０１５８】
任意の一実施形態において、ＤＭＲＳのうちの付加されたＤＭＲＳによりリソース単位において占有される時間領域位置を決定する段階の前に、本方法はさらに、ネットワークデバイスが第６の指示情報を端末デバイスに送信する段階であって、第６の指示情報は、付加されたＤＭＲＳの個数を示すのに用いられる、段階と、ネットワークデバイスが第７の指示情報を端末デバイスに送信する段階であって、第７の指示情報は、第１のＤＭＲＳによりリソース単位において占有されるシンボルの実際の個数を示すのに用いられる、段階と、それに対応して、ネットワークデバイスにより送信される第６の指示情報及び第７の指示情報を端末デバイスが受信する段階とを含み、ＤＭＲＳのうちの付加されたＤＭＲＳによりリソース単位において占有される時間領域位置を決定する段階は、物理共有チャネルのマッピングタイプ、物理共有チャネルによりリソース単位において占有されるシンボルの個数、ＤＭＲＳのうちの第１のＤＭＲＳによりリソース単位において占有される時間領域位置、付加されたＤＭＲＳの個数、及び第１のＤＭＲＳによりリソース単位において占有されるシンボルの実際の個数に基づいて、付加されたＤＭＲＳによりリソース単位において占有される時間領域位置を端末デバイスが決定する段階を含む。
【０１５９】
具体的には、ネットワークデバイスはさらに、付加されたＤＭＲＳの個数を示すのに用いられる第６の指示情報と、第１のＤＭＲＳによりリソース単位において占有されるシンボルの実際の個数を示すのに用いられる第７の指示情報とを端末デバイスに送信してよい。端末デバイスは、物理共有チャネルのマッピングタイプ、物理共有チャネルによりリソース単位において占有されるシンボルの個数、付加されたＤＭＲＳの個数、及び第１のＤＭＲＳによりリソース単位において占有されるシンボルの実際の個数などの情報に基づいて、付加されたＤＭＲＳによりリソース単位において占有される時間領域位置を決定してよい。
【０１６０】
付加されたＤＭＲＳの個数は０個、１個、２個、又は３個であってよく、第１のＤＭＲＳによりリソース単位において占有されるシンボルの実際の個数は１個でも２個でもよいことを理解されたい。異なる事例では、ネットワークデバイスは、異なるリソースマッピング方式を端末デバイスに設定してよい。したがって、付加されたＤＭＲＳによりリソース単位において占有される時間領域位置と、付加されたＤＭＲＳの個数及び第１のＤＭＲＳによりリソース単位において占有されるシンボルの実際の個数などのパラメータとの間の対応関係も存在する。可能性のある一実装例において、ＤＭＲＳ構成情報は、物理共有チャネルの異なるマッピングタイプと、付加されたＤＭＲＳの異なる個数と、第１のＤＭＲＳによりリソース単位において占有されるシンボルの異なる実際の個数と、異なる時間領域位置との間の対応関係を含んでよい。しかしながら、このことは、本願の本実施形態において限定されるものではない。
【０１６１】
第６の指示情報は、無線リソース制御（ｒａｄｉｏ  ｒｅｓｏｕｒｃｅ  ｃｏｎｔｒｏｌ、ＲＲＣ）シグナリングで搬送されてよいことをさらに理解されたい。第７の指示情報は、１つのシグナリングを用いて示されてもよく、複数のシグナリングを用いて一緒に示されてもよい。このことは、本願の本実施形態において限定されるものではない。例えば、ネットワークデバイスは最初に、ＲＲＣシグナリングを用いて、第１のＤＭＲＳによりリソース単位において占有されるシンボルの最大数を端末デバイスに示してよい。シンボルの最大数が１個である場合、第１のＤＭＲＳによりリソース単位において占有されるシンボルの実際の個数は必然的に１個であり、このシンボルの実際の個数をさらに示す必要はない。シンボルの最大数が２個である場合、第１のＤＭＲＳによりリソース単位において占有されるシンボルの実際の個数は１個でも２個でもよく、ネットワークデバイスは、ダウンリンク制御情報（ｄｏｗｎｌｉｎｋ  ｃｏｎｔｒｏｌ  ｉｎｆｏｒｍａｔｉｏｎ、ＤＣＩ）を用いて端末デバイスに、第１のＤＭＲＳによりリソース単位において占有されるシンボルの実際の個数をさらに示す必要がある。
【０１６２】
本願の可能性のある別の実装例では、別のリソース構成方法が提供される。本リソース構成方法は具体的に、復調参照信号ＤＭＲＳ構成情報を受信する段階であって、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプが第１のタイプ及び第２のタイプを含む、段階と、ＤＭＲＳ構成情報を格納する段階とを含む。
【０１６３】
ＤＭＲＳ構成情報は、式、表、又は別の方式を用いて実装されてよいことを理解されたい。ネットワークデバイス及び端末デバイスは両方とも、ＤＭＲＳ構成情報を格納し、その後に、ＤＭＲＳ構成情報に基づいてＤＭＲＳの時間領域位置を設定してよい。
【０１６４】
本願は、別の特定の実施形態を参照して、以下に詳細に説明される。
【０１６５】
ケース１：アップリンク伝送
【０１６６】
ネットワークデバイスは、ＲＲＣシグナリングを用いて、第７の指示情報を端末デバイスに送信し、ｆｒｏｎｔ−ｌｏａｄｅｄ  ＤＭＲＳのシンボルの実際の個数を示す。端末デバイスはＲＲＣシグナリングを受信し、第７の指示情報を用いて、ｓｉｎｇｌｅ−ｓｙｍｂｏｌ  ＤＭＲＳに対応する表５又はｄｏｕｂｌｅ−ｓｙｍｂｏｌ  ＤＭＲＳに対応する表６を選択する。具体的には、ネットワークデバイスは、ＲＲＣシグナリングを用いて、ｆｒｏｎｔ−ｌｏａｄｅｄ  ＤＭＲＳのシンボルの最大数（ＵＬ−ＤＭＲＳ−ｍａｘ−ｌｅｎ）を設定してよい。ＵＬ−ＤＭＲＳ−ｍａｘ−ｌｅｎ＝１の場合、ｆｒｏｎｔ−ｌｏａｄｅｄ  ＤＭＲＳはｓｉｎｇｌｅ−ｓｙｍｂｏｌ  ＤＭＲＳである、又はＵＬ−ＤＭＲＳ−ｍａｘ−ｌｅｎ＝２の場合、ネットワークデバイスはさらに、ＤＣＩシグナリングを用いて、ｆｒｏｎｔ−ｌｏａｄｅｄ  ＤＭＲＳのシンボルの実際の個数を設定してよい。端末デバイスは、ＲＲＣシグナリングに基づいて、又はＲＲＣシグナリング及びＤＣＩシグナリングを基準にして、ｓｉｎｇｌｅ−ｓｙｍｂｏｌ  ＤＭＲＳ又はｄｏｕｂｌｅ−ｓｙｍｂｏｌ  ＤＭＲＳである現在のｆｒｏｎｔ−ｌｏａｄｅｄ  ＤＭＲＳを取得し、さらに、ｓｉｎｇｌｅ−ｓｙｍｂｏｌ  ＤＭＲＳに対応する表５又はｄｏｕｂｌｅ−ｓｙｍｂｏｌ  ＤＭＲＳに対応する表６を選択することを決定する。
【０１６７】
ネットワークデバイスは、ＤＣＩを用いて第４の指示情報を端末デバイスに送信する。端末デバイスはＤＣＩを受信し、第４の指示情報に基づいて、現在のＰＵＳＣＨのマッピングタイプがＰＵＳＣＨ  ｍａｐｐｉｎｇ  ｔｙｐｅ  Ａであるのか、又はＰＵＳＣＨ  ｍａｐｐｉｎｇ  ｔｙｐｅ  Ｂであるのかを判定し、対応する列を表から選択する。ＰＵＳＣＨ  ｍａｐｐｉｎｇ  ｔｙｐｅ  Ａの場合、ＤＭＲＳの時間領域位置が、ｓｌｏｔ内の開始シンボル位置に対して規定される。この場合、第１のＤＭＲＳシンボルの時間領域内の位置ｌ０が、上位層シグナリングＤＬ−ＤＭＲＳ−ｔｙｐｅＡ−ｐｏｓを用いて、２（ｓｌｏｔの３番目のシンボル）又は３（ｓｌｏｔの４番目のシンボル）に設定されてよい。ＰＵＳＣＨ  ｍａｐｐｉｎｇ  ｔｙｐｅ  Ｂの場合、ＤＭＲＳの時間領域位置が、スケジューリングされたＰＵＳＣＨのリソースの開始シンボル位置に対して規定される。この場合、第１のＤＭＲＳシンボルの時間領域内の位置ｌ０が、ＰＵＳＣＨの第１のシンボルであり、ＰＵＳＣＨの時間領域位置に対して０のインデックスを有する。
【０１６８】
ネットワークデバイスは、第６の指示情報を用いて、ａｄｄｉｔｉｏｎａｌ  ＤＭＲＳの個数を端末デバイスに示してよい。具体的には、ネットワークデバイスは、ＲＲＣシグナリングを用いてＵＬ−ＤＭＲＳ−ａｄｄ−ｐｏｓを送信する。端末デバイスは、ＲＲＣシグナリングを受信してａｄｄｉｔｉｏｎａｌ  ＤＭＲＳの個数を取得し、対応する列（ＤＭＲＳ位置セット）を表から選択する。
【０１６９】
ネットワークデバイスは、ＰＵＳＣＨの連続するシンボルの個数（ＰＵＳＣＨ  ｄｕｒａｔｉｏｎ  ｉｎ  ｓｙｍｂｏｌｓ）と、ＰＵＳＣＨの開始シンボル位置とを、ＤＣＩシグナリングを用いて端末デバイスに示してよい。端末デバイスは、ＤＣＩシグナリングを受信してＰＵＳＣＨ  ｄｕｒａｔｉｏｎ  ｉｎ  ｓｙｍｂｏｌｓを取得し、ｆｒｏｎｔ−ｌｏａｄｅｄ  ＤＭＲＳの位置ｌ０の特定値を基準にして、ＤＭＲＳの最後の時間領域位置を決定する。さらに、端末デバイスは当該位置にＤＭＲＳをマッピングし、送信してよい。
【０１７０】
前述のプロセスは、説明を理解しやすくするための、単なる例であることを理解されたい。特定の実装例において、プロセス間に特定の時系列順がなくてよい。端末デバイスは、ＤＭＲＳの時間領域位置が決定され得る場合、前述のシグナリングに関連して異なる順序を用いてよい。
【表５】
2020527874.tif 000007
【表６】
2020527874.tif 000008
【０１７１】
具体的には、ＤＭＲＳシンボルの位置がｉで表されてよく、ＰＵＳＣＨの連続するシンボルの個数は、表５及び表６の両方に用いられる。さらに、ＤＬ−ＤＭＲＳ−ｔｙｐｅＡ−ｐｏｓが２と等しい場合、ＵＬ−ＤＭＲＳ−ａｄｄ−ｐｏｓは３と等しくてよい（Ｔｈｅ  ｐｏｓｉｔｉｏｎ（ｓ）  ｏｆ  ｔｈｅ  ＤＭ−ＲＳ  ｓｙｍｂｏｌｓ  ｉｓ  ｇｉｖｅｎ  ｂｙ  ｉ  ａｎｄ  ｔｈｅ  ｄｕｒａｔｉｏｎ  ｏｆ  ｔｈｅ  ＰＵＳＣＨ  ｔｒａｎｓｍｉｓｓｉｏｎ  ｉｎ  ｓｙｍｂｏｌｓ  ａｃｃｏｒｄｉｎｇ  ｔｏ  Ｔａｂｌｅ  ５  ａｎｄ  ６．  Ｔｈｅ  ｃａｓｅ  ＵＬ−ＤＭＲＳ−ａｄｄ−ｐｏｓ  ｅｑｕａｌ  ｔｏ  ３  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【０１７２】
ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表５を選択し、ＰＵＳＣＨ  ｄｕｒａｔｉｏｎ  ｉｎ  ｓｙｍｂｏｌｓが７であること、ＰＵＳＣＨのマッピングタイプがＰＵＳＣＨ  ｍａｐｐｉｎｇ  ｔｙｐｅ  Ａであること、ａｄｄｉｔｉｏｎａｌ  ＤＭＲＳの個数が１個であること、及びｌ０＝２であることを決定する。この場合、端末デバイスは、ａｄｄｉｔｉｏｎａｌ  ＤＭＲＳの７の時間領域位置を表５から選択してよい。図５には、特定のＤＭＲＳパターンが示されている。ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表５を選択し、ＰＵＳＣＨ  ｄｕｒａｔｉｏｎ  ｉｎ  ｓｙｍｂｏｌｓが７であること、ＰＵＳＣＨのマッピングタイプがＰＵＳＣＨ  ｍａｐｐｉｎｇ  ｔｙｐｅ  Ａであること、ａｄｄｉｔｉｏｎａｌ  ＤＭＲＳの個数が１個であること、及びｌ０＝３であることを決定する。この場合、端末デバイスは、ａｄｄｉｔｉｏｎａｌ  ＤＭＲＳの９の時間領域位置を表５から選択してよい。図６には、特定のＤＭＲＳパターンが示されている。
【０１７３】
表５及び表６の中の「−」は、構成がサポートされていないことを示すことを理解されたい。特定の実装例において、柔軟なスケジューリングの要件を満たすために、当該構成は別のＤＭＲＳ位置構成に置き換えられてよい。例えば、ｌ０のみが含まれてよく、又はＵＬ−ＤＭＲＳ−ａｄｄ−ｐｏｓの個数が１個だけ減少する構成が用いられる、又はＰＵＳＣＨ範囲を超えるＤＭＲＳがパンクチャリング（ｐｕｎｃｔｕｒｅ）されてよい。例えば表５では、ＵＬ−ＤＭＲＳ−ａｄｄ−ｐｏｓ＝３であり且つｌ０＝２である場合、ＰＵＳＣＨ  ｄｕｒａｔｉｏｎ  ｉｎ  ｓｙｍｂｏｌｓ＝９であるならば、対応する「−」は、前述の方法を用いて「ｌ０」、「ｌ０，６，９」、又は「ｌ０，５，８」に別々に置き換えられてよい。しかしながら、このことは、本願の本実施形態において限定されるものではない。
【０１７４】
表５及び表６は２つの独立した表であってもよく、１つの表に結合されてもよく、又は別の表に組み込まれてもよいことをさらに理解されたい。これらの表の特定の表現形式が、本願の本実施形態において限定されることはない。
【０１７５】
ケース２：ダウンリンク伝送
【０１７６】
ネットワークデバイスは、ＲＲＣシグナリングを用いて、第７の指示情報を端末デバイスに送信し、ｆｒｏｎｔ−ｌｏａｄｅｄ  ＤＭＲＳのシンボルの実際の個数を示す。端末デバイスはＲＲＣシグナリングを受信し、第７の指示情報を用いて、ｓｉｎｇｌｅ−ｓｙｍｂｏｌ  ＤＭＲＳに対応する表７又はｄｏｕｂｌｅ−ｓｙｍｂｏｌ  ＤＭＲＳに対応する表８を選択する。具体的には、ネットワークデバイスは、ＲＲＣシグナリングを用いて、ｆｒｏｎｔ−ｌｏａｄｅｄ  ＤＭＲＳのシンボルの最大数（ＤＬ−ＤＭＲＳ−ｍａｘ−ｌｅｎ）を設定してよい。ＤＬ−ＤＭＲＳ−ｍａｘ−ｌｅｎ＝１の場合、ｆｒｏｎｔ−ｌｏａｄｅｄ  ＤＭＲＳはｓｉｎｇｌｅ−ｓｙｍｂｏｌ  ＤＭＲＳである、又はＤＬ−ＤＭＲＳ−ｍａｘ−ｌｅｎ＝２の場合、ネットワークデバイスはさらに、ＤＣＩシグナリングを用いて、ｆｒｏｎｔ−ｌｏａｄｅｄ  ＤＭＲＳのシンボルの実際の個数を設定してよい。端末デバイスは、ＲＲＣシグナリングに基づいて、又はＲＲＣシグナリング及びＤＣＩシグナリングを基準にして、ｓｉｎｇｌｅ−ｓｙｍｂｏｌ  ＤＭＲＳ又はｄｏｕｂｌｅ−ｓｙｍｂｏｌ  ＤＭＲＳである現在のｆｒｏｎｔ−ｌｏａｄｅｄ  ＤＭＲＳを取得し、さらに、ｓｉｎｇｌｅ−ｓｙｍｂｏｌ  ＤＭＲＳに対応する表７又はｄｏｕｂｌｅ−ｓｙｍｂｏｌ  ＤＭＲＳに対応する表８を選択することを決定する。
【０１７７】
ネットワークデバイスは、ＤＣＩを用いて第４の指示情報を端末デバイスに送信する。端末デバイスはＤＣＩを受信し、第４の指示情報に基づいて、現在のＰＤＳＣＨのマッピングタイプがＰＤＳＣＨ  ｍａｐｐｉｎｇ  ｔｙｐｅ  Ａであるのか、又はＰＤＳＣＨ  ｍａｐｐｉｎｇ  ｔｙｐｅ  Ｂであるのかを判定し、対応する列を表から選択する。ｍａｐｐｉｎｇ  ｔｙｐｅ  Ａの場合、ＤＭＲＳの時間領域位置が、ｓｌｏｔ内の開始シンボル位置に対して規定される。この場合、第１のＤＭＲＳシンボルの時間領域内の位置ｌ０が、上位層シグナリングＤＬ−ＤＭＲＳ−ｔｙｐｅＡ−ｐｏｓを用いて、２（ｓｌｏｔの３番目のシンボル）又は３（ｓｌｏｔの４番目のシンボル）に設定されてよい。ｍａｐｐｉｎｇ  ｔｙｐｅ  Ｂの場合、ＤＭＲＳの時間領域位置が、スケジューリングされたＰＵＳＣＨのリソースの開始シンボル位置に対して規定される。この場合、第１のＤＭＲＳシンボルの時間領域内の位置ｌ０が、ＰＵＳＣＨの第１のシンボルであり、ＰＵＳＣＨの時間領域位置に対して０のインデックスを有する。
【０１７８】
ネットワークデバイスは、第６の指示情報を用いて、ａｄｄｉｔｉｏｎａｌ  ＤＭＲＳの個数を端末デバイスに示してよい。具体的には、ネットワークデバイスは、ＲＲＣシグナリングを用いてＤＬ−ＤＭＲＳ−ａｄｄ−ｐｏｓを送信する。端末デバイスは、ＲＲＣシグナリングを受信してａｄｄｉｔｉｏｎａｌ  ＤＭＲＳの個数を取得し、対応する列（ＤＭＲＳ位置セット）を表から選択する。
【０１７９】
ネットワークデバイスは、ＰＤＳＣＨの連続するシンボルの個数（ＰＤＳＣＨ  ｄｕｒａｔｉｏｎ  ｉｎ  ｓｙｍｂｏｌｓ）と、ＰＤＳＣＨの開始シンボル位置とを、ＤＣＩシグナリングを用いて端末デバイスに示してよい。端末デバイスは、ＤＣＩシグナリングを受信してＰＤＳＣＨ  ｄｕｒａｔｉｏｎ  ｉｎ  ｓｙｍｂｏｌｓを取得し、ｆｒｏｎｔ−ｌｏａｄｅｄ  ＤＭＲＳの位置ｌ０の特定値を基準にして、ＤＭＲＳの最後の時間領域位置を決定する。さらに、端末デバイスは、ネットワークデバイスにより送信されるＤＭＲＳを当該位置において受信してよい。
【０１８０】
前述のプロセスは、説明を理解しやすくするための、単なる例であることを理解されたい。特定の実装例において、プロセス間に特定の時系列順がなくてよい。端末デバイスは、ＤＭＲＳの時間領域位置が決定され得る場合、前述のシグナリングに関連して異なる順序を用いてよい。
【表７】
2020527874.tif 000009
【表８】
2020527874.tif 000010
【０１８１】
具体的には、ＤＭＲＳシンボルの位置がｉで表されてよく、ＰＤＳＣＨの連続するシンボルの個数は、表７及び表８の両方に用いられる。さらに、ＤＬ−ＤＭＲＳ−ｔｙｐｅＡ−ｐｏｓが２と等しい場合、ＤＬ−ＤＭＲＳ−ａｄｄ−ｐｏｓが３と等しくてよい（Ｔｈｅ  ｐｏｓｉｔｉｏｎ（ｓ）  ｏｆ  ｔｈｅ  ＤＭ−ＲＳ  ｓｙｍｂｏｌｓ  ｉｓ  ｇｉｖｅｎ  ｂｙ  ｉ  ａｎｄ  ｔｈｅ  ｄｕｒａｔｉｏｎ  ｏｆ  ｔｈｅ  ＰＤＳＣＨ  ｔｒａｎｓｍｉｓｓｉｏｎ  ｉｎ  ｓｙｍｂｏｌｓ  ｔｏ  Ｔａｂｌｅｓ  ７  ａｎｄ  ８．  Ｔｈｅ  ｃａｓｅ  ＤＬ−ＤＭＲＳ−ａｄｄ−ｐｏｓ  ｅｑｕａｌ  ｔｏ  ３  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【０１８２】
ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表７を選択し、ＰＵＳＣＨ  ｄｕｒａｔｉｏｎ  ｉｎ  ｓｙｍｂｏｌｓが８であること、ＰＤＳＣＨのマッピングタイプがＰＤＳＣＨ  ｍａｐｐｉｎｇ  ｔｙｐｅ  Ａであること、ａｄｄｉｔｉｏｎａｌ  ＤＭＲＳの個数が２個であること、及びｌ０＝３であることを決定する。この場合、端末デバイスは、ａｄｄｉｔｉｏｎａｌ  ＤＭＲＳの６及び９の時間領域位置を表７から選択してよい。図７には、特定のＤＭＲＳパターンが示されている。ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表７を選択し、ＰＵＳＣＨ  ｄｕｒａｔｉｏｎ  ｉｎ  ｓｙｍｂｏｌｓが９であること、ＰＤＳＣＨのマッピングタイプがＰＤＳＣＨ  ｍａｐｐｉｎｇ  ｔｙｐｅ  Ａであること、ａｄｄｉｔｉｏｎａｌ  ＤＭＲＳの個数が２個であること、及びｌ０＝３であることを決定する。この場合、端末デバイスは、ａｄｄｉｔｉｏｎａｌ  ＤＭＲＳの６及び９の時間領域位置を表８から選択してよい。図８には、特定のＤＭＲＳパターンが示されている。
【０１８３】
表７及び表８の中の「−」は、構成がサポートされていないことを示しており、特定の実装例では、表５及び表６の方式と類似した方式で処理されてよいことを理解されたい。表７及び表８は、２つの独立した表であってもよく、１つの表に結合されてもよく、又は別の表に組み込まれてもよいことをさらに理解されたい。表５〜表８は、代替的に１つの表に結合されてよい。これらの表の特定の表現形式が、本願の本実施形態において限定されることはない。
【０１８４】
本願の実施形態におけるリソース指示方法は、図１〜図８を参照して上記に詳細に説明されており、本願の実施形態における端末デバイス及びネットワークデバイスが、図９〜図１４を参照して詳細に説明される。
【０１８５】
図９は、本願の一実施形態による端末デバイス９００を示す。端末デバイス９００は、ネットワークデバイスにより送信される第１の指示情報を受信するように構成された受信ユニット９１０であって、第１の指示情報は物理共有チャネルのマッピングタイプを示すのに用いられ、物理共有チャネルのマッピングタイプは第１のタイプ又は第２のタイプである、受信ユニット９１０と、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、ＤＭＲＳによりリソース単位において占有される時間領域位置を決定するように構成された決定ユニット９２０であって、物理共有チャネルによりリソース単位において占有される最後のシンボルの位置インデックスは第１のタイプに対応し、物理共有チャネルによりリソース単位において占有されるシンボルの個数は第２のタイプに対応する、決定ユニット９２０とを含む。
【０１８６】
任意選択で、ＤＭＲＳは、第１のＤＭＲＳ及び付加されたＤＭＲＳを含む。決定ユニット９２０は具体的には、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、付加されたＤＭＲＳによりリソース単位において占有される時間領域位置を決定するように構成される。
【０１８７】
任意選択で、物理共有チャネルのマッピングタイプは第１のタイプである。決定ユニット９２０は具体的には、物理共有チャネルによりリソース単位で占有される最後のシンボルの位置インデックスと第１のマッピング関係とに少なくとも基づいて、付加されたＤＭＲＳによりリソース単位において占有される時間領域位置を決定するように構成され、第１のマッピング関係は、物理共有チャネルのリソース単位における最後のシンボルの異なる位置インデックスと、付加されたＤＭＲＳによりリソース単位において占有される異なる時間領域位置との間の対応関係を示すのに用いられる。
【０１８８】
任意選択で、物理共有チャネルのマッピングタイプは第２のタイプである。決定ユニット９２０は具体的には、物理共有チャネルによりリソース単位で占有されるシンボルの個数と第２のマッピング関係とに少なくとも基づいて、付加されたＤＭＲＳによりリソース単位において占有される時間領域位置を決定するように構成され、第２のマッピング関係は、物理共有チャネルによりリソース単位において占有されるシンボルの異なる個数と、付加されたＤＭＲＳによりリソース単位において占有される異なる時間領域位置との間の対応関係を示すのに用いられる。
【０１８９】
任意選択で、受信ユニット９１０はさらに、付加されたＤＭＲＳによりリソース単位において占有される時間領域位置が決定される前に、ネットワークデバイスにより送信される第２の指示情報を受信することであって、第２の指示情報は付加されたＤＭＲＳの個数を示すのに用いられる、受信することと、ネットワークデバイスにより送信される第３の指示情報を受信することであって、第３の指示情報は、第１のＤＭＲＳによりリソース単位において占有されるシンボルの実際の個数を示すのに用いられる、受信することとを行うように構成される。決定ユニット９２０は具体的には、物理共有チャネルのマッピングタイプ、付加されたＤＭＲＳの個数、及び第１のＤＭＲＳによりリソース単位において占有されるシンボルの実際の個数に基づいて、また物理共有チャネルによりリソース単位において占有される最後のシンボルの位置インデックス又は物理共有チャネルによりリソース単位において占有されるシンボルの個数を基準にして、付加されたＤＭＲＳによりリソース単位において占有される時間領域位置を決定するように構成される。
【０１９０】
端末デバイス９００は、本明細書では機能ユニットの形態で与えられることを理解されたい。用語「ユニット」は、本明細書では、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、電子回路、１つ又は複数のソフトウェア若しくはファームウェアプログラムを実行するように構成されたプロセッサ（例えば、共有プロセッサ、固有のプロセッサ、又はパケットプロセッサ）、組み合わせ論理回路、及び／又は説明された機能をサポートする別の適切なコンポーネントのことを指してよい。任意の例において、当業者であれば、端末デバイス９００が具体的には前述の実施形態における端末デバイスであってよいことを理解するであろう。端末デバイス９００は、前述の方法の実施形態３００における端末デバイスに対応する各手順及び／又は段階を実行するように構成されてよい。繰り返しを避けるために、詳細は再度ここで説明しない。
【０１９１】
可能性のある一実装例において、受信ユニット９１０はさらに、復調参照信号ＤＭＲＳ構成情報を受信することであって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、受信することを行うように構成される。端末デバイス９００はさらに、ＤＭＲＳ構成情報を格納するように構成された記憶ユニットを含む。
【０１９２】
図１０は、本願の一実施形態によるネットワークデバイス１０００を示す。ネットワークデバイス１０００は、第１の指示情報を決定するように構成された決定ユニット１０１０であって、第１の指示情報は、復調参照信号の物理共有チャネルにマッピングタイプを示すのに用いられ、物理共有チャネルのマッピングタイプは第１のタイプ又は第２のタイプである、決定ユニット１０１０と、第１の指示情報を端末デバイスに送信するように構成された送信ユニット１０２０であって、物理共有チャネルによりリソース単位において占有される最後のシンボルの位置インデックスが第１のタイプに対応し、物理共有チャネルによりリソース単位において占有されるシンボルの個数が第２のタイプに対応する、送信ユニット１０２０とを含む。
【０１９３】
任意選択で、ＤＭＲＳは、第１のＤＭＲＳ及び付加されたＤＭＲＳを含む。送信ユニット１０２０はさらに、第２の指示情報を端末デバイスに送信することであって、第２の指示情報は付加されたＤＭＲＳの個数を示すのに用いられる、送信することと、第３の指示情報を端末デバイスに送信することであって、第３の指示情報は、第１のＤＭＲＳによりリソース単位において占有されるシンボルの実際の個数を示すのに用いられる、送信することとを行うように構成される。
【０１９４】
ネットワークデバイス１０００は、本明細書では機能ユニットの形態で与えられることを理解されたい。用語「ユニット」は、本明細書では、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、電子回路、１つ又は複数のソフトウェア若しくはファームウェアプログラムを実行するように構成されたプロセッサ（例えば、共有プロセッサ、固有のプロセッサ、又はパケットプロセッサ）、組み合わせ論理回路、及び／又は説明された機能をサポートする別の適切なコンポーネントのことを指してよい。任意の例において、当業者であれば、ネットワークデバイス１０００が具体的には前述の実施形態におけるネットワークデバイスであってよいことを理解するであろう。ネットワークデバイス１０００は、前述の方法の実施形態３００におけるネットワークデバイスに対応する各手順及び／又は段階を実行するように構成されてよい。繰り返しを避けるために、詳細は再度ここで説明しない。
【０１９５】
可能性のある一実装例において、ネットワークデバイスはさらに、復調参照信号ＤＭＲＳ構成情報を受信するように構成された受信ユニットであって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、受信ユニットと、ＤＭＲＳ構成情報を格納するように構成された記憶ユニットとを含む。
【０１９６】
図１１は、本願の一実施形態による別の端末デバイス１１００を示す。端末デバイス１１００は、ネットワークデバイスにより送信される第４の指示情報を受信するように構成された受信ユニット１１１０であって、第４の指示情報は、復調参照信号の物理共有チャネルのマッピングタイプと、物理共有チャネルによりリソース単位において占有されるシンボルの個数とを示すのに用いられ、物理共有チャネルのマッピングタイプは第１のタイプ又は第２のタイプである、受信ユニット１１１０と、物理共有チャネルのマッピングタイプ、物理共有チャネルによりリソース単位において占有されるシンボルの個数、及びＤＭＲＳのうちの第１のＤＭＲＳによりリソース単位において占有される時間領域位置に基づいて、ＤＭＲＳのうちの付加されたＤＭＲＳによりリソース単位において占有される時間領域位置を決定するように構成された決定ユニット１１２０とを含む。
【０１９７】
任意選択で、受信ユニット１１１０はさらに、ＤＭＲＳのうちの付加されたＤＭＲＳによりリソース単位において占有される時間領域位置が決定される前に、ネットワークデバイスにより送信される第５の指示情報を受信するように構成され、第５の指示情報は、第１のＤＭＲＳによりリソース単位において占有される時間領域位置を示すのに用いられる。
【０１９８】
任意選択で、物理共有チャネルのマッピングタイプは第１のタイプである。決定ユニット１１２０は具体的には、物理共有チャネルによりリソース単位において占有されるシンボルの個数、第１のＤＭＲＳによりリソース単位において占有される時間領域位置、及び第３のマッピング関係に基づいて、付加されたＤＭＲＳによりリソース単位において占有される時間領域位置を決定するように構成され、第３のマッピング関係は、物理共有チャネルによりリソース単位において占有されるシンボルの異なる個数と、第１のＤＭＲＳによりリソース単位において占有される異なる時間領域位置と、付加されたＤＭＲＳによりリソース単位において占有される異なる時間領域位置との対応関係を示すのに用いられる。
【０１９９】
任意選択で、物理共有チャネルのマッピングタイプは第２のタイプである。決定ユニット１１２０は具体的には、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を決定するように構成され、第４のマッピング関係は、物理共有チャネルによりリソース単位において占有されるシンボルの異なる個数と、第１のＤＭＲＳによりリソース単位において占有する異なる時間領域位置と、付加されたＤＭＲＳにより物理共有チャネルにおいて占有される異なる時間領域位置との対応関係を示すのに用いられる。
【０２００】
任意選択で、受信ユニット１１１０はさらに、ＤＭＲＳのうちの付加されたＤＭＲＳによりリソース単位において占有される時間領域位置が決定される前に、ネットワークデバイスにより送信される第６の指示情報を受信することであって、第６の指示情報は付加されたＤＭＲＳの個数を示すのに用いられる、受信することと、ネットワークデバイスにより送信される第７の指示情報を受信することであって、第７の指示情報は、第１のＤＭＲＳによりリソース単位において占有されるシンボルの実際の個数を示すのに用いられる、受信することとを行うように構成される。決定ユニット１１２０は具体的には、物理共有チャネルのマッピングタイプ、物理共有チャネルによりリソース単位において占有されるシンボルの個数、第１のＤＭＲＳによりリソース単位において占有される時間領域位置、付加されたＤＭＲＳの個数、及び第１のＤＭＲＳによりリソース単位において占有されるシンボルの実際の個数に基づいて、付加されたＤＭＲＳによりリソース単位において占有される時間領域位置を決定するように構成される。
【０２０１】
端末デバイス１１００は、本明細書では機能ユニットの形態で与えられることを理解されたい。用語「ユニット」は、本明細書では、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、電子回路、１つ又は複数のソフトウェア若しくはファームウェアプログラムを実行するように構成されたプロセッサ（例えば、共有プロセッサ、固有のプロセッサ、又はパケットプロセッサ）、組み合わせ論理回路、及び／又は説明された機能をサポートする別の適切なコンポーネントのことを指してよい。任意の例において、当業者であれば、端末デバイス１１００が具体的には前述の実施形態における端末デバイスであってよいことを理解するであろう。端末デバイス１１００は、前述の方法の実施形態４００における端末デバイスに対応する各手順及び／又は段階を実行するように構成されてよい。繰り返しを避けるために、詳細は再度ここで説明しない。
【０２０２】
可能性のある一実装例において、受信ユニット１１１０はさらに、復調参照信号ＤＭＲＳ構成情報を受信するように構成され、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプは第１のタイプ及び第２のタイプを含む。端末デバイス１１００はさらに、ＤＭＲＳ構成情報を格納するように構成された記憶ユニットを含む。
【０２０３】
図１２は、本願の一実施形態による別の端末デバイス１２００を示す。装置１２００は、プロセッサ１２１０と、送受信機１２２０と、メモリ１２３０とを含む。プロセッサ１２１０、送受信機１２２０、及びメモリ１２３０は、内部接続パスを通じて互いに通信する。メモリ１２３０は、命令を格納するように構成される。プロセッサ１２１０は、メモリ１２３０に格納された命令を実行し、送受信機１２２０を制御して信号を送信する且つ／又は信号を受信するように構成される。
【０２０４】
メモリ１２０３に格納されたプログラム命令がプロセッサ１２０１により実行されると、プロセッサ１２０１は、送受信機１２２０を用いて、ネットワークデバイスにより送信される第１の指示情報を受信することであって、第１の指示情報は物理共有チャネルのマッピングタイプを示すのに用いられ、物理共有チャネルのマッピングタイプは第１のタイプ又は第２のタイプである、受信することと、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、ＤＭＲＳによりリソース単位において占有される時間領域位置を決定することであって、物理共有チャネルによりリソース単位において占有される最後のシンボルの位置インデックスは第１のタイプに対応し、物理共有チャネルによりリソース単位において占有されるシンボルの個数は第２のタイプに対応する、決定することとを行うように構成される。
【０２０５】
あるいは、メモリ１２３０はＤＭＲＳ構成情報を格納し、ＤＭＲＳ構成情報は、ＤＭＲＳの異なるマッピングタイプにおけるＤＭＲＳの時間領域位置を含み、物理共有チャネルのマッピングタイプは第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む。
【０２０６】
プロセッサ１２０１及びメモリ１２０３は、１つの処理装置に結合されてよく、プロセッサ１２０１は、メモリ１２０３に格納されたプログラムコードを実行して、前述の機能を実装するように構成される。特定の実装例において、メモリ１２０３は代替的に、プロセッサ１２０１に統合されても、プロセッサ１２０１から独立していてもよい。端末デバイス１２００はさらに、送受信機１２０２により出力されるアップリンクデータ又はアップリンク制御シグナリングを、無線信号を用いて送信するように構成されたアンテナ１２０４を含んでよい。
【０２０７】
端末デバイス１２００は具体的には、前述の実施形態３００における端末デバイスであってよく、前述の方法の実施形態３００における端末デバイスに対応する各段階及び／又は手順を実行するように構成されてよいことを理解されたい。任意選択で、メモリ１２０３は、リードオンリメモリ及びランダムアクセスメモリを含み、命令及びデータをプロセッサに提供してよい。メモリの一部がさらに、不揮発性ランダムアクセスメモリを含んでよい。例えば、メモリはさらに、デバイスタイプについての情報を格納してよい。プロセッサ１２０１は、メモリに格納された命令を実行するように構成されてよく、メモリに格納された命令をプロセッサ１２０１が実行する場合、プロセッサ１２０１は、前述の方法の実施形態における端末デバイスに対応する各段階及び／又は手順を実行するように構成される。
【０２０８】
プロセッサ１２０１は、端末の内部に実装された、また前述の方法の実施形態において説明された動作を行うように構成されてよく、送受信機１２０２は、前述の方法の実施形態において説明された端末デバイスへの端末からの伝送又は送信という動作を行うように構成されてよい。詳細については、前述の方法の実施形態における説明を参照されたい。詳細は再度ここで説明しない。
【０２０９】
端末デバイス１２００はさらに、端末デバイス１２００内の様々な構成要素又は回路に電力源を供給するように構成された電源１２０６を含んでよい。
【０２１０】
それに加えて、端末デバイスの機能をより完全なものにするために、端末デバイス１２００はさらに、入力装置１２０６、表示装置１２０７、オーディオ回路１２０８、カメラ１２０１２、及びセンサ１２１０のうちの１つ又は複数を含んでよい。オーディオ回路はさらに、スピーカ１２０８２及びマイク１２０８４などを含んでよい。
【０２１１】
図１３は、本願の一実施形態による別のネットワークデバイス１３００を示す。装置１３００は、プロセッサ１３１０と、送受信機１３２０と、メモリ１３３０とを含む。プロセッサ１３１０、送受信機１３２０、及びメモリ１３３０は、内部接続パスを通じて互いに通信する。メモリ１３３０は、命令を格納するように構成される。プロセッサ１３１０は、メモリ１３３０に格納された命令を実行し、送受信機１３２０を制御して信号を送信する且つ／又は信号を受信するように構成される。
【０２１２】
メモリ１３３０に格納されたプログラム命令がプロセッサ１３１０により実行される場合、プロセッサ１３１０は、第１の指示情報を決定することであって、第１の指示情報は復調参照信号の物理共有チャネルのマッピングタイプを示すのに用いられ、物理共有チャネルのマッピングタイプは第１のタイプ又は第２のタイプである、決定することと、送受信機１３２０を用いて第１の指示情報を端末デバイスに送信することであって、物理共有チャネルによりリソース単位において占有される最後のシンボルの位置インデックスが第１のタイプに対応し、物理共有チャネルによりリソース単位において占有されるシンボルの個数が第２のタイプに対応する、送信することとを行うように構成される。
【０２１３】
あるいは、メモリ１３３０はＤＭＲＳ構成情報を格納し、ＤＭＲＳ構成情報は、ＤＭＲＳの異なるマッピングタイプにおけるＤＭＲＳの時間領域位置を含み、物理共有チャネルのマッピングタイプは第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む。
【０２１４】
プロセッサ１３１０及びメモリ１３３０は、１つの処理装置に結合されてよく、プロセッサ１３１０は、メモリ１３３０に格納されたプログラムコードを実行して、前述の機能を実装するように構成される。特定の実装例において、メモリ１３３０は代替的に、プロセッサ１３１０に統合されても、プロセッサ１３１０から独立していてもよい。
【０２１５】
ネットワークデバイス１３００はさらに、送受信機１３２０により出力されるダウンリンクデータ又はダウンリンク制御シグナリングを、無線信号を用いて送信するように構成されたアンテナ１３４０を含んでよい。ネットワークデバイス１３００は具体的には、前述の実施形態２００におけるネットワークデバイスであってよく、前述の方法の実施形態３００におけるネットワークデバイスに対応する各段階及び／又は手順を実行するように構成されてよいことを理解されたい。任意選択で、メモリ１３３０は、リードオンリメモリ及びランダムアクセスメモリを含み、命令及びデータをプロセッサに提供してよい。メモリの一部がさらに、不揮発性ランダムアクセスメモリを含んでよい。例えば、メモリはさらに、デバイスタイプについての情報を格納してよい。プロセッサ１３１０は、メモリに格納された命令を実行するように構成されてよく、メモリに格納された命令をプロセッサ１３１０が実行する場合、プロセッサ１３１０は、前述の方法の実施形態におけるネットワークデバイスに対応する各段階及び／又は手順を実行するように構成される。
【０２１６】
図１４は、本願の一実施形態による別の端末デバイス１４００を示す。装置１４００は、プロセッサ１４１０と、送受信機１４２０と、メモリ１４３０とを含む。プロセッサ１４１０、送受信機１４２０、及びメモリ１４３０は、内部接続パスを通じて互いに通信する。メモリ１４３０は、命令を格納するように構成される。プロセッサ１４１０は、メモリ１４３０に格納された命令を実行し、送受信機１４２０を制御して信号を送信する且つ／又は信号を受信するように構成される。
【０２１７】
メモリ１４０３に格納されたプログラム命令がプロセッサ１４０１により実行される場合、プロセッサ１４０１は、送受信機１４２０を用いて、ネットワークデバイスにより送信される第４の指示情報を受信することであって、第４の指示情報は、復調参照信号の物理共有チャネルのマッピングタイプと、物理共有チャネルによりリソース単位において占有されるシンボルの個数とを示すのに用いられ、物理共有チャネルのマッピングタイプは第１のタイプ又は第２のタイプである、受信することと、物理共有チャネルのマッピングタイプ、物理共有チャネルによりリソース単位において占有されるシンボルの個数、及びＤＭＲＳのうちの第１のＤＭＲＳによりリソース単位において占有される時間領域位置に基づいて、ＤＭＲＳのうちの付加されたＤＭＲＳによりリソース単位において占有される時間領域位置を決定することとを行うように構成される。
【０２１８】
あるいは、メモリ１３３０はＤＭＲＳ構成情報を格納し、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプは第１のタイプ及び第２のタイプを含む。
【０２１９】
プロセッサ１４０１及びメモリ１４０３は、１つの処理装置に結合されてよく、プロセッサ１４０１は、メモリ１４０３に格納されたプログラムコードを実行して、前述の機能を実装するように構成される。特定の実装例において、メモリ１４０３は代替的に、プロセッサ１４０１に統合されても、プロセッサ１４０１から独立していてもよい。端末デバイス１４００はさらに、送受信機１４０２により出力されるアップリンクデータ又はアップリンク制御シグナリングを、無線信号を用いて送信するように構成されたアンテナ１４０４を含んでよい。
【０２２０】
端末デバイス１４００は具体的には、前述の実施形態３００における端末デバイスであってよく、前述の方法の実施形態３００における端末デバイスに対応する各段階及び／又は手順を実行するように構成されてよいことを理解されたい。任意選択で、メモリ１４０３は、リードオンリメモリ及びランダムアクセスメモリを含み、命令及びデータをプロセッサに提供してよい。メモリの一部がさらに、不揮発性ランダムアクセスメモリを含んでよい。例えば、メモリはさらに、デバイスタイプについての情報を格納してよい。プロセッサ１４０１は、メモリに格納された命令を実行するように構成されてよく、メモリに格納された命令をプロセッサ１４０１が実行する場合、プロセッサ１４０１は、前述の方法の実施形態における端末デバイスに対応する各段階及び／又は手順を実行するように構成される。
【０２２１】
プロセッサ１４０１は、端末の内部に実装された、また前述の方法の実施形態において説明された動作を行うように構成されてよく、送受信機１４０２は、前述の方法の実施形態において説明された端末デバイスへの端末からの伝送又は送信という動作を行うように構成されてよい。詳細については、前述の方法の実施形態における説明を参照されたい。詳細は再度ここで説明しない。
【０２２２】
端末デバイス１４００はさらに、端末デバイス１４００内の様々な構成要素又は回路に電力源を供給するように構成された電源１４０６を含んでよい。
【０２２３】
それに加えて、端末デバイスの機能をより完全なものにするために、端末デバイス１４００はさらに、入力装置１４０６、表示装置１４０７、オーディオ回路１４０８、カメラ１４０１４、及びセンサ１４１０のうちの１つ又は複数を含んでよい。オーディオ回路はさらに、スピーカ１４０８２及びマイク１４０８４などを含んでよい。
【０２２４】
本願の実施形態では、前述のネットワークデバイス及び端末デバイスのプロセッサは中央演算処理装置（ｃｅｎｔｒａｌ  ｐｒｏｃｅｓｓｉｎｇ  ｕｎｉｔ、ＣＰＵ）であってよく、又はプロセッサは、別の汎用プロセッサ、デジタル信号プロセッサ（ＤＳＰ）、特定用途向け集積回路（ＡＳＩＣ）、フィールドプログラマブルゲートアレイ（ＦＰＧＡ）、若しくは別のプログラム可能型論理デバイス、ディスクリートゲート若しくはトランジスタ論理デバイス、又はディスクリートハードウェアコンポーネントなどであってよいことを理解されたい。汎用プロセッサはマイクロプロセッサであってよく、又はプロセッサは任意の従来のプロセッサなどであってよい。
【０２２５】
実装プロセスにおいて、前述の方法の段階がプロセッサ内のハードウェア統合論理回路を用いて、又はソフトウェアの形態による命令を用いて実装されてよい。本願の実施形態を参照して開示された方法の段階は、ハードウェアプロセッサにより直接的に実行されてもよく、プロセッサ内のハードウェアとソフトウェアユニットとの組み合わせを用いて実行されてもよい。ソフトウェアユニットは、ランダムアクセスメモリ、フラッシュメモリ、リードオンリメモリ、プログラム可能型リードオンリメモリ、電気的消去可能プログラム可能型メモリ、又はレジスタなどの、当技術分野において成熟した記憶媒体に位置してよい。記憶媒体はメモリに位置しており、プロセッサはメモリ内の命令を実行し、プロセッサのハードウェアと組み合わせて前述の方法における段階を完了する。繰り返しを避けるために、詳細は再度ここで説明しない。
【０２２６】
本明細書における用語「及び／又は（ａｎｄ／ｏｒ）」は、関連する対象を説明するための対応関係のみを表現し、３つの関係が存在し得ることを表すことを理解されたい。例えば、Ａ及び／又はＢとは、Ａのみが存在する、Ａ及びＢの両方が存在する、Ｂのみが存在するという３つの場合を表すことができる。さらに、本明細書における記号「／」は一般に、関連する対象間の「又は」の関係を示す。
【０２２７】
当業者であれば、本明細書において開示された実施形態を参照して説明された方法の段階及びユニットは、電子的ハードウェア、コンピュータソフトウェア、又はそれらの組み合わせによって実装され得ることを認識するであろう。ハードウェアとソフトウェアとの間の互換性を明確に説明するために、前述したことは概して、各実施形態の段階及び構成物を機能に応じて説明している。これらの機能がハードウェアによって実行されるのか、又はソフトウェアによって実行されるのかは、技術的解決手段の特定の応用及び設計制約によって決まる。当業者であれば、異なる方法を用いて、説明された機能を特定の応用ごとに実装してよいが、こうした実装が本願の範囲を超えるものとみなされるべきではない。
【０２２８】
簡便且つ簡潔な説明のために、前述のシステム、装置、及びユニットの詳細な動作プロセスについては、前述の方法の実施形態での対応するプロセスを参照し、詳細は再度ここで説明しないことが、当業者によって明確に理解されるであろう。
【０２２９】
本願において提供されるいくつかの実施形態では、開示されたシステム、装置、及び方法が他の方式で実装されてよいことを理解されたい。例えば、説明される装置の実施形態は、単なる一例にすぎない。例えば、ユニットの区分は単なる論理的な機能の区分にすぎず、実際の実装では他の区分であってよい。例えば、複数のユニット又は構成要素が組み合わされても、別のシステムに統合されてもよく、又はいくつかの特徴が無視されても実行されなくてもよい。さらに、示された又は論じられた相互の連結又は直接的な連結又は通信接続は、いくつかのインタフェース、装置間若しくはユニット間の間接的な連結若しくは通信接続、又は電気的接続、機械的接続、若しくは他の形態の接続を介して実装されてよい。
【０２３０】
別々の部分として説明されたユニットは、物理的に分かれていてもいなくてもよく、ユニットとして示された部分が物理的ユニットであってもなくてもよく、１つの場所に位置してもよく、複数のネットワークユニットに分散されてもよい。これらのユニットの一部又は全てが、本願の実施形態における解決手段の目的を実現するために、実際の要件に基づいて選択されてよい。
【０２３１】
さらに、本願の実施形態における機能ユニットが１つの処理ユニットに統合されてもよく、これらのユニットのそれぞれが物理的に単独で存在してもよく、２つ又はそれより多くのユニットが１つのユニットに統合されてもよい。統合されたユニットは、ハードウェアの形態で実装されてもよく、ソフトウェア機能ユニットの形態で実装されてもよい。
【０２３２】
統合されたユニットがソフトウェア機能ユニットの形態で実装され、独立した製品として販売又は用いられる場合、統合されたユニットは、コンピュータ可読記憶媒体に格納されてよい。そのような理解に基づいて、本質的には本願の技術的解決手段、又は先行技術に寄与する部分、又は技術的解決手段の全て若しくは一部が、ソフトウェア製品の形態で実装されてよい。ソフトウェア製品は記憶媒体に格納され、コンピュータデバイス（パーソナルコンピュータ、サーバ、又はネットワークデバイスなどであってよい）に指示して、本願の実施形態において説明された方法の段階の全て又は一部を実行するためのいくつかの命令を含む。前述の記憶媒体は、プログラムコードを格納できるあらゆる媒体、例えば、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又は光ディスクなどを含む。
【０２３３】
前述の説明は、本願の単なる特定の実装例にすぎず、本願の保護範囲を限定することを意図していない。本願において開示された技術的範囲内で当業者が容易に考え出すあらゆる修正又は置き換えは、本願の保護範囲に含まれることになる。したがって、本願の保護範囲は、特許請求の範囲に記載された保護範囲に従うことになる。
【図１】
2020527874.tif 000011
【図２】
2020527874.tif 000012
【図３】
2020527874.tif 000013
【図４】
2020527874.tif 000014
【図５】
2020527874.tif 000015
【図６】
2020527874.tif 000016
【図７】
2020527874.tif 000017
【図８】
2020527874.tif 000018
【図９】
2020527874.tif 000019
【図１０】
2020527874.tif 000020
【図１１】
2020527874.tif 000021
【図１２】
2020527874.tif 000022
【図１３】
2020527874.tif 000023
【図１４】
2020527874.tif 000024
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
リソース指示方法であって、
ネットワークデバイスにより送信される第１の指示情報を端末デバイスが受信する段階であって、前記第１の指示情報は、物理共有チャネルのマッピングタイプを示すのに用いられ、前記物理共有チャネルの前記マッピングタイプは第１のタイプ又は第２のタイプである、段階と、
前記物理共有チャネルの前記マッピングタイプが前記第１のタイプである場合、前記物理共有チャネルによりリソース単位において占有される最後のシンボルの位置インデックスを基準にして、復調参照信号（ＤＭＲＳ）により前記リソース単位において占有される時間領域位置を前記端末デバイスが決定する段階と、
前記物理共有チャネルの前記マッピングタイプが前記第２のタイプである場合、前記物理共有チャネルによりリソース単位において占有されるシンボルの個数に基づいて、ＤＭＲＳにより前記リソース単位において占有される時間領域位置を前記端末デバイスが決定する段階と
を備える、方法。
【請求項２】
前記ＤＭＲＳは第１のＤＭＲＳ及び付加されたＤＭＲＳを含み、
ＤＭＲＳによりリソース単位において占有される時間領域位置を決定する前記段階は、
前記物理共有チャネルの前記マッピングタイプが前記第１のタイプである場合、前記物理共有チャネルにより前記リソース単位において占有される前記最後のシンボルの前記位置インデックスを基準にして、前記付加されたＤＭＲＳにより前記リソース単位において占有される時間領域位置を前記端末デバイスが決定する段階と、
前記物理共有チャネルの前記マッピングタイプが前記第２のタイプである場合、前記物理共有チャネルによりリソース単位において占有される前記シンボルの個数に基づいて、前記付加されたＤＭＲＳにより前記リソース単位において占有される時間領域位置を前記端末デバイスが決定する段階と
を有する、請求項１に記載の方法。
【請求項３】
前記物理共有チャネルの前記マッピングタイプは前記第１のタイプであり、
前記付加されたＤＭＲＳにより前記リソース単位において占有される時間領域位置を決定する前記段階は、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を前記端末デバイスが決定する段階であって、前記第１のマッピング関係は、前記リソース単位における物理共有チャネルの最後のシンボルの異なる位置インデックスと、前記付加されたＤＭＲＳにより前記リソース単位において占有される異なる時間領域位置との対応関係を示すのに用いられる、段階を有する、請求項２に記載の方法。
【請求項４】
前記物理共有チャネルの前記マッピングタイプは前記第２のタイプであり、
前記付加されたＤＭＲＳにより前記リソース単位において占有される時間領域位置を決定する前記段階は、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を前記端末デバイスが決定する段階であって、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、段階を有する、請求項２に記載の方法。
【請求項５】
前記付加されたＤＭＲＳにより前記リソース単位において占有される時間領域位置を決定する前記段階の前に、前記方法はさらに、
前記ネットワークデバイスにより送信される第２の指示情報を前記端末デバイスが受信する段階であって、前記第２の指示情報は付加されたＤＭＲＳの個数を示すのに用いられる、段階と、
前記ネットワークデバイスにより送信される第３の指示情報を前記端末デバイスが受信する段階であって、前記第３の指示情報は、前記第１のＤＭＲＳにより前記リソース単位において占有されるシンボルの実際の個数を示すのに用いられる、段階と
を備え、
前記付加されたＤＭＲＳにより前記リソース単位において占有される時間領域位置を決定する前記段階は、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を前記端末デバイスが決定する段階を有する、請求項２から４のいずれか一項に記載の方法。
【請求項６】
ネットワークデバイスが第１の指示情報を決定する段階であって、前記第１の指示情報は、復調参照信号（ＤＭＲＳ）の物理共有チャネルのマッピングタイプを示すのに用いられ、前記物理共有チャネルの前記マッピングタイプは第１のタイプ又は第２のタイプである、段階と、
前記ネットワークデバイスが前記第１の指示情報を端末デバイスに送信する段階と
を備えるリソース指示方法であって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、方法。
【請求項７】
前記ＤＭＲＳが第１のＤＭＲＳ及び付加されたＤＭＲＳを含み、前記方法はさらに、
前記ネットワークデバイスが第２の指示情報を前記端末デバイスに送信する段階であって、前記第２の指示情報は付加されたＤＭＲＳの個数を示すのに用いられる、段階と、
前記ネットワークデバイスが第３の指示情報を前記端末デバイスに送信する段階であって、前記第３の指示情報は、前記第１のＤＭＲＳにより前記リソース単位において占有されるシンボルの実際の個数を示すのに用いられる、段階と
を備える、請求項６に記載の方法。
【請求項８】
第１の指示情報を決定する前記段階の前に、前記方法はさらに、
ＤＭＲＳ構成情報を格納する段階であって、前記ＤＭＲＳ構成情報は、前記物理共有チャネルのマッピングタイプに従うＤＭＲＳの時間領域位置を含む、段階を備える、請求項６に記載の方法。
【請求項９】
前記ＤＭＲＳ構成情報は第１のマッピング関係を含み、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項８に記載の方法。
【請求項１０】
前記ＤＭＲＳ構成情報は第２のマッピング関係を含み、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、請求項８に記載の方法。
【請求項１１】
前記第１の指示情報は第１のタイプを示し、第１のＤＭＲＳの時間領域位置が、スロット内の３番目のシンボル又は４番目のシンボルに対応する、請求項８に記載の方法。
【請求項１２】
前記第１の指示情報は第２のタイプを示し、前記方法はさらに、
物理アップリンク共有チャネル（ＰＵＳＣＨ）又は物理ダウンリンク共有チャネル（ＰＤＳＣＨ）によりスロットにおいて占有される第１のシンボルとなる、第１のＤＭＲＳの前記時間領域位置を通知する段階を備える、請求項８に記載の方法。
【請求項１３】
ネットワークデバイスにより送信される第１の指示情報を受信するように構成された送受信機ユニットであって、前記第１の指示情報は物理共有チャネルのマッピングタイプを示すのに用いられ、前記物理共有チャネルの前記マッピングタイプは第１のタイプ又は第２のタイプである、送受信機ユニットと、
前記物理共有チャネルの前記マッピングタイプが前記第１のタイプである場合、前記物理共有チャネルによりリソース単位において占有される最後のシンボルの位置インデックスを基準にして、復調参照信号（ＤＭＲＳ）により前記リソース単位において占有される時間領域位置を決定し、前記物理共有チャネルの前記マッピングタイプが前記第２のタイプである場合、前記物理共有チャネルによりリソース単位において占有されるシンボルの個数に基づいて、ＤＭＲＳにより前記リソース単位において占有される時間領域位置を決定するように構成された処理ユニットと
を備える、端末デバイス。
【請求項１４】
前記ＤＭＲＳは第１のＤＭＲＳと付加されたＤＭＲＳを含み、
前記処理ユニットは具体的には、
前記物理共有チャネルの前記マッピングタイプが前記第１のタイプである場合、前記物理共有チャネルにより前記リソース単位において占有される前記最後のシンボルの前記位置インデックスを基準にして、前記付加されたＤＭＲＳにより前記リソース単位において占有される時間領域位置を決定し、
前記物理共有チャネルの前記マッピングタイプが前記第２のタイプである場合、前記物理共有チャネルによりリソース単位において占有される前記シンボルの個数に基づいて、前記付加されたＤＭＲＳにより前記リソース単位において占有される時間領域位置を決定する
ように構成される、請求項１３に記載の端末デバイス。
【請求項１５】
前記物理共有チャネルの前記マッピングタイプは前記第１のタイプであり、
前記処理ユニットは具体的には、
前記物理共有チャネルにより前記リソース単位において占有される前記最後のシンボルの前記位置インデックスと第１のマッピング関係とに少なくとも基づいて、前記付加されたＤＭＲＳにより前記リソース単位において占有される前記時間領域位置を決定するように構成され、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項１４に記載の端末デバイス。
【請求項１６】
前記物理共有チャネルの前記マッピングタイプは前記第２のタイプであり、
前記処理ユニットは具体的には、
前記物理共有チャネルにより前記リソース単位において占有される前記シンボルの個数と第２のマッピング関係とに少なくとも基づいて、前記付加されたＤＭＲＳにより前記リソース単位において占有される前記時間領域位置を決定するように構成され、前記第２のマッピング関係は、前記物理共有チャネルにより前記リソース単位において占有されるシンボルの異なる個数と、付加されたＤＭＲＳにより前記リソース単位において占有される異なる時間領域位置との対応関係を示すのに用いられる、請求項１５に記載の端末デバイス。
【請求項１７】
前記送受信機ユニットはさらに、
前記付加されたＤＭＲＳにより前記リソース単位において占有される前記時間領域位置が決定される前に、前記ネットワークデバイスにより送信される第２の指示情報を受信することであって、前記第２の指示情報は、付加されたＤＭＲＳの個数を示すのに用いられる、受信することと、
前記ネットワークデバイスにより送信される第３の指示情報を受信することであって、前記第３の指示情報は、前記第１のＤＭＲＳにより前記リソース単位において占有されるシンボルの実際の個数を示すのに用いられる、受信することと
を行うように構成され、
前記処理ユニットは具体的には、
前記物理共有チャネルの前記マッピングタイプ、前記付加されたＤＭＲＳの個数、及び前記第１のＤＭＲＳにより前記リソース単位において占有される前記シンボルの実際の個数に基づいて、また前記物理共有チャネルにより前記リソース単位において占有される前記最後のシンボルの前記位置インデックス又は前記物理共有チャネルにより前記リソース単位において占有される前記シンボルの個数を基準にして、前記付加されたＤＭＲＳにより前記リソース単位において占有される前記時間領域位置を決定するように構成される、請求項１４から１６のいずれか一項に記載の端末デバイス。
【請求項１８】
第１の指示情報を決定するように構成された処理ユニットであって、前記第１の指示情報は、復調参照信号（ＤＭＲＳ）の物理共有チャネルのマッピングタイプを示すのに用いられ、前記物理共有チャネルの前記マッピングタイプは第１のタイプ又は第２のタイプである、プロセッサと、
前記第１の指示情報を端末デバイスに送信するように構成された送受信機ユニットと
を備えるネットワークデバイスであって、
前記物理共有チャネルによりリソース単位において占有される最後のシンボルの位置インデックスが前記第１のタイプに対応し、前記物理共有チャネルにより前記リソース単位において占有されるシンボルの個数が前記第２のタイプに対応する、ネットワークデバイス。
【請求項１９】
前記ＤＭＲＳは第１のＤＭＲＳ及び付加されたＤＭＲＳを含み、前記送受信機ユニットはさらに、
第２の指示情報を前記端末デバイスに送信することであって、前記第２の指示情報は付加されたＤＭＲＳの個数を示すのに用いられる、送信することと、
第３の指示情報を前記端末デバイスに送信することであって、前記第３の指示情報は、前記第１のＤＭＲＳにより前記リソース単位において占有されるシンボルの実際の個数を示すのに用いられる、送信することと
を行うように構成される、請求項１８に記載のネットワークデバイス。
【請求項２０】
前記ネットワークデバイスはさらに、
ＤＭＲＳ構成情報を格納するように構成されたメモリであって、前記ＤＭＲＳ構成情報は、前記物理共有チャネルのマッピングタイプに従うＤＭＲＳの時間領域位置を含む、メモリを備える、請求項１８に記載のネットワークデバイス。
【請求項２１】
前記メモリに格納された前記ＤＭＲＳ構成情報は第１のマッピング関係を含み、前記第１のマッピング関係は、前記リソース単位における物理共有チャネルの前記最後のシンボルの異なる位置インデックスと、付加されたＤＭＲＳにより前記リソース単位において占有される異なる時間領域位置との対応関係を示すのに用いられる、請求項２０に記載のネットワークデバイス。
【請求項２２】
前記メモリに格納された前記ＤＭＲＳ構成情報は第２のマッピング関係を含み、前記第２のマッピング関係は、物理共有チャネルにより前記リソース単位において占有されるシンボルの異なる個数と、付加されたＤＭＲＳにより前記リソース単位において占有される異なる時間領域位置との対応関係を示すのに用いられる、請求項２０に記載のネットワークデバイス。
【請求項２３】
前記送受信機ユニットにより送信される前記第１の指示情報は第１のタイプを示し、前記第１のＤＭＲＳに対応する時間領域位置が、スロット内の３番目のシンボル又は４番目のシンボルである、請求項１９に記載のネットワークデバイス。
【請求項２４】
前記送受信機ユニットにより送信される前記第１の指示情報は第２のタイプを示し、前記送受信機ユニットはさらに、前記第１のＤＭＲＳの時間領域位置を前記端末デバイスに通知するように構成され、前記第１のＤＭＲＳの前記時間領域位置は、物理アップリンク共有チャネル（ＰＵＳＣＨ）又は物理ダウンリンク共有チャネル（ＰＤＳＣＨ）によりスロットにおいて占有される第１のシンボルである、請求項１９に記載のネットワークデバイス。
【請求項２５】
請求項１から１２のいずれか一項に記載の方法をコンピュータに実施させるための、プログラム。
【請求項２６】
プロセッサを備え、メモリに格納された命令を読み出すように構成されたチップであって、前記プロセッサが前記命令を実行すると、前記チップは請求項１から１２のいずれか一項に記載の方法を実施することが可能である、チップ。
【手続補正２】
【補正対象書類名】明細書
【補正対象項目名】０００５
【補正方法】変更
【補正の内容】
【０００５】
ｍａｐｐｉｎｇ  ｔｙｐｅ  Ａの現在の設計では誤りが生じ得るので、ｍａｐｐｉｎｇ  ｔｙｐｅ  Ａにおいてサポートされる同じ個数のａｄｄｉｔｉｏｎａｌ  ＤＭＲＳを、ネットワークデバイスが正しく示すことができない。具体的には、同じＰＤＳＣＨ  ｄｕｒａｔｉｏｎ又は同じＰＵＳＣＨ  ｄｕｒａｔｉｏｎの場合、ａｄｄｉｔｉｏｎａｌ  ＤＭＲＳがリソース単位の異なる時間領域位置を占有する。例えば、ＰＵＳＣＨ  ｄｕｒａｔｉｏｎが７つのシンボルである場合、ａｄｄｉｔｉｏｎａｌ  ＤＭＲＳがリソース単位における８番目のシンボルに設定されるのか又は１０番目のシンボルに設定されるのかが、区別できない。したがって、ＤＭＲＳによりリソース単位において占有される時間領域位置を端末デバイスが決定することができず、ネットワークデバイスと端末デバイスとの間の通信に影響を与える。
【手続補正３】
【補正対象書類名】明細書
【補正対象項目名】００２１
【補正方法】変更
【補正の内容】
【００２１】
第１の態様の別の実装例では、リソース構成方法が提供される。本リソース構成方法は、復調参照信号（ＤＭＲＳ）構成情報を受信する段階であって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、段階と、ＤＭＲＳ構成情報を格納する段階とを含む。
【手続補正４】
【補正対象書類名】明細書
【補正対象項目名】００２５
【補正方法】変更
【補正の内容】
【００２５】
第２の態様の別の実装例では、リソース構成方法が提供される。本リソース構成方法は、復調参照信号（ＤＭＲＳ）構成情報を受信する段階であって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、段階と、ＤＭＲＳ構成情報を格納する段階とを含む。
【手続補正５】
【補正対象書類名】明細書
【補正対象項目名】００３１
【補正方法】変更
【補正の内容】
【００３１】
第３の態様に関連して、第３の態様のいくつかの実装例では、物理共有チャネルのマッピングタイプは第２のタイプであり、ＤＭＲＳのうちの付加されたＤＭＲＳによりリソース単位において占有される時間領域位置を決定する段階は、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を端末デバイスが決定する段階であって、第４のマッピング関係は、物理共有チャネルによりリソース単位において占有されるシンボルの異なる個数と、第１のＤＭＲＳによりリソース単位において占有される異なる時間領域位置と、付加されたＤＭＲＳによりリソース単位において占有される異なる時間領域位置との間の対応関係を示すのに用いられる、段階を含む。
【手続補正６】
【補正対象書類名】明細書
【補正対象項目名】００３３
【補正方法】変更
【補正の内容】
【００３３】
第３の態様の別の実装例では、リソース構成方法が提供される。本リソース構成方法は、復調参照信号（ＤＭＲＳ）構成情報を受信する段階であって、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプが第１のタイプ及び第２のタイプを含む、段階と、ＤＭＲＳ構成情報を格納する段階とを含む。
【手続補正７】
【補正対象書類名】明細書
【補正対象項目名】００３７
【補正方法】変更
【補正の内容】
【００３７】
第７の態様によれば、別の端末デバイスが提供される。この端末デバイスは、送受信機と、メモリと、プロセッサとを含む。送受信機、メモリ、及びプロセッサは、内部接続パスを通じて互いに通信する。メモリは、命令を格納するように構成される。プロセッサは、メモリに格納された命令を実行して、信号を受信及び送信するよう送受信機を制御するように構成される。信号を受信及び送信するよう送受信機を制御するように構成される。さらに、メモリに格納された命令をプロセッサが実行する場合、プロセッサは、第１の態様又は第１の態様の可能性のある実装例のうちのいずれか１つによる方法を実行することが可能になる。
【手続補正８】
【補正対象書類名】明細書
【補正対象項目名】００６２
【補正方法】変更
【補正の内容】
【００６２】
本願の実施形態における技術的解決手段は、様々な通信システム、例えば、移動通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ（登録商標））システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割多重（ｔｉｍｅ  ｄｉｖｉｓｉｏｎ  ｄｕｐｌｅｘ、ＴＤＤ）システム、ユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）システム、ワールドワイドインターオペラビリティフォーマイクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、将来の第５世代（５ｔｈ  ｇｅｎｅｒａｔｉｏｎ、５Ｇ）システム、又は新たな無線（ｎｅｗ  ｒａｄｉｏ、ＮＲ）システムなどに適用されてよいことを理解されたい。
【手続補正９】
【補正対象書類名】明細書
【補正対象項目名】００６３
【補正方法】変更
【補正の内容】
【００６３】
本願の実施形態の技術的解決手段はさらに、非直交多元接続技術、例えば、スパースコード多元接続（ｓｐａｒｓｅ  ｃｏｄｅ  ｍｕｌｔｉｐｌｅ  ａｃｃｅｓｓ、ＳＣＭＡ）システムに基づく、様々な通信システムに適用されてよいことをさらに理解されたい。もちろん、ＳＣＭＡは、通信分野では別の名前でも呼ばれることがある。さらに、本願の実施形態における技術的解決手段は、非直交多元接続技術を用いるマルチキャリア伝送システム、例えば、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）、フィルタバンクマルチキャリア（ｆｉｌｔｅｒ  ｂａｎｋ  ｍｕｌｔｉ ｃａｒｒｉｅｒ、ＦＢＭＣ）、一般化された周波数分割多重化（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ、ＧＦＤＭ）、及びフィルタリング直交周波数分割多重化（ｆｉｌｔｅｒｅｄ−ＯＦＤＭ、Ｆ−ＯＦＤＭ）の非直交多元接続技術を用いるシステムに適用されてよい。
【手続補正１０】
【補正対象書類名】明細書
【補正対象項目名】００６５
【補正方法】変更
【補正の内容】
【００６５】
本願の実施形態では、ネットワークデバイスが端末デバイスと通信するように構成されてよいことをさらに理解されたい。ネットワークデバイスは、ＧＳＭ（登録商標）システム又はＣＤＭＡシステムのベーストランシーバ基地局（ｂａｓｅ  ｔｒａｎｓｃｅｉｖｅｒ  ｓｔａｔｉｏｎ、ＢＴＳ）であってもよく、ＷＣＤＭＡ（登録商標）システムのＮｏｄｅＢ（Ｎｏｄｅ  Ｂ、ＮＢ）であってもよく、ＬＴＥシステムの進化型ＮｏｄｅＢ（ｅｖｏｌｕｔｉｏｎａｌ  Ｎｏｄｅ  Ｂ、ｅＮＢ、又はｅＮｏｄｅ  Ｂ）であってもよい。あるいは、ネットワークデバイスは、中継局、アクセスポイント、車載デバイス、ウェアラブルデバイス、将来の５Ｇネットワークのネットワーク側デバイス、又は将来の進化型ＰＬＭＮのネットワークデバイスであってもよい。
【手続補正１１】
【補正対象書類名】明細書
【補正対象項目名】００６６
【補正方法】変更
【補正の内容】
【００６６】
本願の実施形態は、ＬＴＥシステム、及び５Ｇシステムなどの次の進化型システム、又は様々な無線アクセス技術を用いる他の無線通信システム、例えば、符号分割多元接続、周波数分割多元接続、時分割多元接続、直交周波数分割多元接続、シングルキャリア周波数分割多元接続などのアクセス技術を用いるシステムに適用されてよく、またチャネル情報フィードバックが必要とされる且つ／又は第２レベルのプリコーディング技術が適用されるシナリオ、例えば、ｍａｓｓｉｖｅ  ＭＩＭＯ技術を適用する無線ネットワーク及び分散アンテナ技術を適用する無線ネットワークに特に適用可能である。
【手続補正１２】
【補正対象書類名】明細書
【補正対象項目名】００６９
【補正方法】変更
【補正の内容】
【００６９】
図１は、本願の一実施形態において用いられる通信システム１００の概略図である。図１に示すように、通信システム１００はネットワークデバイス１０２を含み、ネットワークデバイス１０２は複数のアンテナ群を含んでよい。各アンテナ群は、１つ又は複数のアンテナを含んでよい。例えば、１つのアンテナ群がアンテナ１０４及び１０６を含んでよく、別のアンテナ群がアンテナ１０８及び１１０を含んでよく、更なるアンテナ群がアンテナ１１２及び１１４を含んでよい。図１には、アンテナ群ごとに２つのアンテナが示されている。しかしながら、より多くの又はより少ないアンテナが、アンテナ群ごとに用いられてよい。ネットワークデバイス１０２はさらに、送信機チェーン及び受信機チェーンを含んでよい。当業者であれば、送信機チェーン及び受信機チェーンは両方とも、信号送信及び信号受信に関連した複数の構成要素、例えば、プロセッサ、変調器、マルチプレクサ、復調器、デマルチプレクサ、又はアンテナを含んでよいことを理解するであろう。
【手続補正１３】
【補正対象書類名】明細書
【補正対象項目名】００７６
【補正方法】変更
【補正の内容】
【００７６】
さらに、通信システム１００は、公衆陸上移動体ネットワークＰＬＭＮ、デバイス間（ｄｅｖｉｃｅ−ｔｏ−ｄｅｖｉｃｅ、Ｄ２Ｄ）ネットワーク、マシン間（ｍａｃｈｉｎｅ−ｔｏ−ｍａｃｈｉｎｅ、Ｍ２Ｍ）ネットワーク、又は別のネットワークであってもよい。図１は、理解しやすくするために一例として用いられる、単に簡略化した概略図にすぎない。ネットワークはさらに、図１に示されていない別のネットワークデバイスを含んでよい。
【手続補正１４】
【補正対象書類名】明細書
【補正対象項目名】００８１
【補正方法】変更
【補正の内容】
【００８１】
本願における「シンボル」は、限定されるものではないが、直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボル、汎用のフィルタリングマルチキャリア（ｕｎｉｖｅｒｓａｌ  ｆｉｌｔｅｒｅｄ  ｍｕｌｔｉ−ｃａｒｒｉｅｒ、ＵＦＭＣ）シンボル、フィルタバンクマルチキャリア（ｆｉｌｔｅｒ  ｂａｎｋ  ｍｕｌｔｉｃａｒｒｉｅｒ、ＦＢＭＣ）シンボル、及び一般化された周波数分割多重化（ｇｅｎｅｒａｌｉｚｅｄ  ｆｒｅｑｕｅｎｃｙ−ｄｉｖｉｓｉｏｎ  ｍｕｌｔｉｐｌｅｘｉｎｇ、ＧＦＤＭ）シンボルなどのうちのいずれか１つを含んでよいことを理解されたい。
【手続補正１５】
【補正対象書類名】明細書
【補正対象項目名】０１０４
【補正方法】変更
【補正の内容】
【０１０４】
ＤＭＲＳは、アップリンクＤＭＲＳとダウンリンクＤＭＲＳとに分類されてよく、物理共有チャネルは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）と物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）とを含んでよい。それに対応して、物理共有チャネルによりリソース単位において占有される最後のシンボルの位置インデックスは、ｔｈｅ  ｌａｓｔ  ｓｙｍｂｏｌ  ｏｆ  ｔｈｅ  ＰＵＳＣＨ、ｔｈｅ  ｌａｓｔ  ｓｙｍｂｏｌ  ｏｆ  ｔｈｅ  ＰＤＳＣＨ、ｔｈｅ  ｌａｓｔ  ｓｙｍｂｏｌ  ｕｓｅｄ  ｆｏｒ  ｔｈｅ  ＰＤＳＣＨ、又はｔｈｅ  ｌａｓｔ  ｓｙｍｂｏｌ  ｕｓｅｄ  ｆｏｒ  ｔｈｅ  ＰＵＳＣＨ  ｉｎ  ａ  ｓｌｏｔとも呼ばれることがある。物理共有チャネルによりリソース単位において占有されるシンボルの個数は、ＰＵＳＣＨ  ｄｕｒａｔｉｏｎ  ｉｎ  ｓｙｍｂｏｌｓ、ＰＤＳＣＨ  ｄｕｒａｔｉｏｎ  ｉｎ  ｓｙｍｂｏｌｓ、ｄｕｒａｔｉｏｎ  ｏｆ  ｔｈｅ  ＰＵＳＣＨ  ｔｒａｎｓｍｉｓｓｉｏｎ  ｉｎ  ｓｙｍｂｏｌｓ、又はｄｕｒａｔｉｏｎ  ｏｆ  ｔｈｅ  ＰＤＳＣＨ  ｔｒａｎｓｍｉｓｓｉｏｎ  ｉｎ  ｓｙｍｂｏｌｓとも呼ばれることがある。ＤＭＲＳがアップリンクＤＭＲＳであるならば、物理共有チャネルのマッピングタイプが第１のタイプである場合、端末デバイスはｔｈｅ  ｌａｓｔ  ｓｙｍｂｏｌ  ｏｆ  ＰＵＳＣＨを用いてよく、又は物理共有チャネルのマッピングタイプが第２のタイプである場合、端末デバイスはＰＵＳＣＨ  ｄｕｒａｔｉｏｎ  ｉｎ  ｔｈｅ  ｓｙｍｂｏｌｓを用いてよい。ＤＭＲＳがダウンリンクＤＭＲＳであるならば、物理共有チャネルのマッピングタイプが第１のタイプである場合、端末デバイスはｔｈｅ  ｌａｓｔ  ｓｙｍｂｏｌ  ｏｆ  ｔｈｅ  ＰＤＳＣＨを用いてよく、又は物理共有チャネルのマッピングタイプが第２のタイプである場合、端末デバイスはＰＤＳＣＨ  ｄｕｒａｔｉｏｎ  ｉｎ  ｔｈｅ  ｓｙｍｂｏｌｓを用いてよい。
【手続補正１６】
【補正対象書類名】明細書
【補正対象項目名】０１１９
【補正方法】変更
【補正の内容】
【０１１９】
本願の可能性のある別の実装例では、リソース構成方法が提供される。本リソース構成方法は具体的に、復調参照信号（ＤＭＲＳ）構成情報を受信する段階であって、ＤＭＲＳ構成情報は、物理共有チャネルの異なるマッピングタイプにおけるＤＭＲＳの時間領域位置を含み、物理共有チャネルのマッピングタイプは第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、段階と、ＤＭＲＳ構成情報を格納する段階とを含む。
【手続補正１７】
【補正対象書類名】明細書
【補正対象項目名】０１２７
【補正方法】変更
【補正の内容】
【０１２７】
ネットワークデバイスは、ＰＵＳＣＨの連続するシンボルの個数（ＰＵＳＣＨ  ｄｕｒａｔｉｏｎ  ｉｎ  ｓｙｍｂｏｌｓ）と、ＰＵＳＣＨの開始シンボル位置とを、ＤＣＩシグナリングを用いて端末デバイスに示してよい。端末デバイスは、ＤＣＩシグナリングを受信し、ＰＵＳＣＨ  ｄｕｒａｔｉｏｎ  ｉｎ  ｔｈｅ  ｓｙｍｂｏｌｓ又はＰＵＳＣＨの最後のシンボルの位置（ｐｏｓｉｔｉｏｎ  ｏｆ  ｔｈｅ  ｌａｓｔ  ＰＵＳＣＨ  ｓｙｍｂｏｌｓ）を取得してよく、ＰＵＳＣＨのマッピングタイプに基づいて、ＤＭＲＳの最後の時間領域位置を決定する。具体的には、ＰＵＳＣＨのマッピングタイプがＰＵＳＣＨ  ｍａｐｐｉｎｇ  ｔｙｐｅ  Ａである場合、端末デバイスは、ｐｏｓｉｔｉｏｎ  ｏｆ  ｔｈｅ  ｌａｓｔ  ＰＵＳＣＨ  ｓｙｍｂｏｌｓを用いて、表１においてＤＭＲＳの時間領域位置を決定する。ＰＵＳＣＨのマッピングタイプがＰＵＳＣＨ  ｍａｐｐｉｎｇ  ｔｙｐｅ  Ｂである場合、端末デバイスは、ＰＵＳＣＨ  ｄｕｒａｔｉｏｎ  ｉｎ  ｔｈｅ  ｓｙｍｂｏｌｓを用いて、表２においてＤＭＲＳの時間領域位置を決定する。さらに、端末デバイスは当該位置においてＤＭＲＳをマッピングし、送信してよい。
【手続補正１８】
【補正対象書類名】明細書
【補正対象項目名】０１２９
【補正方法】変更
【補正の内容】
【０１２９】
具体的には、ＤＭＲＳシンボルの位置がｉで表されてよく、スロット内のＰＵＳＣＨの最後のシンボルは表１に用いられ、ＰＵＳＣＨの連続するシンボルの個数は表２に用いられる。さらに、ＤＬ−ＤＭＲＳ−ｔｙｐｅＡ−ｐｏｓが２と等しい場合、ＵＬ−ＤＭＲＳ−ａｄｄ−ｐｏｓはｍａｐｐｉｎｇ  ｔｙｐｅ  Ａ  においてのみ３と等しくてよい（Ｔｈｅ  ｐｏｓｉｔｉｏｎ（ｓ）  ｏｆ  ｔｈｅ  ＤＭＲＳ  ｓｙｍｂｏｌｓ  ｉｓ  ｇｉｖｅｎ  ｂｙ  ｉ  ａｎｄ  ｔｈｅ  ｌａｓｔ  ＯＦＤＭ  ｓｙｍｂｏｌ  ｕｓｅｄ  ｆｏｒ  ＰＵＳＣＨ  ｉｎ  ｔｈｅ  ｓｌｏｔ  ａｃｃｏｒｄｉｎｇ  ｔｏ  Ｔａｂｌｅ  １  ａｎｄ  ｔｈｅ  ｄｕｒａｔｉｏｎ  ｏｆ  ＰＵＳＣＨ  ｔｒａｎｓｍｉｓｓｉｏｎ  ｉｎ  ｔｈｅ  ｓｙｍｂｏｌｓ  ａｃｃｏｒｄｉｎｇ  ｔｏ  ａｎｄ  Ｔａｂｌｅ  ２  ｒｅｓｐｅｃｔｉｖｅｌｙ．  Ｔｈｅ  ｃａｓｅ  ＵＬ−ＤＭＲＳ−ａｄｄ−ｐｏｓ  ｅｑｕａｌ  ｔｏ  ３  ｏｆ  ＰＵＳＣＨ  ｍａｐｐｉｎｇ  ｔｙｐｅ  Ａ  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【手続補正１９】
【補正対象書類名】明細書
【補正対象項目名】０１３０
【補正方法】変更
【補正の内容】
【０１３０】
ＰＵＳＣＨのマッピングタイプがＰＵＳＣＨ  ｍａｐｐｉｎｇ  ｔｙｐｅ  Ａであると仮定すると、端末デバイスは表１を選択し、ｐｏｓｉｔｉｏｎ  ｏｆ  ｔｈｅ  ｌａｓｔ  ＰＵＳＣＨ  ｓｙｍｂｏｌが８であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が１個であることを決定する。この場合、端末デバイスは、ａｄｄｉｔｉｏｎａｌ  ＤＭＲＳの７の時間領域位置を表１から選択してよい。図５には、特定のＤＭＲＳパターンが示されている。図５は、ｆｒｏｎｔ−ｌｏａｄｅｄ  ＤＭＲＳが２（ｓｌｏｔの３番目のシンボル）に位置している一例を示している。ＰＵＳＣＨのマッピングタイプがＰＵＳＣＨ  ｍａｐｐｉｎｇ  ｔｙｐｅ  Ａであると仮定すると、端末デバイスは表１を選択し、ｐｏｓｉｔｉｏｎ  ｏｆ  ｔｈｅ  ｌａｓｔ  ＰＵＳＣＨ  ｓｙｍｂｏｌが９であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が１個であることを決定する。この場合、端末デバイスは、ａｄｄｉｔｉｏｎａｌ  ＤＭＲＳの９の時間領域位置を表１から選択してよい。図６には、特定のＤＭＲＳパターンが示されている。図６は、ｆｒｏｎｔ−ｌｏａｄｅｄ  ＤＭＲＳが３（ｓｌｏｔの４番目のシンボル）に位置している一例を示している。ＰＵＳＣＨのマッピングタイプがＰＵＳＣＨ  ｍａｐｐｉｎｇ  ｔｙｐｅ  Ｂであると仮定すると、端末デバイスは表２を選択し、ＰＵＳＣＨ  ｄｕｒａｔｉｏｎ  ｉｎ  ｔｈｅ  ｓｙｍｂｏｌｓが９であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が２個であることを決定する。この場合、端末デバイスは、ａｄｄｉｔｉｏｎａｌ  ＤＭＲＳの３及び６の時間領域位置を表２から選択してよい。
【手続補正２０】
【補正対象書類名】明細書
【補正対象項目名】０１３１
【補正方法】変更
【補正の内容】
【０１３１】
表１及び表２の中の「−」は、構成がサポートされていないことを示すことを理解されたい。特定の実装例において、柔軟なスケジューリングの要件を満たすために、当該構成は別のＤＭＲＳ位置構成に置き換えられてよい。例えば、ｌ０のみが含まれてよく、又はＵＬ−ＤＭＲＳ−ａｄｄ−ｐｏｓの個数が１個だけ減少する構成が用いられる、又はＰＵＳＣＨ範囲を超えるＤＭＲＳがパンクチャリング（ｐｕｎｃｔｕｒｅ）されてよい。例えば、表１では、ｓｉｎｇｌｅ−ｓｙｍｂｏｌ  ＤＭＲＳがＵＬ−ＤＭＲＳ−ａｄｄ−ｐｏｓ＝２として構成される場合、ｐｏｓｉｔｉｏｎ  ｏｆ  ｔｈｅ  ｌａｓｔ  ＰＵＳＣＨ  ｓｙｍｂｏｌ＝８であるならば、対応する「−」が、前述の方法を用いて「ｌ０」、「ｌ０，７」、又は「ｌ０，６」に別々に置き換えられてよい。しかしながら、このことは、本願の本実施形態において限定されるものではない。
【手続補正２１】
【補正対象書類名】明細書
【補正対象項目名】０１３８
【補正方法】変更
【補正の内容】
【０１３８】
ネットワークデバイスは、ＰＤＳＣＨの連続するシンボルの個数（ＰＤＳＣＨ  ｄｕｒａｔｉｏｎ  ｉｎ  ｓｙｍｂｏｌｓ）と、ＰＤＳＣＨの開始シンボル位置とを、ＤＣＩシグナリングを用いて端末デバイスに示してよい。端末デバイスはＤＣＩシグナリングを受信して、ＰＤＳＣＨ  ｄｕｒａｔｉｏｎ  ｉｎ  ｔｈｅ  ｓｙｍｂｏｌｓ又はＰＤＳＣＨの最後のシンボルの位置（ｐｏｓｉｔｉｏｎ  ｏｆ  ｔｈｅ  ｌａｓｔ  ＰＤＳＣＨ  ｓｙｍｂｏｌ）を取得し、ＰＤＳＣＨのマッピングタイプに基づいてＤＭＲＳの最後の時間領域位置を決定する。具体的には、ＰＤＳＣＨのマッピングタイプがＰＤＳＣＨ  ｍａｐｐｉｎｇ  ｔｙｐｅ  Ａである場合、端末デバイスは、ｐｏｓｉｔｉｏｎ  ｏｆ  ｔｈｅ  ｌａｓｔ  ＰＤＳＣＨ  ｓｙｍｂｏｌを用いることで、表１においてＤＭＲＳの時間領域位置を決定する。ＰＤＳＣＨのマッピングタイプがＰＤＳＣＨ  ｍａｐｐｉｎｇ  ｔｙｐｅ  Ｂである場合、端末デバイスは、ＰＤＳＣＨ  ｄｕｒａｔｉｏｎ  ｉｎ  ｔｈｅ  ｓｙｍｂｏｌｓを用いることで、表２においてＤＭＲＳの時間領域位置を決定する。さらに、端末デバイスは、ネットワークデバイスにより送信されるＤＭＲＳを当該位置においてマッピングして受信してよい。
【表３】
2020527874.tif 000025
【表４】
2020527874.tif 000026
【手続補正２２】
【補正対象書類名】明細書
【補正対象項目名】０１３９
【補正方法】変更
【補正の内容】
【０１３９】
具体的には、ＤＭＲＳシンボルの位置がｉで表されてよく、スロット内のＰＤＳＣＨの最後のシンボルは表３に用いられ、ＰＤＳＣＨの連続するシンボルの個数は表４に用いられる。さらに、ＤＬ−ＤＭＲＳ−ｔｙｐｅＡ−ｐｏｓが２と等しい場合、ＤＬ−ＤＭＲＳ−ａｄｄ−ｐｏｓはＰＤＳＣＨ  ｍａｐｐｉｎｇ  ｔｙｐｅ  Ａ  においてのみ３と等しくてよい（Ｔｈｅ  ｐｏｓｉｔｉｏｎ（ｓ）  ｏｆ  ｔｈｅ  ＤＭＲＳ  ｓｙｍｂｏｌｓ  ｉｓ  ｇｉｖｅｎ  ｂｙ  ｉ  ａｎｄ  ｔｈｅ  ｌａｓｔ  ＯＦＤＭ  ｓｙｍｂｏｌ  ｕｓｅｄ  ｆｏｒ  ｔｈｅ  ＰＤＳＣＨ  ｉｎ  ｔｈｅ  ｓｌｏｔ  ａｃｃｏｒｄｉｎｇ  ｔｏ  Ｔａｂｌｅ  ３  ａｎｄ  ｔｈｅ  ｄｕｒａｔｉｏｎ  ｏｆ  ＰＤＳＣＨ  ｔｒａｎｓｍｉｓｓｉｏｎ  ｉｎ  ｓｙｍｂｏｌｓ  ａｃｃｏｒｄｉｎｇ  ｔｏ  Ｔａｂｌｅ  ４  ｒｅｓｐｅｃｔｉｖｅｌｙ．  Ｔｈｅ  ｃａｓｅ  ＤＬ−ＤＭＲＳ−ａｄｄ−ｐｏｓ  ｅｑｕａｌ  ｔｏ  ３  ｏｆ  ＰＤＳＣＨ  ｍａｐｐｉｎｇ  ｔｙｐｅ  Ａ  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【手続補正２３】
【補正対象書類名】明細書
【補正対象項目名】０１４０
【補正方法】変更
【補正の内容】
【０１４０】
ＰＤＳＣＨのマッピングタイプがＰＤＳＣＨ  ｍａｐｐｉｎｇ  ｔｙｐｅ  Ａであると仮定すると、端末デバイスは表３を選択し、ｐｏｓｉｔｉｏｎ  ｏｆ  ｌａｓｔ  ＰＤＳＣＨ  ｓｙｍｂｏｌが１０であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が２個であることを決定する。この場合、端末デバイスは、ａｄｄｉｔｉｏｎａｌ  ＤＭＲＳの６及び９の時間領域位置を表３から選択してよい。図７には、特定のＤＭＲＳパターンが示されている。図７は、ｆｒｏｎｔ−ｌｏａｄｅｄ  ＤＭＲＳが３（ｓｌｏｔの４番目のシンボル）に位置している一例を示している。ＰＤＳＣＨのマッピングタイプがＰＤＳＣＨ  ｍａｐｐｉｎｇ  ｔｙｐｅ  Ａであると仮定すると、端末デバイスは表３を選択し、ｐｏｓｉｔｉｏｎ  ｏｆ  ｌａｓｔ  ＰＤＳＣＨ  ｓｙｍｂｏｌが１１であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が２個であることを決定する。この場合、端末デバイスは、ａｄｄｉｔｉｏｎａｌ  ＤＭＲＳの６及び９の時間領域位置を表３から選択してよい。図８には、特定のＤＭＲＳパターンが示されている。図８は、ｆｒｏｎｔ−ｌｏａｄｅｄ  ＤＭＲＳが３（ｓｌｏｔの４番目のシンボル）に位置している一例を示している。ＰＤＳＣＨのマッピングタイプがＰＤＳＣＨ  ｍａｐｐｉｎｇ  ｔｙｐｅ  Ｂであると仮定すると、端末デバイスは表４を選択し、ＰＤＳＣＨ  ｄｕｒａｔｉｏｎ  ｉｎ  ｔｈｅ  ｓｙｍｂｏｌｓが７であること、ｆｒｏｎｔ−ｌｏａｄｅｄ  ＤＭＲＳのシンボルの実際の個数がｓｉｎｇｌｅ−ｓｙｍｂｏｌ  ＤＭＲＳであること、及びａｄｄｉｔｉｏｎａｌ  ＤＭＲＳの個数が１個であることを決定する。この場合、端末デバイスは、ａｄｄｉｔｉｏｎａｌ  ＤＭＲＳの４の時間領域位置を表４から選択してよい。
【手続補正２４】
【補正対象書類名】明細書
【補正対象項目名】０１４８
【補正方法】変更
【補正の内容】
【０１４８】
ＤＭＲＳは、アップリンクＤＭＲＳとダウンリンクＤＭＲＳとに分類されてよく、物理共有チャネルは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）と物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）とを含んでよい。それに対応して、物理共有チャネルによりリソース単位において占有されるシンボルの個数は、ＰＵＳＣＨ  ｄｕｒａｔｉｏｎ  ｉｎ  ｓｙｍｂｏｌｓ又はＰＤＳＣＨ  ｄｕｒａｔｉｏｎ  ｉｎ  ｓｙｍｂｏｌｓとも呼ばれることがある。ＤＭＲＳがアップリンクＤＭＲＳである場合、端末デバイスはＰＵＳＣＨ  ｄｕｒａｔｉｏｎ  ｉｎ  ｔｈｅ  ｓｙｍｂｏｌｓを用いてよい。ＤＭＲＳがダウンリンクＤＭＲＳである場合、端末デバイスはＰＤＳＣＨ  ｄｕｒａｔｉｏｎ  ｉｎ  ｔｈｅ  ｓｙｍｂｏｌｓを用いてよい。
【手続補正２５】
【補正対象書類名】明細書
【補正対象項目名】０１５５
【補正方法】変更
【補正の内容】
【０１５５】
任意の一実施形態において、物理共有チャネルのマッピングタイプは第２のタイプであり、ＤＭＲＳのうちの付加されたＤＭＲＳによりリソース単位において占有される時間領域位置を決定する段階は、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を端末デバイスが決定する段階であって、第４のマッピング関係は、物理共有チャネルによりリソース単位において占有されるシンボルの異なる個数と、第１のＤＭＲＳによりリソース単位において占有される異なる時間領域位置と、付加されたＤＭＲＳによりリソース単位において占有される異なる時間領域位置との間の対応関係を示すのに用いられる、段階を含む。
【手続補正２６】
【補正対象書類名】明細書
【補正対象項目名】０１６２
【補正方法】変更
【補正の内容】
【０１６２】
本願の可能性のある別の実装例では、別のリソース構成方法が提供される。本リソース構成方法は具体的に、復調参照信号（ＤＭＲＳ）構成情報を受信する段階であって、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプが第１のタイプ及び第２のタイプを含む、段階と、ＤＭＲＳ構成情報を格納する段階とを含む。
【手続補正２７】
【補正対象書類名】明細書
【補正対象項目名】０１６９
【補正方法】変更
【補正の内容】
【０１６９】
ネットワークデバイスは、ＰＵＳＣＨの連続するシンボルの個数（ＰＵＳＣＨ  ｄｕｒａｔｉｏｎ  ｉｎ  ｓｙｍｂｏｌｓ）と、ＰＵＳＣＨの開始シンボル位置とを、ＤＣＩシグナリングを用いて端末デバイスに示してよい。端末デバイスは、ＤＣＩシグナリングを受信してＰＵＳＣＨ  ｄｕｒａｔｉｏｎ  ｉｎ  ｔｈｅ  ｓｙｍｂｏｌｓを取得し、ｆｒｏｎｔ−ｌｏａｄｅｄ  ＤＭＲＳの位置ｌ０の特定値を基準にして、ＤＭＲＳの最後の時間領域位置を決定する。さらに、端末デバイスは当該位置にＤＭＲＳをマッピングし、送信してよい。
【手続補正２８】
【補正対象書類名】明細書
【補正対象項目名】０１７１
【補正方法】変更
【補正の内容】
【０１７１】
具体的には、ＤＭＲＳシンボルの位置がｉで表されてよく、ＰＵＳＣＨの連続するシンボルの個数は、表５及び表６の両方に用いられる。さらに、ＤＬ−ＤＭＲＳ−ｔｙｐｅＡ−ｐｏｓが２と等しい場合、ＵＬ−ＤＭＲＳ−ａｄｄ−ｐｏｓは３と等しくてよい（Ｔｈｅ  ｐｏｓｉｔｉｏｎ（ｓ）  ｏｆ  ｔｈｅ  ＤＭＲＳ  ｓｙｍｂｏｌｓ  ｉｓ  ｇｉｖｅｎ  ｂｙ  ｉ  ａｎｄ  ｔｈｅ  ｄｕｒａｔｉｏｎ  ｏｆ  ｔｈｅ  ＰＵＳＣＨ  ｔｒａｎｓｍｉｓｓｉｏｎ  ｉｎ  ｔｈｅ  ｓｙｍｂｏｌｓ  ａｃｃｏｒｄｉｎｇ  ｔｏ  Ｔａｂｌｅ  ５  ａｎｄ  ６．  Ｔｈｅ  ｃａｓｅ  ＵＬ−ＤＭＲＳ−ａｄｄ−ｐｏｓ  ｅｑｕａｌ  ｔｏ  ３  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【手続補正２９】
【補正対象書類名】明細書
【補正対象項目名】０１７２
【補正方法】変更
【補正の内容】
【０１７２】
ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表５を選択し、ＰＵＳＣＨ  ｄｕｒａｔｉｏｎ  ｉｎ  ｔｈｅ  ｓｙｍｂｏｌｓが７であること、ＰＵＳＣＨのマッピングタイプがＰＵＳＣＨ  ｍａｐｐｉｎｇ  ｔｙｐｅ  Ａであること、ａｄｄｉｔｉｏｎａｌ  ＤＭＲＳの個数が１個であること、及びｌ０＝２であることを決定する。この場合、端末デバイスは、ａｄｄｉｔｉｏｎａｌ  ＤＭＲＳの７の時間領域位置を表５から選択してよい。図５には、特定のＤＭＲＳパターンが示されている。ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表５を選択し、ＰＵＳＣＨ  ｄｕｒａｔｉｏｎ  ｉｎ  ｔｈｅ  ｓｙｍｂｏｌｓが７であること、ＰＵＳＣＨのマッピングタイプがＰＵＳＣＨ  ｍａｐｐｉｎｇ  ｔｙｐｅ  Ａであること、ａｄｄｉｔｉｏｎａｌ  ＤＭＲＳの個数が１個であること、及びｌ０＝３であることを決定する。この場合、端末デバイスは、ａｄｄｉｔｉｏｎａｌ  ＤＭＲＳの９の時間領域位置を表５から選択してよい。図６には、特定のＤＭＲＳパターンが示されている。
【手続補正３０】
【補正対象書類名】明細書
【補正対象項目名】０１７３
【補正方法】変更
【補正の内容】
【０１７３】
表５及び表６の中の「−」は、構成がサポートされていないことを示すことを理解されたい。特定の実装例において、柔軟なスケジューリングの要件を満たすために、当該構成は別のＤＭＲＳ位置構成に置き換えられてよい。例えば、ｌ０のみが含まれてよく、又はＵＬ−ＤＭＲＳ−ａｄｄ−ｐｏｓの個数が１個だけ減少する構成が用いられる、又はＰＵＳＣＨ範囲を超えるＤＭＲＳがパンクチャリング（ｐｕｎｃｔｕｒｅ）されてよい。例えば表５では、ＵＬ−ＤＭＲＳ−ａｄｄ−ｐｏｓ＝３であり且つｌ０＝２である場合、ＰＵＳＣＨ  ｄｕｒａｔｉｏｎ  ｉｎ  ｔｈｅ  ｓｙｍｂｏｌｓ＝９であるならば、対応する「−」は、前述の方法を用いて「ｌ０」、「ｌ０，６，９」、又は「ｌ０，５，８」に別々に置き換えられてよい。しかしながら、このことは、本願の本実施形態において限定されるものではない。
【手続補正３１】
【補正対象書類名】明細書
【補正対象項目名】０１７９
【補正方法】変更
【補正の内容】
【０１７９】
ネットワークデバイスは、ＰＤＳＣＨの連続するシンボルの個数（ＰＤＳＣＨ  ｄｕｒａｔｉｏｎ  ｉｎ  ｓｙｍｂｏｌｓ）と、ＰＤＳＣＨの開始シンボル位置とを、ＤＣＩシグナリングを用いて端末デバイスに示してよい。端末デバイスは、ＤＣＩシグナリングを受信してＰＤＳＣＨ  ｄｕｒａｔｉｏｎ  ｉｎ  ｔｈｅ  ｓｙｍｂｏｌｓを取得し、ｆｒｏｎｔ−ｌｏａｄｅｄ  ＤＭＲＳの位置ｌ０の特定値を基準にして、ＤＭＲＳの最後の時間領域位置を決定する。さらに、端末デバイスは、ネットワークデバイスにより送信されるＤＭＲＳを当該位置において受信してよい。
【手続補正３２】
【補正対象書類名】明細書
【補正対象項目名】０１８１
【補正方法】変更
【補正の内容】
【０１８１】
具体的には、ＤＭＲＳシンボルの位置がｉで表されてよく、ＰＤＳＣＨの連続するシンボルの個数は、表７及び表８の両方に用いられる。さらに、ＤＬ−ＤＭＲＳ−ｔｙｐｅＡ−ｐｏｓが２と等しい場合、ＤＬ−ＤＭＲＳ−ａｄｄ−ｐｏｓが３と等しくてよい（Ｔｈｅ  ｐｏｓｉｔｉｏｎ（ｓ）  ｏｆ  ｔｈｅ  ＤＭＲＳ  ｓｙｍｂｏｌｓ  ｉｓ  ｇｉｖｅｎ  ｂｙ  ｉ  ａｎｄ  ｄｕｒａｔｉｏｎ  ｏｆ  ＰＤＳＣＨ  ｔｒａｎｓｍｉｓｓｉｏｎ  ｉｎ  ｓｙｍｂｏｌｓ  ｔｏ  Ｔａｂｌｅｓ  ７  ａｎｄ  ８．  Ｔｈｅ  ｃａｓｅ  ＤＬ−ＤＭＲＳ−ａｄｄ−ｐｏｓ  ｅｑｕａｌ  ｔｏ  ３  ｉｓ  ｏｎｌｙ  ｓｕｐｐｏｒｔｅｄ  ｗｈｅｎ  ＤＬ−ＤＭＲＳ−ｔｙｐｅＡ−ｐｏｓ  ｉｓ  ｅｑｕａｌ  ｔｏ  ２．）。
【手続補正３３】
【補正対象書類名】明細書
【補正対象項目名】０１８２
【補正方法】変更
【補正の内容】
【０１８２】
ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表７を選択し、ＰＵＳＣＨ  ｄｕｒａｔｉｏｎ  ｉｎ  ｔｈｅ  ｓｙｍｂｏｌｓが８であること、ＰＤＳＣＨのマッピングタイプがＰＤＳＣＨ  ｍａｐｐｉｎｇ  ｔｙｐｅ  Ａであること、ａｄｄｉｔｉｏｎａｌ  ＤＭＲＳの個数が２個であること、及びｌ０＝３であることを決定する。この場合、端末デバイスは、ａｄｄｉｔｉｏｎａｌ  ＤＭＲＳの６及び９の時間領域位置を表７から選択してよい。図７には、特定のＤＭＲＳパターンが示されている。ｆｒｏｎｔ−ｌｏａｄｅｄ  ＤＭＲＳのシンボルの実際の個数がｓｉｎｇｌｅ−ｓｙｍｂｏｌ  ＤＭＲＳであると仮定すると、端末デバイスは表７を選択し、ＰＤＳＣＨ  ｄｕｒａｔｉｏｎ  ｉｎ  ｔｈｅ  ｓｙｍｂｏｌｓが９であること、ＰＤＳＣＨのマッピングタイプがＰＤＳＣＨ  ｍａｐｐｉｎｇ  ｔｙｐｅ  Ａであること、ａｄｄｉｔｉｏｎａｌ  ＤＭＲＳの個数が２個であること、及びｌ０＝３であることを決定する。この場合、端末デバイスは、ａｄｄｉｔｉｏｎａｌ  ＤＭＲＳの６及び９の時間領域位置を表８から選択してよい。図８には、特定のＤＭＲＳパターンが示されている。
【手続補正３４】
【補正対象書類名】明細書
【補正対象項目名】０１９０
【補正方法】変更
【補正の内容】
【０１９０】
端末デバイス９００は、本明細書では機能ユニットの形態で与えられることを理解されたい。用語「ユニット」は、本明細書では、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、電子回路、１つ又は複数のソフトウェア若しくはファームウェアプログラムを実行するように構成されたプロセッサ（例えば、共有プロセッサ、固有のプロセッサ、又はパケットプロセッサ）、組み合わせ論理回路、及び／又は説明された機能をサポートする別の適切なコンポーネントのことを指してよい。任意の例において、当業者であれば、端末デバイス９００が具体的には前述の実施形態における端末デバイスであってよいことを理解するであろう。端末デバイス９００は、前述の方法の実施形態３００における端末デバイスに対応する各手順及び／又は段階を実行するように構成されてよい。繰り返しを避けるために、詳細は再度ここで説明しない。
【手続補正３５】
【補正対象書類名】明細書
【補正対象項目名】０１９１
【補正方法】変更
【補正の内容】
【０１９１】
可能性のある一実装例において、受信ユニット９１０はさらに、復調参照信号（ＤＭＲＳ）構成情報を受信することであって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、受信することを行うように構成される。端末デバイス９００はさらに、ＤＭＲＳ構成情報を格納するように構成された記憶ユニットを含む。
【手続補正３６】
【補正対象書類名】明細書
【補正対象項目名】０１９４
【補正方法】変更
【補正の内容】
【０１９４】
ネットワークデバイス１０００は、本明細書では機能ユニットの形態で与えられることを理解されたい。用語「ユニット」は、本明細書では、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、電子回路、１つ又は複数のソフトウェア若しくはファームウェアプログラムを実行するように構成されたプロセッサ（例えば、共有プロセッサ、固有のプロセッサ、又はパケットプロセッサ）、組み合わせ論理回路、及び／又は説明された機能をサポートする別の適切なコンポーネントのことを指してよい。任意の例において、当業者であれば、ネットワークデバイス１０００が具体的には前述の実施形態におけるネットワークデバイスであってよいことを理解するであろう。ネットワークデバイス１０００は、前述の方法の実施形態３００におけるネットワークデバイスに対応する各手順及び／又は段階を実行するように構成されてよい。繰り返しを避けるために、詳細は再度ここで説明しない。
【手続補正３７】
【補正対象書類名】明細書
【補正対象項目名】０１９５
【補正方法】変更
【補正の内容】
【０１９５】
可能性のある一実装例において、ネットワークデバイスはさらに、復調参照信号（ＤＭＲＳ）構成情報を受信するように構成された受信ユニットであって、ＤＭＲＳ構成情報は、ＤＭＲＳの異なるマッピングタイプにおけるＤＭＲＳの時間領域位置を含み、物理共有チャネルのマッピングタイプが第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む、受信ユニットと、ＤＭＲＳ構成情報を格納するように構成された記憶ユニットとを含む。
【手続補正３８】
【補正対象書類名】明細書
【補正対象項目名】０１９９
【補正方法】変更
【補正の内容】
【０１９９】
任意選択で、物理共有チャネルのマッピングタイプは第２のタイプである。決定ユニット１１２０は具体的には、物理共有チャネルによりリソース単位において占有されるシンボルの個数、第１のＤＭＲＳによりリソース単位において占有される時間領域位置、及び第４のマッピング関係に基づいて、付加されたＤＭＲＳによりリソース単位において占有される時間領域位置を決定するように構成され、第４のマッピング関係は、物理共有チャネルによりリソース単位において占有されるシンボルの異なる個数と、第１のＤＭＲＳによりリソース単位において占有する異なる時間領域位置と、付加されたＤＭＲＳによりリソース単位において占有される異なる時間領域位置との対応関係を示すのに用いられる。
【手続補正３９】
【補正対象書類名】明細書
【補正対象項目名】０２０１
【補正方法】変更
【補正の内容】
【０２０１】
端末デバイス１１００は、本明細書では機能ユニットの形態で与えられることを理解されたい。用語「ユニット」は、本明細書では、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、電子回路、１つ又は複数のソフトウェア若しくはファームウェアプログラムを実行するように構成されたプロセッサ（例えば、共有プロセッサ、固有のプロセッサ、又はパケットプロセッサ）、組み合わせ論理回路、及び／又は説明された機能をサポートする別の適切なコンポーネントのことを指してよい。任意の例において、当業者であれば、端末デバイス１１００が具体的には前述の実施形態における端末デバイスであってよいことを理解するであろう。端末デバイス１１００は、前述の方法の実施形態４００における端末デバイスに対応する各手順及び／又は段階を実行するように構成されてよい。繰り返しを避けるために、詳細は再度ここで説明しない。
【手続補正４０】
【補正対象書類名】明細書
【補正対象項目名】０２０２
【補正方法】変更
【補正の内容】
【０２０２】
可能性のある一実装例において、受信ユニット１１１０はさらに、復調参照信号（ＤＭＲＳ）構成情報を受信するように構成され、ＤＭＲＳは第１のＤＭＲＳ及び付加されたＤＭＲＳを含み、ＤＭＲＳ構成情報は、物理共有チャネルの異なるマッピングタイプにおける第１のＤＭＲＳの異なる時間領域位置に対応する、付加されたＤＭＲＳの時間領域位置を含み、物理共有チャネルのマッピングタイプは第１のタイプ及び第２のタイプを含む。端末デバイス１１００はさらに、ＤＭＲＳ構成情報を格納するように構成された記憶ユニットを含む。
【手続補正４１】
【補正対象書類名】明細書
【補正対象項目名】０２０３
【補正方法】変更
【補正の内容】
【０２０３】
図１２は、本願の一実施形態による別の端末デバイス１２００を示す。端末デバイス１２００は、プロセッサ１２０１と、送受信機１２０２と、メモリ１２０３とを含む。プロセッサ１２０１、送受信機１２０２、及びメモリ１２０３は、内部接続パスを通じて互いに通信する。メモリ１２０３は、命令を格納するように構成される。プロセッサ１２０１は、メモリ１２０３に格納された命令を実行し、送受信機１２０２を制御して信号を送信する且つ／又は信号を受信するように構成される。
【手続補正４２】
【補正対象書類名】明細書
【補正対象項目名】０２０４
【補正方法】変更
【補正の内容】
【０２０４】
メモリ１２０３に格納されたプログラム命令がプロセッサ１２０１により実行されると、プロセッサ１２０１は、送受信機１２０２を用いて、ネットワークデバイスにより送信される第１の指示情報を受信することであって、第１の指示情報は物理共有チャネルのマッピングタイプを示すのに用いられ、物理共有チャネルのマッピングタイプは第１のタイプ又は第２のタイプである、受信することと、物理共有チャネルのマッピングタイプに基づいて、また物理共有チャネルによりリソース単位において占有される最後のシンボルの位置インデックス又は物理共有チャネルによりリソース単位において占有されるシンボルの個数を基準にして、ＤＭＲＳによりリソース単位において占有される時間領域位置を決定することであって、物理共有チャネルによりリソース単位において占有される最後のシンボルの位置インデックスは第１のタイプに対応し、物理共有チャネルによりリソース単位において占有されるシンボルの個数は第２のタイプに対応する、決定することとを行うように構成される。
【手続補正４３】
【補正対象書類名】明細書
【補正対象項目名】０２０５
【補正方法】変更
【補正の内容】
【０２０５】
あるいは、メモリ１２０３はＤＭＲＳ構成情報を格納し、ＤＭＲＳ構成情報は、ＤＭＲＳの異なるマッピングタイプにおけるＤＭＲＳの時間領域位置を含み、物理共有チャネルのマッピングタイプは第１のタイプ又は第２のタイプであり、第１のタイプに対応するＤＭＲＳ構成情報が、物理共有チャネルによりリソース単位において占有される最後のシンボルの位置インデックスを含み、第２のタイプに対応するＤＭＲＳ構成情報が、物理共有チャネルによりリソース単位において占有されるシンボルの個数を含む。
【手続補正４４】
【補正対象書類名】明細書
【補正対象項目名】０２０８
【補正方法】変更
【補正の内容】
【０２０８】
プロセッサ１２０１は、端末の内部に実装された、また前述の方法の実施形態において説明された動作を行うように構成されてよく、送受信機１２０２は、前述の方法の実施形態において説明された端末によりネットワークデバイスから受信する動作を行うように構成されてよい。詳細については、前述の方法の実施形態における説明を参照されたい。詳細は再度ここで説明しない。
【手続補正４５】
【補正対象書類名】明細書
【補正対象項目名】０２１０
【補正方法】変更
【補正の内容】
【０２１０】
それに加えて、端末デバイスの機能をより完全なものにするために、端末デバイス１２００はさらに、入力装置１２０６、表示装置１２０７、オーディオ回路１２０８、カメラ１２０９、及びセンサ１２１０のうちの１つ又は複数を含んでよい。オーディオ回路はさらに、スピーカ１２０８２及びマイク１２０８４などを含んでよい。
【手続補正４６】
【補正対象書類名】明細書
【補正対象項目名】０２１１
【補正方法】変更
【補正の内容】
【０２１１】
図１３は、本願の一実施形態による別のネットワークデバイス１３００を示す。ネットワークデバイス１３００は、プロセッサ１３１０と、送受信機１３２０と、メモリ１３３０とを含む。プロセッサ１３１０、送受信機１３２０、及びメモリ１３３０は、内部接続パスを通じて互いに通信する。メモリ１３３０は、命令を格納するように構成される。プロセッサ１３１０は、メモリ１３３０に格納された命令を実行し、送受信機１３２０を制御して信号を送信する且つ／又は信号を受信するように構成される。
【手続補正４７】
【補正対象書類名】明細書
【補正対象項目名】０２１５
【補正方法】変更
【補正の内容】
【０２１５】
ネットワークデバイス１３００はさらに、送受信機１３２０により出力されるダウンリンクデータ又はダウンリンク制御シグナリングを、無線信号を用いて送信するように構成されたアンテナ１３４０を含んでよい。ネットワークデバイス１３００は具体的には、前述の実施形態３００におけるネットワークデバイスであってよく、前述の方法の実施形態３００におけるネットワークデバイスに対応する各段階及び／又は手順を実行するように構成されてよいことを理解されたい。任意選択で、メモリ１３３０は、リードオンリメモリ及びランダムアクセスメモリを含み、命令及びデータをプロセッサに提供してよい。メモリの一部がさらに、不揮発性ランダムアクセスメモリを含んでよい。例えば、メモリはさらに、デバイスタイプについての情報を格納してよい。プロセッサ１３１０は、メモリに格納された命令を実行するように構成されてよく、メモリに格納された命令をプロセッサ１３１０が実行する場合、プロセッサ１３１０は、前述の方法の実施形態におけるネットワークデバイスに対応する各段階及び／又は手順を実行するように構成される。
【手続補正４８】
【補正対象書類名】明細書
【補正対象項目名】０２１６
【補正方法】変更
【補正の内容】
【０２１６】
図１４は、本願の一実施形態による別の端末デバイス１４００を示す。端末デバイス１４００は、プロセッサ１４１０と、送受信機１４２０と、メモリ１４３０とを含む。プロセッサ１４１０、送受信機１４２０、及びメモリ１４３０は、内部接続パスを通じて互いに通信する。メモリ１４３０は、命令を格納するように構成される。プロセッサ１４１０は、メモリ１４３０に格納された命令を実行し、送受信機１４２０を制御して信号を送信する且つ／又は信号を受信するように構成される。
【手続補正４９】
【補正対象書類名】明細書
【補正対象項目名】０２２３
【補正方法】変更
【補正の内容】
【０２２３】
それに加えて、端末デバイスの機能をより完全なものにするために、端末デバイス１４００はさらに、入力装置１４０６、表示装置１４０７、オーディオ回路１４０８、カメラ１４０９、及びセンサ１４１０のうちの１つ又は複数を含んでよい。オーディオ回路はさらに、スピーカ１４０８２及びマイク１４０８４などを含んでよい。
【手続補正５０】
【補正対象書類名】明細書
【補正対象項目名】０２３３
【補正方法】変更
【補正の内容】
【０２３３】
前述の説明は、本願の単なる特定の実装例にすぎず、本願の保護範囲を限定することを意図していない。本願において開示された技術的範囲内で当業者が容易に考え出すあらゆる修正又は置き換えは、本願の保護範囲に含まれることになる。したがって、本願の保護範囲は、特許請求の範囲に記載された保護範囲に従うことになる。
（項目１）
ネットワークデバイスにより送信される第１の指示情報を端末デバイスが受信する段階であって、上記第１の指示情報は、物理共有チャネルのマッピングタイプを示すのに用いられ、上記物理共有チャネルの上記マッピングタイプは第１のタイプ又は第２のタイプである、段階と、
上記物理共有チャネルの上記マッピングタイプに基づいて、また上記物理共有チャネルによりリソース単位において占有される最後のシンボルの位置インデックス又は上記物理共有チャネルにより上記リソース単位において占有されるシンボルの個数を基準にして、上記ＤＭＲＳにより上記リソース単位において占有される時間領域位置を上記端末デバイスが決定する段階と
を備えるリソース指示方法であって、
上記物理共有チャネルにより上記リソース単位において占有される上記最後のシンボルの上記位置インデックスは上記第１のタイプに対応し、上記物理共有チャネルにより上記リソース単位において占有される上記シンボルの個数は上記第２のタイプに対応する、方法。
（項目２）
上記ＤＭＲＳは第１のＤＭＲＳ及び付加されたＤＭＲＳを含み、
上記ＤＭＲＳによりリソース単位において占有される時間領域位置を決定する上記段階は、
上記物理共有チャネルの上記マッピングタイプに基づいて、また上記物理共有チャネルにより上記リソース単位において占有される上記最後のシンボルの上記位置インデックス又は上記物理共有チャネルにより上記リソース単位において占有される上記シンボルの個数を基準にして、上記付加されたＤＭＲＳにより上記リソース単位において占有される時間領域位置を上記端末デバイスが決定する段階を有する、項目１に記載の方法。
（項目３）
上記物理共有チャネルの上記マッピングタイプは上記第１のタイプであり、
上記付加されたＤＭＲＳにより上記リソース単位において占有される時間領域位置を決定する上記段階は、
上記物理共有チャネルにより上記リソース単位において占有される上記最後のシンボルの上記位置インデックスと第１のマッピング関係とに少なくとも基づいて、上記付加されたＤＭＲＳにより上記リソース単位において占有される上記時間領域位置を上記端末デバイスが決定する段階であって、上記第１のマッピング関係は、上記リソース単位における物理共有チャネルの最後のシンボルの異なる位置インデックスと、上記付加されたＤＭＲＳにより上記リソース単位において占有される異なる時間領域位置との対応関係を示すのに用いられる、段階を有する、項目２に記載の方法。
（項目４）
上記物理共有チャネルの上記マッピングタイプは上記第２のタイプであり、
上記付加されたＤＭＲＳにより上記リソース単位において占有される時間領域位置を決定する上記段階は、
上記物理共有チャネルにより上記リソース単位において占有される上記シンボルの個数と第２のマッピング関係とに少なくとも基づいて、上記付加されたＤＭＲＳにより上記リソース単位において占有される上記時間領域位置を上記端末デバイスが決定する段階であって、上記第２のマッピング関係は、物理共有チャネルにより上記リソース単位において占有されるシンボルの異なる個数と、付加されたＤＭＲＳにより上記リソース単位において占有される異なる時間領域位置との対応関係を示すのに用いられる、段階を有する、項目２に記載の方法。
（項目５）
上記付加されたＤＭＲＳにより上記リソース単位において占有される時間領域位置を決定する上記段階の前に、上記方法はさらに、
上記ネットワークデバイスにより送信される第２の指示情報を上記端末デバイスが受信する段階であって、上記第２の指示情報は付加されたＤＭＲＳの個数を示すのに用いられる、段階と、
上記ネットワークデバイスにより送信される第３の指示情報を上記端末デバイスが受信する段階であって、上記第３の指示情報は、上記第１のＤＭＲＳにより上記リソース単位において占有されるシンボルの実際の個数を示すのに用いられる、段階と
を備え、
上記付加されたＤＭＲＳにより上記リソース単位において占有される時間領域位置を決定する上記段階は、
上記物理共有チャネルの上記マッピングタイプ、上記付加されたＤＭＲＳの個数、及び上記第１のＤＭＲＳにより上記リソース単位において占有される上記シンボルの実際の個数に基づいて、また上記物理共有チャネルにより上記リソース単位において占有される上記最後のシンボルの上記位置インデックス又は上記物理共有チャネルにより上記リソース単位において占有される上記シンボルの個数を基準にして、上記付加されたＤＭＲＳにより上記リソース単位において占有される上記時間領域位置を上記端末デバイスが決定する段階を有する、項目２から４のいずれか一項に記載の方法。
（項目６）
ネットワークデバイスが第１の指示情報を決定する段階であって、上記第１の指示情報は、復調参照信号の物理共有チャネルのマッピングタイプを示すのに用いられ、上記物理共有チャネルの上記マッピングタイプは第１のタイプ又は第２のタイプである、段階と、
上記ネットワークデバイスが上記第１の指示情報を端末デバイスに送信する段階と
を備えるリソース指示方法であって、
上記物理共有チャネルによりリソース単位において占有される最後のシンボルの位置インデックスが上記第１のタイプに対応し、上記物理共有チャネルにより上記リソース単位において占有されるシンボルの個数が上記第２のタイプに対応する、方法。
（項目７）
上記ＤＭＲＳが第１のＤＭＲＳ及び付加されたＤＭＲＳを含み、上記方法はさらに、
上記ネットワークデバイスが第２の指示情報を上記端末デバイスに送信する段階であって、上記第２の指示情報は付加されたＤＭＲＳの個数を示すのに用いられる、段階と、
上記ネットワークデバイスが第３の指示情報を上記端末デバイスに送信する段階であって、上記第３の指示情報は、上記第１のＤＭＲＳにより上記リソース単位において占有されるシンボルの実際の個数を示すのに用いられる、段階と
を備える、項目６に記載の方法。
（項目８）
ネットワークデバイスにより送信される第１の指示情報を受信するように構成された送受信機であって、上記第１の指示情報は物理共有チャネルのマッピングタイプを示すのに用いられ、上記物理共有チャネルの上記マッピングタイプは第１のタイプ又は第２のタイプである、送受信機と、
上記物理共有チャネルの上記マッピングタイプに基づいて、また上記物理共有チャネルによりリソース単位において占有される最後のシンボルの位置インデックス又は上記物理共有チャネルにより上記リソース単位において占有されるシンボルの個数を基準にして、上記ＤＭＲＳにより上記リソース単位において占有される時間領域位置を決定するように構成されたプロセッサと
を備える端末デバイスであって、
上記物理共有チャネルにより上記リソース単位において占有される上記最後のシンボルの上記位置インデックスは上記第１のタイプに対応し、上記物理共有チャネルにより上記リソース単位において占有される上記シンボルの個数は上記第２のタイプに対応する、端末デバイス。
（項目９）
上記ＤＭＲＳは第１のＤＭＲＳと付加されたＤＭＲＳを含み、
上記プロセッサは具体的には、
上記物理共有チャネルの上記マッピングタイプに基づいて、また上記物理共有チャネルにより上記リソース単位において占有される上記最後のシンボルの上記位置インデックス又は上記物理共有チャネルにより上記リソース単位において占有される上記シンボルの個数を基準にして、上記付加されたＤＭＲＳにより上記リソース単位において占有される時間領域位置を決定するように構成される、項目８に記載の端末デバイス。
（項目１０）
上記物理共有チャネルの上記マッピングタイプは上記第１のタイプであり、
上記プロセッサは具体的には、
上記物理共有チャネルにより上記リソース単位において占有される上記最後のシンボルの上記位置インデックスと第１のマッピング関係とに少なくとも基づいて、上記付加されたＤＭＲＳにより上記リソース単位において占有される上記時間領域位置を決定するように構成され、上記第１のマッピング関係は、上記リソース単位における物理共有チャネルの上記最後のシンボルの異なる位置インデックスと、付加されたＤＭＲＳにより上記リソース単位において占有される異なる時間領域位置との対応関係を示すのに用いられる、項目９に記載の端末デバイス。
（項目１１）
上記物理共有チャネルの上記マッピングタイプは上記第２のタイプであり、
上記プロセッサは具体的には、
上記物理共有チャネルにより上記リソース単位において占有される上記シンボルの個数と第２のマッピング関係とに少なくとも基づいて、上記付加されたＤＭＲＳにより上記リソース単位において占有される上記時間領域位置を決定するように構成され、上記第２のマッピング関係は、物理共有チャネルにより上記リソース単位において占有されるシンボルの異なる個数と、付加されたＤＭＲＳにより上記リソース単位において占有される異なる時間領域位置との対応関係を示すのに用いられる、項目９に記載の端末デバイス。
（項目１２）
上記送受信機はさらに、
上記付加されたＤＭＲＳにより上記リソース単位において占有される上記時間領域位置が決定される前に、上記ネットワークデバイスにより送信される第２の指示情報を受信することであって、上記第２の指示情報は、付加されたＤＭＲＳの個数を示すのに用いられる、受信することと、
上記ネットワークデバイスにより送信される第３の指示情報を受信することであって、上記第３の指示情報は、上記第１のＤＭＲＳにより上記リソース単位において占有されるシンボルの実際の個数を示すのに用いられる、受信することと
を行うように構成され、
上記プロセッサは具体的には、
上記物理共有チャネルの上記マッピングタイプ、上記付加されたＤＭＲＳの個数、及び上記第１のＤＭＲＳにより上記リソース単位において占有される上記シンボルの実際の個数に基づいて、また上記物理共有チャネルにより上記リソース単位において占有される上記最後のシンボルの上記位置インデックス又は上記物理共有チャネルにより上記リソース単位において占有される上記シンボルの個数を基準にして、上記付加されたＤＭＲＳにより上記リソース単位において占有される上記時間領域位置を決定するように構成される、項目９から１１のいずれか一項に記載の端末デバイス。
（項目１３）
第１の指示情報を決定するように構成されたプロセッサであって、上記第１の指示情報は、復調参照信号の物理共有チャネルのマッピングタイプを示すのに用いられ、上記物理共有チャネルの上記マッピングタイプは第１のタイプ又は第２のタイプである、プロセッサと、
上記第１の指示情報を端末デバイスに送信するように構成された送受信機と
を備えるネットワークデバイスであって、
上記物理共有チャネルによりリソース単位において占有される最後のシンボルの位置インデックスが上記第１のタイプに対応し、上記物理共有チャネルにより上記リソース単位において占有されるシンボルの個数が上記第２のタイプに対応する、ネットワークデバイス。
（項目１４）
上記ＤＭＲＳは第１のＤＭＲＳ及び付加されたＤＭＲＳを含み、上記送受信機はさらに、
第２の指示情報を上記端末デバイスに送信することであって、上記第２の指示情報は付加されたＤＭＲＳの個数を示すのに用いられる、送信することと、
第３の指示情報を上記端末デバイスに送信することであって、上記第３の指示情報は、上記第１のＤＭＲＳにより上記リソース単位において占有されるシンボルの実際の個数を示すのに用いられる、送信することと
を行うように構成される、項目１３に記載のネットワークデバイス。
（項目１５）
ネットワークデバイスにより送信される第１の指示情報を受信するように構成された送受信機ユニットであって、上記第１の指示情報は物理共有チャネルのマッピングタイプを示すのに用いられ、上記物理共有チャネルの上記マッピングタイプは第１のタイプ又は第２のタイプである、送受信機ユニットと、
上記物理共有チャネルの上記マッピングタイプに基づいて、また上記物理共有チャネルによりリソース単位において占有される最後のシンボルの位置インデックス又は上記物理共有チャネルにより上記リソース単位において占有されるシンボルの個数を基準にして、上記ＤＭＲＳにより上記リソース単位において占有される時間領域位置を決定するように構成された処理ユニットと
を備える端末デバイスであって、
上記物理共有チャネルにより上記リソース単位において占有される上記最後のシンボルの上記位置インデックスは上記第１のタイプに対応し、上記物理共有チャネルにより上記リソース単位において占有される上記シンボルの個数は上記第２のタイプに対応する、端末デバイス。
（項目１６）
上記ＤＭＲＳは第１のＤＭＲＳと付加されたＤＭＲＳを含み、
上記処理ユニットは具体的には、
上記物理共有チャネルの上記マッピングタイプに基づいて、また上記物理共有チャネルにより上記リソース単位において占有される上記最後のシンボルの上記位置インデックス又は上記物理共有チャネルにより上記リソース単位において占有される上記シンボルの個数を基準にして、上記付加されたＤＭＲＳにより上記リソース単位において占有される時間領域位置を決定するように構成される、項目１５に記載の端末デバイス。
（項目１７）
上記物理共有チャネルの上記マッピングタイプは上記第１のタイプであり、
上記処理ユニットは具体的には、
上記物理共有チャネルにより上記リソース単位において占有される上記最後のシンボルの上記位置インデックスと第１のマッピング関係とに少なくとも基づいて、上記付加されたＤＭＲＳにより上記リソース単位において占有される上記時間領域位置を決定するように構成され、上記第１のマッピング関係は、上記リソース単位における物理共有チャネルの上記最後のシンボルの異なる位置インデックスと、付加されたＤＭＲＳにより上記リソース単位において占有される異なる時間領域位置との対応関係を示すのに用いられる、項目１６に記載の端末デバイス。
（項目１８）
上記物理共有チャネルの上記マッピングタイプは上記第２のタイプであり、
上記処理ユニットは具体的には、
上記物理共有チャネルにより上記リソース単位において占有される上記シンボルの個数と第２のマッピング関係とに少なくとも基づいて、上記付加されたＤＭＲＳにより上記リソース単位において占有される上記時間領域位置を決定するように構成され、上記第２のマッピング関係は、上記物理共有チャネルにより上記リソース単位において占有されるシンボルの異なる個数と、付加されたＤＭＲＳにより上記リソース単位において占有される異なる時間領域位置との対応関係を示すのに用いられる、項目１７に記載の端末デバイス。
（項目１９）
上記送受信機ユニットはさらに、
上記付加されたＤＭＲＳにより上記リソース単位において占有される上記時間領域位置が決定される前に、上記ネットワークデバイスにより送信される第２の指示情報を受信することであって、上記第２の指示情報は、付加されたＤＭＲＳの個数を示すのに用いられる、受信することと、
上記ネットワークデバイスにより送信される第３の指示情報を受信することであって、上記第３の指示情報は、上記第１のＤＭＲＳにより上記リソース単位において占有されるシンボルの実際の個数を示すのに用いられる、受信することと
を行うように構成され、
上記処理ユニットは具体的には、
上記物理共有チャネルの上記マッピングタイプ、上記付加されたＤＭＲＳの個数、及び上記第１のＤＭＲＳにより上記リソース単位において占有される上記シンボルの実際の個数に基づいて、また上記物理共有チャネルにより上記リソース単位において占有される上記最後のシンボルの上記位置インデックス又は上記物理共有チャネルにより上記リソース単位において占有される上記シンボルの個数を基準にして、上記付加されたＤＭＲＳにより上記リソース単位において占有される上記時間領域位置を決定するように構成される、項目１６から１８のいずれか一項に記載の端末デバイス。
（項目２０）
第１の指示情報を決定するように構成された処理ユニットであって、上記第１の指示情報は、復調参照信号の物理共有チャネルのマッピングタイプを示すのに用いられ、上記物理共有チャネルの上記マッピングタイプは第１のタイプ又は第２のタイプである、プロセッサと、
上記第１の指示情報を端末デバイスに送信するように構成された送受信機ユニットと
を備えるネットワークデバイスであって、
上記物理共有チャネルによりリソース単位において占有される最後のシンボルの位置インデックスが上記第１のタイプに対応し、上記物理共有チャネルにより上記リソース単位において占有されるシンボルの個数が上記第２のタイプに対応する、ネットワークデバイス。
（項目２１）
上記ＤＭＲＳは第１のＤＭＲＳ及び付加されたＤＭＲＳを含み、上記送受信機ユニットはさらに、
第２の指示情報を上記端末デバイスに送信することであって、上記第２の指示情報は付加されたＤＭＲＳの個数を示すのに用いられる、送信することと、
第３の指示情報を上記端末デバイスに送信することであって、上記第３の指示情報は、上記第１のＤＭＲＳにより上記リソース単位において占有されるシンボルの実際の個数を示すのに用いられる、送信することと
を行うように構成される、項目２０に記載のネットワークデバイス。
（項目２２）
リソース構成方法であって、
復調参照信号ＤＭＲＳ構成情報を受信する段階であって、上記ＤＭＲＳ構成情報は、ＤＭＲＳの異なるマッピングタイプにおける上記ＤＭＲＳの時間領域位置を含み、上記物理共有チャネルのマッピングタイプが第１のタイプ又は第２のタイプであり、上記第１のタイプに対応するＤＭＲＳ構成情報が、上記物理共有チャネルによりリソース単位において占有される最後のシンボルの位置インデックスを含み、上記第２のタイプに対応するＤＭＲＳ構成情報が、上記物理共有チャネルにより上記リソース単位において占有されるシンボルの個数を含む、段階と、
上記ＤＭＲＳ構成情報を格納する段階と
を備える、方法。
（項目２３）
復調参照信号ＤＭＲＳ構成情報を受信するように構成された送受信機であって、上記ＤＭＲＳ構成情報は、ＤＭＲＳの異なるマッピングタイプにおける上記ＤＭＲＳの時間領域位置を含み、上記物理共有チャネルのマッピングタイプが第１のタイプ又は第２のタイプであり、上記第１のタイプに対応するＤＭＲＳ構成情報が、上記物理共有チャネルによりリソース単位において占有される最後のシンボルの位置インデックスを含み、上記第２のタイプに対応するＤＭＲＳ構成情報が、上記物理共有チャネルにより上記リソース単位において占有されるシンボルの個数を含む、送受信機と、
上記ＤＭＲＳ構成情報を格納するように構成されたメモリと
を備える、端末デバイス。
（項目２４）
復調参照信号ＤＭＲＳ構成情報を受信するように構成された送受信機であって、上記ＤＭＲＳ構成情報は、ＤＭＲＳの異なるマッピングタイプにおける上記ＤＭＲＳの時間領域位置を含み、上記物理共有チャネルのマッピングタイプが第１のタイプ又は第２のタイプであり、上記第１のタイプに対応するＤＭＲＳ構成情報が、上記物理共有チャネルによりリソース単位において占有される最後のシンボルの位置インデックスを含み、上記第２のタイプに対応するＤＭＲＳ構成情報が、上記物理共有チャネルにより上記リソース単位において占有されるシンボルの個数を含む、送受信機と、
上記ＤＭＲＳ構成情報を格納するように構成されたメモリと
を備える、ネットワークデバイス。
（項目２５）
復調参照信号ＤＭＲＳ構成情報を受信するように構成された送受信機ユニットであって、上記ＤＭＲＳ構成情報は、ＤＭＲＳの異なるマッピングタイプにおける上記ＤＭＲＳの時間領域位置を含み、上記物理共有チャネルのマッピングタイプが第１のタイプ又は第２のタイプであり、上記第１のタイプに対応するＤＭＲＳ構成情報が、上記物理共有チャネルによりリソース単位において占有される最後のシンボルの位置インデックスを含み、上記第２のタイプに対応するＤＭＲＳ構成情報が、上記物理共有チャネルにより上記リソース単位において占有されるシンボルの個数を含む、送受信機ユニットと、
上記ＤＭＲＳ構成情報を格納するように構成された記憶ユニットと
を備える、端末デバイス。
（項目２６）
復調参照信号ＤＭＲＳ構成情報を受信するように構成された送受信機ユニットであって、上記ＤＭＲＳ構成情報は、ＤＭＲＳの異なるマッピングタイプにおける上記ＤＭＲＳの時間領域位置を含み、上記物理共有チャネルのマッピングタイプが第１のタイプ又は第２のタイプであり、上記第１のタイプに対応するＤＭＲＳ構成情報が、上記物理共有チャネルによりリソース単位において占有される最後のシンボルの位置インデックスを含み、上記第２のタイプに対応するＤＭＲＳ構成情報が、上記物理共有チャネルにより上記リソース単位において占有されるシンボルの個数を含む、送受信機ユニットと、
上記ＤＭＲＳ構成情報を格納するように構成された記憶ユニットと
を備える、ネットワークデバイス。
（項目２７）
リソース指示方法であって、
ネットワークデバイスにより送信される第４の指示情報を端末デバイスが受信する段階であって、上記第４の指示情報は、復調参照信号の物理共有チャネルのマッピングタイプと、上記物理共有チャネルによりリソース単位において占有されるシンボルの個数とを示すのに用いられ、上記物理共有チャネルの上記マッピングタイプは第１のタイプ又は第２のタイプである、段階と、
上記物理共有チャネルの上記マッピングタイプ、上記物理共有チャネルにより上記リソース単位において占有される上記シンボルの個数、及び上記ＤＭＲＳのうちの第１のＤＭＲＳにより上記リソース単位において占有される時間領域位置に基づいて、上記ＤＭＲＳのうちの付加されたＤＭＲＳにより上記リソース単位において占有される時間領域位置を上記端末デバイスが決定する段階と
を備える、方法。
（項目２８）
上記ＤＭＲＳのうちの付加されたＤＭＲＳにより上記リソース単位において占有される時間領域位置を決定する上記段階の前に、上記方法はさらに、
上記ネットワークデバイスにより送信される第５の指示情報を上記端末デバイスが受信する段階であって、上記第５の指示情報は、上記第１のＤＭＲＳにより上記リソース単位において占有される上記時間領域位置を示すのに用いられる、段階を備える、項目２７に記載の方法。
（項目２９）
上記物理共有チャネルの上記マッピングタイプは上記第１のタイプであり、
上記ＤＭＲＳのうちの付加されたＤＭＲＳにより上記リソース単位において占有される時間領域位置を決定する上記段階は、
上記物理共有チャネルにより上記リソース単位において占有される上記シンボルの個数、上記第１のＤＭＲＳにより上記リソース単位において占有される上記時間領域位置、及び第３のマッピング関係に基づいて、上記付加されたＤＭＲＳにより上記リソース単位において占有される上記時間領域位置を上記端末デバイスが決定する段階であって、上記第３のマッピング関係は、物理共有チャネルにより上記リソース単位において占有されるシンボルの異なる個数と、上記第１のＤＭＲＳにより上記リソース単位において占有される異なる時間領域位置と、付加されたＤＭＲＳにより上記リソース単位において占有される異なる時間領域位置との対応関係を示すのに用いられる、段階を有する、項目２７又は２８に記載の方法。
（項目３０）
上記物理共有チャネルの上記マッピングタイプは上記第２のタイプであり、
上記ＤＭＲＳのうちの付加されたＤＭＲＳにより上記リソース単位において占有される時間領域位置を決定する上記段階は、
上記物理共有チャネルにより上記リソース単位において占有される上記シンボルの個数、上記第１のＤＭＲＳにより上記リソース単位において占有される上記時間領域位置、及び第４のマッピング関係に基づいて、上記付加されたＤＭＲＳにより上記リソース単位において占有される上記時間領域位置を上記端末デバイスが決定する段階であって、上記第４のマッピング関係は、物理共有チャネルにより上記リソース単位において占有されるシンボルの異なる個数と、上記第１のＤＭＲＳにより上記リソース単位において占有される異なる時間領域位置と、付加されたＤＭＲＳにより上記物理共有チャネルにおいて占有される異なる時間領域位置との対応関係を示すのに用いられる、段階を有する、項目２７又は２８に記載の方法。
（項目３１）
上記ＤＭＲＳのうちの付加されたＤＭＲＳにより上記リソース単位において占有される時間領域位置を決定する上記段階の前に、上記方法はさらに、
上記ネットワークデバイスにより送信される第６の指示情報を上記端末デバイスが受信する段階であって、上記第６の指示情報は付加されたＤＭＲＳの個数を示すのに用いられる、段階と、
上記ネットワークデバイスにより送信される第７の指示情報を上記端末デバイスが受信する段階であって、上記第７の指示情報は、上記第１のＤＭＲＳにより上記リソース単位において占有されるシンボルの実際の個数を示すのに用いられる、段階と
を備え、
上記ＤＭＲＳのうちの付加されたＤＭＲＳにより上記リソース単位において占有される時間領域位置を決定する上記段階は、
上記物理共有チャネルの上記マッピングタイプ、上記物理共有チャネルにより上記リソース単位において占有される上記シンボルの個数、上記第１のＤＭＲＳにより上記リソース単位において占有される上記時間領域位置、上記付加されたＤＭＲＳの個数、及び上記第１のＤＭＲＳにより上記リソース単位において占有される上記シンボルの実際の個数に基づいて、上記付加されたＤＭＲＳにより上記リソース単位において占有される上記時間領域位置を上記端末デバイスが決定する段階を有する、項目２７から３０のいずれか一項に記載の方法。
（項目３２）
ネットワークデバイスにより送信される第４の指示情報を受信するように構成された送受信機であって、上記第４の指示情報は、復調参照信号の物理共有チャネルのマッピングタイプと、上記物理共有チャネルによりリソース単位において占有されるシンボルの個数とを示すのに用いられ、上記物理共有チャネルの上記マッピングタイプは第１のタイプ又は第２のタイプである、送受信機と、
上記物理共有チャネルの上記マッピングタイプ、上記物理共有チャネルにより上記リソース単位において占有される上記シンボルの個数、及び上記ＤＭＲＳのうちの第１のＤＭＲＳにより上記リソース単位において占有される時間領域位置に基づいて、上記ＤＭＲＳのうちの付加されたＤＭＲＳにより上記リソース単位において占有される時間領域位置を決定するように構成されたプロセッサと
を備える、端末デバイス。
（項目３３）
上記送受信機はさらに、
上記ＤＭＲＳのうちの上記付加されたＤＭＲＳにより上記リソース単位において占有される上記時間領域位置が決定される前に、上記ネットワークデバイスにより送信される第５の指示情報を受信するように構成され、上記第５の指示情報は、上記第１のＤＭＲＳにより上記リソース単位において占有される上記時間領域位置を示すのに用いられる、項目３２に記載の端末デバイス。
（項目３４）
上記物理共有チャネルの上記マッピングタイプは上記第１のタイプであり、
上記プロセッサは具体的には、
上記物理共有チャネルにより上記リソース単位において占有される上記シンボルの個数、上記第１のＤＭＲＳにより上記リソース単位において占有される上記時間領域位置、及び第３のマッピング関係に基づいて、上記付加されたＤＭＲＳにより上記リソース単位において占有される上記時間領域位置を決定するように構成され、上記第３のマッピング関係は、物理共有チャネルにより上記リソース単位において占有されるシンボルの異なる個数と、上記第１のＤＭＲＳにより上記リソース単位において占有される異なる時間領域位置と、付加されたＤＭＲＳにより上記リソース単位において占有される異なる時間領域位置との対応関係を示すのに用いられる、項目３２又は３３に記載の端末デバイス。
（項目３５）
上記物理共有チャネルの上記マッピングタイプは上記第２のタイプであり、
上記プロセッサは具体的には、
上記物理共有チャネルにより上記リソース単位において占有される上記シンボルの個数、上記第１のＤＭＲＳにより上記リソース単位において占有される上記時間領域位置、及び第４のマッピング関係に基づいて、上記付加されたＤＭＲＳにより上記リソース単位において占有される上記時間領域位置を決定するように構成され、上記第４のマッピング関係は、物理共有チャネルにより上記リソース単位において占有されるシンボルの異なる個数と、上記第１のＤＭＲＳにより上記リソース単位において占有される異なる時間領域位置と、付加されたＤＭＲＳにより上記リソース単位において占有される異なる時間領域位置との対応関係を示すのに用いられる、項目３２又は３３に記載の端末デバイス。
（項目３６）
上記送受信機はさらに、
上記ＤＭＲＳのうちの上記付加されたＤＭＲＳにより上記リソース単位において占有される上記時間領域位置が決定される前に、上記ネットワークデバイスにより送信される第６の指示情報を受信することであって、上記第６の指示情報は、付加されたＤＭＲＳの個数を示すのに用いられる、受信することと、
上記ネットワークデバイスにより送信される第７の指示情報を受信することであって、上記第７の指示情報は、上記第１のＤＭＲＳにより上記リソース単位において占有されるシンボルの実際の個数を示すのに用いられる、受信することと
を行うように構成され、
上記プロセッサは具体的には、
上記物理共有チャネルの上記マッピングタイプ、上記物理共有チャネルにより上記リソース単位において占有される上記シンボルの個数、上記第１のＤＭＲＳにより上記リソース単位において占有される上記時間領域位置、上記付加されたＤＭＲＳの個数、及び上記第１のＤＭＲＳにより上記リソース単位において占有される上記シンボルの実際の個数に基づいて、上記付加されたＤＭＲＳにより上記リソース単位において占有される上記時間領域位置を決定するように構成される、項目３２から３５のいずれか一項に記載の端末デバイス。
（項目３７）
ネットワークデバイスにより送信される第４の指示情報を受信するように構成された送受信機ユニットであって、上記第４の指示情報は、復調参照信号の物理共有チャネルのマッピングタイプと、上記物理共有チャネルによりリソース単位において占有されるシンボルの個数とを示すのに用いられ、上記物理共有チャネルの上記マッピングタイプは第１のタイプ又は第２のタイプである、送受信機ユニットと、
上記物理共有チャネルの上記マッピングタイプ、上記物理共有チャネルにより上記リソース単位において占有される上記シンボルの個数、及び上記ＤＭＲＳのうちの第１のＤＭＲＳにより上記リソース単位において占有される時間領域位置に基づいて、上記ＤＭＲＳのうちの付加されたＤＭＲＳにより上記リソース単位において占有される時間領域位置を決定するように構成された処理ユニットと
を備える、端末デバイス。
（項目３８）
上記送受信機ユニットはさらに、
上記ＤＭＲＳのうちの上記付加されたＤＭＲＳにより上記リソース単位において占有される上記時間領域位置が決定される前に、上記ネットワークデバイスにより送信される第５の指示情報を受信するように構成され、上記第５の指示情報は、上記第１のＤＭＲＳにより上記リソース単位において占有される上記時間領域位置を示すのに用いられる、項目３７に記載の端末デバイス。
（項目３９）
上記物理共有チャネルの上記マッピングタイプは上記第１のタイプであり、
上記処理ユニットは具体的には、
上記物理共有チャネルにより上記リソース単位において占有される上記シンボルの個数、上記第１のＤＭＲＳにより上記リソース単位において占有される上記時間領域位置、及び第３のマッピング関係に基づいて、上記付加されたＤＭＲＳにより上記リソース単位において占有される上記時間領域位置を決定するように構成され、上記第３のマッピング関係は、物理共有チャネルにより上記リソース単位において占有されるシンボルの異なる個数と、上記第１のＤＭＲＳにより上記リソース単位において占有される異なる時間領域位置と、付加されたＤＭＲＳにより上記リソース単位において占有される異なる時間領域位置との対応関係を示すのに用いられる、項目３７又は３８に記載の端末デバイス。
（項目４０）
上記物理共有チャネルの上記マッピングタイプは上記第２のタイプであり、
上記処理ユニットは具体的には、
上記物理共有チャネルにより上記リソース単位において占有される上記シンボルの個数、上記第１のＤＭＲＳにより上記リソース単位において占有される上記時間領域位置、及び第４のマッピング関係に基づいて、上記付加されたＤＭＲＳにより上記リソース単位において占有される上記時間領域位置を決定するように構成され、上記第４のマッピング関係は、物理共有チャネルにより上記リソース単位において占有されるシンボルの異なる個数と、上記第１のＤＭＲＳにより上記リソース単位において占有される異なる時間領域位置と、付加されたＤＭＲＳにより上記リソース単位において占有される異なる時間領域位置との対応関係を示すのに用いられる、項目３７又は３８に記載の端末デバイス。
（項目４１）
上記送受信機ユニットはさらに、
上記ＤＭＲＳのうちの上記付加されたＤＭＲＳにより上記リソース単位において占有される上記時間領域位置が決定される前に、上記ネットワークデバイスにより送信される第６の指示情報を受信することであって、上記第６の指示情報は、付加されたＤＭＲＳの個数を示すのに用いられる、受信することと、
上記ネットワークデバイスにより送信される第７の指示情報を受信することであって、上記第７の指示情報は、上記第１のＤＭＲＳにより上記リソース単位において占有されるシンボルの実際の個数を示すのに用いられる、受信することと
を行うように構成され、
上記処理ユニットは具体的には、
上記物理共有チャネルの上記マッピングタイプ、上記物理共有チャネルにより上記リソース単位において占有される上記シンボルの個数、上記ＤＭＲＳのうちの上記第１のＤＭＲＳにより上記リソース単位において占有される上記時間領域位置、上記付加されたＤＭＲＳの個数、及び上記第１のＤＭＲＳにより上記リソース単位において占有される上記シンボルの実際の個数に基づいて、上記付加されたＤＭＲＳにより上記リソース単位において占有される上記時間領域位置を決定するように構成される、項目３７から４０のいずれか一項に記載の端末デバイス。
（項目４２）
リソース構成方法であって、
復調参照信号ＤＭＲＳ構成情報を受信する段階であって、ＤＭＲＳは第１のＤＭＲＳ及び付加されたＤＭＲＳを含み、上記ＤＭＲＳ構成情報は、物理共有チャネルの異なるマッピングタイプにおける上記第１のＤＭＲＳの異なる時間領域位置に対応する、付加されたＤＭＲＳの時間領域位置を含み、上記物理共有チャネルの上記マッピングタイプは第１のタイプ及び第２のタイプを含む、段階と、
上記ＤＭＲＳ構成情報を格納する段階と
を備える、方法。
（項目４３）
復調参照信号ＤＭＲＳ構成情報を受信するように構成された送受信機であって、ＤＭＲＳは第１のＤＭＲＳ及び付加されたＤＭＲＳを含み、上記ＤＭＲＳ構成情報は、物理共有チャネルの異なるマッピングタイプにおける上記第１のＤＭＲＳの異なる時間領域位置に対応する、付加されたＤＭＲＳの時間領域位置を含み、上記物理共有チャネルの上記マッピングタイプは第１のタイプ及び第２のタイプを含む、送受信機ユニットと、
上記ＤＭＲＳ構成情報を格納するように構成されたメモリと
を備える、端末デバイス。
（項目４４）
復調参照信号ＤＭＲＳ構成情報を受信するように構成された送受信機であって、ＤＭＲＳは第１のＤＭＲＳ及び付加されたＤＭＲＳを含み、上記ＤＭＲＳ構成情報は、物理共有チャネルの異なるマッピングタイプにおける上記第１のＤＭＲＳの異なる時間領域位置に対応する、付加されたＤＭＲＳの時間領域位置を含み、上記物理共有チャネルの上記マッピングタイプは第１のタイプ及び第２のタイプを含む、送受信機ユニットと、
上記ＤＭＲＳ構成情報を格納するように構成されたメモリと
を備える、ネットワークデバイス。
（項目４５）
復調参照信号ＤＭＲＳ構成情報を受信するように構成された送受信機ユニットであって、ＤＭＲＳは第１のＤＭＲＳ及び付加されたＤＭＲＳを含み、上記ＤＭＲＳ構成情報は、物理共有チャネルの異なるマッピングタイプにおける上記第１のＤＭＲＳの異なる時間領域位置に対応する、付加されたＤＭＲＳの時間領域位置を含み、上記物理共有チャネルの上記マッピングタイプは第１のタイプ及び第２のタイプを含む、送受信機ユニットと、
上記ＤＭＲＳ構成情報を格納するように構成された記憶ユニットと
を備える、端末デバイス。
（項目４６）
復調参照信号ＤＭＲＳ構成情報を受信するように構成された送受信機ユニットであって、ＤＭＲＳは第１のＤＭＲＳ及び付加されたＤＭＲＳを含み、上記ＤＭＲＳ構成情報は、物理共有チャネルの異なるマッピングタイプにおける上記第１のＤＭＲＳの異なる時間領域位置に対応する、付加されたＤＭＲＳの時間領域位置を含み、上記物理共有チャネルの上記マッピングタイプは第１のタイプ及び第２のタイプを含む、送受信機ユニットと、
上記ＤＭＲＳ構成情報を格納するように構成された記憶ユニットと
を備える、ネットワークデバイス。
（項目４７）
コンピュータプログラムを格納するように構成されたコンピュータ可読媒体であって、上記コンピュータプログラムは、項目１から７、２２、２７から３１、及び４２のいずれか一項に記載の方法を実施するのに用いられる命令を含む、コンピュータ可読媒体。
（項目４８）
コンピュータプログラムコードを含むコンピュータプログラム製品であって、上記コンピュータプログラムコードがコンピュータで起動すると、上記コンピュータは、項目１から７、２２、２７から３１、及び４２のいずれか一項に記載の方法を実施することが可能である、コンピュータプログラム製品。
（項目４９）
プロセッサを備え、メモリに格納された命令を読み出すように構成されたチップであって、上記プロセッサが上記命令を実行すると、上記チップは項目１から７、２２、２７から３１、及び４２のいずれか一項に記載の方法の命令を実施することが可能である、チップ。
【国際調査報告】
2020527874.tif 000027
2020527874.tif 000028
2020527874.tif 000029
2020527874.tif 000030